(57)【要約】  本発明は、化粧料組成物（Ｐ）を包装し、かつそれを口唇に塗布するための器具であって、−  一方では、塗布される化粧料組成物（Ｐ）を収容することが意図される貯留器を形成する本体と、−  他方では、少なくとも１つの頂点を有する凸型の塗布面を画定する塗布具部材を含む塗布具とを含み、貯留器を形成する本体は、塗布具部材を受容することができるハウジングを含み、ハウジングの貯留器との仕切り壁は、貯留器と直接流体連通する少なくとも１つの貫通オリフィスを有し、前記オリフィスは、前記塗布具部材が、貯留器を形成する本体のハウジング内の所定位置にあるとき、塗布具部材の頂点の近傍に対向するハウジングの少なくとも１つの底部のみに位置し、−  塗布具部材は、連続気泡多孔質材料から作製されており、−  塗布具は、非使用時に容器上に固定されるように構成されており、塗布具部材は、ハウジング内に受容され、塗布具は、貯留器を閉鎖することを可能にし、−  液体エマルジョンの形態である化粧料組成物（Ｐ）は、水と、少なくとも１種のカルボシロキサンデンドリマー系単位を含むビニルポリマーから選択される少なくとも１種の皮膜形成剤と、少なくとも１種の極性不揮発性炭化水素系油と、好ましくはジメチコン断片を有しない少なくとも１種の不揮発性フェニルシリコーン油とを含む、器具に関する。本発明は、液体エマルジョンの形態の組成物であって、水と、少なくとも１種のカルボシロキサンデンドリマー系単位を含むビニルポリマーから選択される少なくとも１種の皮膜形成剤と、５質量％〜１５質量％の少なくとも１種の極性不揮発性炭化水素系油と、１質量％〜８質量％の、好ましくはジメチコン断片を有しない少なくとも１種の不揮発性フェニルシリコーン油とを含む組成物、ならびに口唇をメーキャップおよび／またはケアするための方法であって、前記化粧料組成物が特に上述の器具を用いて口唇に塗布される、方法にも関する。
2019512321.tif 000002
【特許請求の範囲】
【請求項１】
化粧料組成物（Ｐ）を包装し、かつそれを口唇に塗布するための器具であって、
・第１に、塗布される前記化粧料組成物（Ｐ）を収容することが意図された貯留器を形成する本体と、
・第２に、少なくとも１つの頂点を有する凸型の塗布面を画定する塗布具部材を含む塗布具と
を含み、貯留器を形成する前記本体は、前記塗布具部材を受容することができるハウジングを含み、前記ハウジングの前記貯留器との仕切り壁は、前記貯留器と直接流体連通する少なくとも１つの貫通オリフィスを有し、前記オリフィスは、前記塗布具部材が、貯留器を形成する前記本体の前記ハウジング内の所定位置にあるとき、前記塗布具部材の頂点の近傍に対向する前記ハウジングの少なくとも１つの底部のみに位置し、
−  前記塗布具部材は、連続気泡多孔質材料から作製されており、
−  前記塗布具は、非使用時に前記容器上に固定されるように構成されており、前記塗布具部材は、前記ハウジング内に受容され、前記塗布具は、前記貯留器を閉鎖することを可能にし、
−  液体エマルジョンの形態である前記化粧料組成物（Ｐ）は、
水と、
少なくとも１種のカルボシロキサンデンドリマー系単位を含むビニルポリマーから選択される少なくとも１種の皮膜形成剤と、
少なくとも１種の極性不揮発性炭化水素系油と、
好ましくはジメチコン断片を有しない少なくとも１種の不揮発性フェニルシリコーン油と
を含む、器具。
【請求項２】
前記オリフィスは、前記塗布具部材の絶対頂点に対応する前記ハウジングの底部、好ましくは前記底部のみに位置することを特徴とする、請求項１に記載の器具。
【請求項３】
前記ハウジングの前記壁は、好ましくは前記底部の中央に位置する単一のオリフィスを有することを特徴とする、請求項１または２に記載の器具。
【請求項４】
前記ハウジングの前記壁は、好ましくは前記底部の中心の周りに均等に分布されている複数のオリフィスを含むことを特徴とする、請求項１または２に記載の器具。
【請求項５】
前記オリフィスの全部または一部は、実質的に円形の断面を有することを特徴とする、請求項１〜４のいずれか一項に記載の器具。
【請求項６】
前記貯留器は、少なくとも１種の混合要素、特に少なくとも１種の混合ビーズを含むことを特徴とする、請求項１〜５のいずれか一項に記載の器具。
【請求項７】
前記塗布具部材は、少なくとも部分的に植毛加工されており、好ましくは全体的に植毛加工されている塗布面を有することを特徴とする、請求項１〜６のいずれか一項に記載の器具。
【請求項８】
前記塗布具は、非使用時に前記容器上に固定されるように構成されており、前記塗布具部材は、前記ハウジング内に受容されることを特徴とする、請求項１〜７のいずれか一項に記載の器具。
【請求項９】
前記塗布面は、前記塗布具部材が前記ハウジング内に受容されているときに前記ハウジングの前記壁と空間を形成することができる表面を有しないことを特徴とする、請求項１〜８のいずれか一項に記載の器具。
【請求項１０】
前記塗布具部材は、特に丸みを帯びた先端を有する略円錐形または略半球形を有することを特徴とする、請求項１〜９のいずれか一項に記載の器具。
【請求項１１】
前記オリフィスは、前記塗布具が前記容器上に固定されると前記塗布面によって塞がれることを特徴とする、請求項１〜１０のいずれか一項に記載の器具。
【請求項１２】
前記塗布面は、前記塗布具が前記容器上に固定されると、少なくとも部分的に前記ハウジングの前記壁に当たって変形し、前記塗布具部材は、わずかに圧縮されることを特徴とする、請求項１〜１１のいずれか一項に記載の器具。
【請求項１３】
前記不揮発性極性炭化水素系油は、Ｃ１０〜Ｃ２６アルコール、任意選択的にヒドロキシル化されている、Ｃ２〜Ｃ８モノカルボン酸またはポリカルボン酸とＣ２〜Ｃ８アルコールとのモノエステル、ジエステルまたはトリエステル、任意選択的にヒドロキシル化されている、Ｃ２〜Ｃ８モノカルボン酸またはポリカルボン酸とＣ２〜Ｃ８アルコールとのモノエステル、ジエステルまたはトリエステル、Ｃ２〜Ｃ８ポリオールと１種以上のＣ２〜Ｃ８カルボン酸とのエステル、特に１８〜７０個の炭素原子を有するエステル油、ビニルピロリドン／１−ヘキサデセンコポリマー、Ｃ１２〜Ｃ２６脂肪酸、２個のアルキル鎖が場合により同一であるかまたは異なる炭酸ジアルキル、およびこれらの混合物から選択され、好ましくはＣ１０〜Ｃ２６アルコール、好ましくはＣ２０〜Ｃ２６アルコールから選択されることを特徴とする、請求項１〜１２のいずれか一項に記載の器具。
【請求項１４】
不揮発性極性炭化水素系油の含有量は、前記組成物の質量に対して５質量％〜１５質量％、好ましくは６質量％〜１２質量％であることを特徴とする、請求項１〜１３のいずれか一項に記載の器具。
【請求項１５】
好ましくはジメチコン断片を有しない不揮発性フェニルシリコーン油の含有量は、前記組成物の質量に対して１質量％〜８質量％、好ましくは１．５質量％〜５質量％の範囲であることを特徴とする、請求項１〜１４のいずれか一項に記載の器具。
【請求項１６】
不揮発性油の含有量は、前記組成物の質量に対して６質量％〜２０質量％、好ましくは６質量％〜１５質量％であることを特徴とする、請求項１〜１５のいずれか一項に記載の器具。
【請求項１７】
少なくとも１種のカルボシロキサンデンドリマー系単位を有する前記ビニルポリマーは、カルボシロキサンデンドリマー構造を含有する分子側鎖を有し、かつ
（Ａ）０〜９９．９質量部のビニルモノマーと、
（Ｂ）１００〜０．１質量部の、下式（Ｉ）：
【化１】
2019512321.tif 000030
（式中、
−  Ｒ１は、５〜１０個の炭素原子を有するアリール基、または１〜１０個の炭素原子を有するアルキル基を表し、
−  Ｘｉは、シリルアルキル基であって、ｉ＝１の場合、式（ＩＩ）：
【化２】
2019512321.tif 000031
（式中、
・Ｒ１は、前記式（Ｉ）において上に定義されるようなものであり、
・Ｒ２は、２〜１０個の炭素原子を有するアルキレン基を表し、
・Ｒ３は、１〜１０個の炭素原子を有するアルキル基を表し、
・Ｘｉ＋ｉは、水素原子、１〜１０個の炭素原子を含有するアルキル基、５〜１０個の炭素原子を含有するアリール基、および式（ＩＩ）の上で定義されたシリルアルキル基（ここで、ｉ＝ｉ＋１である）から選択され、
・ｉは、前記シリルアルキル基の世代を表す１〜１０の整数であり、および
・ａｉは、０〜３の整数である）によって表されるシリルアルキル基であり、
−  Ｙは、
・メタクリル基またはアクリル基を含む有機基であって、式：
【化３】
2019512321.tif 000032
（式中、
Ｒ４は、水素原子、または１〜１０個の炭素原子を有するアルキル基を表し、および
Ｒ５は、１〜１０個の炭素原子を含有するアルキレン基を表す）によって表される有機基、および
・式：
【化４】
2019512321.tif 000033
（式中、
Ｒ６は、水素原子、または１〜１０個の炭素原子を含有するアルキル基を表し、
Ｒ７は、１〜１０個の炭素原子を有するアルキル基を表し、
Ｒ８は、１〜１０個の炭素原子を含有するアルキレン基を表し、
ｂは、０〜４の整数であり、および
ｃは、０または１であり、それにより、ｃが０である場合、−（Ｒ８）ｃ−は、結合を表す）のスチリル基を含む有機基
から選択される放射状に重合可能な有機基を表す）のカルボシロキサンデンドリマーと
の重合から誘導されることを特徴とする、請求項１〜１６のいずれか一項に記載の器具。
【請求項１８】
前記カルボシロキサンデンドリマーは、下式：
【化５】
2019512321.tif 000034
（式中、
・Ｙ、Ｒ１、Ｒ２およびＲ３は、請求項１７において定義されるようなものであり、
・ａ１、ａ２およびａ３は、請求項１７に記載のａｉの定義に対応し、および
・Ｒ１２は、Ｈ、５〜１０個の炭素原子を有するアリール基、または１〜１０個の炭素原子を有するアルキル基である）によって表されることを特徴とする、請求項１〜１７のいずれか一項に記載の器具。
【請求項１９】
前記カルボシロキサンデンドリマーは、下式：
【化６】
2019512321.tif 000035
の１種によって表されることを特徴とする、請求項１〜１８のいずれか一項に記載の器具。
【請求項２０】
少なくとも１種のカルボシロキサンデンドリマー系単位がグラフトされた前記ビニルポリマーは、ＩＮＣＩ名が（アクリレーツ／メタクリル酸ポリトリメチルシロキシ）コポリマーであるポリマーであることを特徴とする、請求項１〜１９のいずれか一項に記載の器具。
【請求項２１】
皮膜形成剤の含有量は、前記組成物の質量に対して活性物質が０．５質量％〜３０質量％、好ましくは１質量％〜２０質量％となる量であることを特徴とする、請求項１〜２０のいずれか一項に記載の器具。
【請求項２２】
前記組成物は、少なくとも１種の揮発性の好ましくは炭化水素系油またはシリコーン油を含むことを特徴とする、請求項１〜２１のいずれか一項に記載の器具。
【請求項２３】
揮発性油の含有量は、前記組成物の質量に対して５質量％〜４５質量％、好ましくは１０質量％〜３０質量％であることを特徴とする、請求項１〜２２のいずれか一項に記載の器具。
【請求項２４】
水含有量は、前記組成物の質量に対して２０質量％〜６０質量％であることを特徴とする、請求項１〜２３のいずれか一項に記載の器具。
【請求項２５】
前記組成物は、逆相（油中水型）エマルジョンの形態であることを特徴とする、請求項１〜２４のいずれか一項に記載の器具。
【請求項２６】
前記組成物は、好ましくは、非イオン性界面活性剤およびシリコーン界面活性剤またはこれらの混合物から選択される少なくとも１種の界面活性剤を含むことを特徴とする、請求項１〜２５のいずれか一項に記載の器具。
【請求項２７】
前記組成物は、２５℃において、０．００５〜１２Ｐａ．ｓ、好ましくは０．０１〜１０Ｐａ．ｓ、さらにより有利には０．０５〜８Ｐａ．ｓ、より詳細には０．１〜６Ｐａ．ｓの粘度を有することを特徴とする、請求項１〜２６のいずれか一項に記載の器具。
【請求項２８】
口唇をメーキャップおよび／またはケアするための方法であって、請求項１〜２７のいずれか一項に記載の器具を用いて前記組成物が前記口唇に塗布される、方法。
【請求項２９】
液体エマルジョンの形態である化粧料組成物であって、
水と、
少なくとも１種のカルボシロキサンデンドリマー系単位を含むビニルポリマーから選択される少なくとも１種の皮膜形成剤と、
前記組成物の質量に対して５質量％〜１５質量％の少なくとも１種の極性不揮発性炭化水素系油と、
前記組成物の質量に対して１質量％〜８質量％の、好ましくはジメチコン断片を有しない少なくとも１種の不揮発性フェニルシリコーン油と
を含む化粧料組成物。
【請求項３０】
前記不揮発性極性炭化水素系油は、Ｃ１０〜Ｃ２６アルコール、任意選択的にヒドロキシル化されている、Ｃ２〜Ｃ８モノカルボン酸またはポリカルボン酸とＣ２〜Ｃ８アルコールとのモノエステル、ジエステルまたはトリエステル、任意選択的にヒドロキシル化されている、Ｃ２〜Ｃ８モノカルボン酸またはポリカルボン酸とＣ２〜Ｃ８アルコールとのモノエステル、ジエステルまたはトリエステル、Ｃ２〜Ｃ８ポリオールと１種以上のＣ２〜Ｃ８カルボン酸とのエステル、特に１８〜７０個の炭素原子を有するエステル油、ビニルピロリドン／１−ヘキサデセンコポリマー、Ｃ１２〜Ｃ２６脂肪酸、２個のアルキル鎖が場合により同一であるかまたは異なる炭酸ジアルキル、およびこれらの混合物から選択され、好ましくはＣ１０〜Ｃ２６アルコール、好ましくはＣ２０〜Ｃ２６アルコールから選択されることを特徴とする、請求項２９に記載の組成物。
【請求項３１】
不揮発性極性炭化水素系油の含有量は、前記組成物の質量に対して６質量％〜１２質量％であることを特徴とする、請求項２９または３０に記載の組成物。
【請求項３２】
好ましくはジメチコン断片を有しない不揮発性フェニルシリコーン油の含有量は、前記組成物の質量に対して１．５質量％〜５質量％の範囲であることを特徴とする、請求項２９〜３１のいずれか一項に記載の組成物。
【請求項３３】
不揮発性油の含有量は、前記組成物の質量に対して６質量％〜２０質量％、好ましくは６質量％〜１５質量％であることを特徴とする、請求項２９〜３２のいずれか一項に記載の組成物。
【請求項３４】
少なくとも１種のカルボシロキサンデンドリマー系単位を有する前記ビニルポリマーは、カルボシロキサンデンドリマー構造を含有する分子側鎖を有し、かつ
（Ａ）０〜９９．９質量部のビニルモノマーと、
（Ｂ）１００〜０．１質量部の、下式（Ｉ）：
【化７】
2019512321.tif 000036
（式中、
−  Ｒ１は、５〜１０個の炭素原子を有するアリール基、または１〜１０個の炭素原子を有するアルキル基を表し、
−  Ｘｉは、シリルアルキル基であって、ｉ＝１の場合、式（ＩＩ）：
【化８】
2019512321.tif 000037
（式中、
・Ｒ１は、前記式（Ｉ）において上に定義されるようなものであり、
・Ｒ２は、２〜１０個の炭素原子を有するアルキレン基を表し、
・Ｒ３は、１〜１０個の炭素原子を有するアルキル基を表し、
・Ｘｉ＋ｉは、水素原子、１〜１０個の炭素原子を含有するアルキル基、５〜１０個の炭素原子を含有するアリール基、および式（ＩＩ）の上で定義されたシリルアルキル基（ここで、ｉ＝ｉ＋１である）から選択され、
・ｉは、前記シリルアルキル基の世代を表す１〜１０の整数であり、および
・ａｉは、０〜３の整数である）によって表されるシリルアルキル基であり、
−  Ｙは、
・メタクリル基またはアクリル基を含む有機基であって、式：
【化９】
2019512321.tif 000038
（式中、
Ｒ４は、水素原子、または１〜１０個の炭素原子を有するアルキル基を表し、および
Ｒ５は、１〜１０個の炭素原子を含有するアルキレン基を表す）によって表される有機基、および
・式：
【化１０】
2019512321.tif 000039
（式中、
Ｒ６は、水素原子、または１〜１０個の炭素原子を含有するアルキル基を表し、
Ｒ７は、１〜１０個の炭素原子を有するアルキル基を表し、
Ｒ８は、１〜１０個の炭素原子を含有するアルキレン基を表し、
ｂは、０〜４の整数であり、および
ｃは、０または１であり、それにより、ｃが０である場合、−（Ｒ８）ｃ−は、結合を表す）のスチリル基を含む有機基
から選択される放射状に重合可能な有機基を表す）のカルボシロキサンデンドリマーと
の重合から誘導されることを特徴とする、請求項２９〜３３のいずれか一項に記載の組成物。
【請求項３５】
前記カルボシロキサンデンドリマーは、下式：
【化１１】
2019512321.tif 000040
（式中、
・Ｙ、Ｒ１、Ｒ２およびＲ３は、請求項３４において定義されるようなものであり、
・ａ１、ａ２およびａ３は、請求項３４に記載のａｉの定義に対応し、および
・Ｒ１２は、Ｈ、５〜１０個の炭素原子を有するアリール基、または１〜１０個の炭素原子を有するアルキル基である）によって表されることを特徴とする、請求項２９〜３４のいずれか一項に記載の組成物。
【請求項３６】
前記カルボシロキサンデンドリマーは、下式：
【化１２】
2019512321.tif 000041
の１種によって表されることを特徴とする、請求項２９〜３５のいずれか一項に記載の組成物。
【請求項３７】
少なくとも１種のカルボシロキサンデンドリマー系単位がグラフトされた前記ビニルポリマーは、ＩＮＣＩ名が（アクリレーツ／メタクリル酸ポリトリメチルシロキシ）コポリマーであるポリマーであることを特徴とする、請求項２９〜３６のいずれか一項に記載の組成物。
【請求項３８】
皮膜形成剤の含有量は、前記組成物の質量に対して活性物質が０．５質量％〜３０質量％、好ましくは１質量％〜２０質量％となる量であることを特徴とする、請求項２９〜３７のいずれか一項に記載の組成物。
【請求項３９】
少なくとも１種の揮発性の好ましくは炭化水素系油またはシリコーン油を含むことを特徴とする、請求項２９〜３８のいずれか一項に記載の組成物。
【請求項４０】
揮発性油の含有量は、前記組成物の質量に対して５質量％〜４５質量％、好ましくは１０質量％〜３０質量％であることを特徴とする、請求項２９〜３９のいずれか一項に記載の組成物。
【請求項４１】
水含有量は、前記組成物の質量に対して２０質量％〜６０質量％であることを特徴とする、請求項２９〜４０のいずれか一項に記載の組成物。
【請求項４２】
逆相（油中水型）エマルジョンの形態であることを特徴とする、請求項２９〜４１のいずれか一項に記載の組成物。
【請求項４３】
好ましくは、非イオン性界面活性剤およびシリコーン界面活性剤またはこれらの混合物から選択される少なくとも１種の界面活性剤を含むことを特徴とする、請求項２９〜４２のいずれか一項に記載の組成物。
【請求項４４】
２５℃において、０．００５〜１２Ｐａ．ｓ、好ましくは０．０１〜１０Ｐａ．ｓ、さらにより有利には０．０５〜８Ｐａ．ｓ、より詳細には０．１〜６Ｐａ．ｓの粘度を有することを特徴とする、請求項２９〜４３のいずれか一項に記載の組成物。
【請求項４５】
口唇をメーキャップおよび／またはケアするための方法であって、請求項２９〜４４のいずれか一項に記載の組成物が前記口唇に塗布される、方法。
【発明の詳細な説明】
【技術分野】
【０００１】
本発明の主題は、特定の皮膜形成ポリマーを含む、液体エマルジョンの形態の化粧料組成物の塗布に適した器具、組成物、ならびにまた特にこの器具および組成物を用いて口唇をメーキャップおよび／またはケアするための方法である。
【０００２】
本発明は、液状組成物を用いて口唇をメーキャップおよび／またはケアする分野に関する。
【背景技術】
【０００３】
安定性があり、塗布性（塗布時の滑り性、伸展性および付着物のきめ細かさ）の観点のみならず、口唇に対する付着物のメーキャップ効果（例えば、カバー力および付着物の滲まなさ）の観点でも十分な特性を有し、好ましくはべたつくことがない、口唇をメーキャップおよび／またはケアするための液体口紅等の液状組成物を開発することが継続的な目標となっている。
【０００４】
一般に、無水液体剤形に対応する配合物は、従来、油（特にツヤを付与するもの）と、任意選択的に組成物を構造化するためのワックスと、フィラー（特に組成物を増粘するもの）と、皮膜形成ポリマーと、色材とを含む。
【０００５】
カバー力を提供する組成物のより具体的な事例では、組成物が口唇に容易に、正確に、かつ均一な層で塗布されることが重要である。加えて、付着物が滲まないことが期待される。滲みは、口唇の輪郭がぼやけることをもたらすであろう。
【０００６】
一般に、植毛加工された先端部を有するディップ式塗布具と一緒に使用される従来のこの種の口紅組成物では、その付着物が比較的厚くなり、特にこうした油および存在するポリマーを使用することに起因してある程度のべたつきが生じることに留意されたい。この性質は、具体的には、メーキャップされた口唇が互いに張り付く現象として現れるため、使用者の快適性の観点で不快である。
【０００７】
液体口紅に伴う他の課題は、こうした組成物が、容易に塗布されるように十分な流動性を有していなければならない反面、組成物の安定性を損なうこと（顔料の沈降）および易塗布性を損なうこと（液ダレおよび／または組成物が口唇の縁のシワおよび小ジワに滲む）を防ぐために流動性が高過ぎてはならないことにある。
【発明の概要】
【発明が解決しようとする課題】
【０００８】
したがって、正確な付着物として口唇を非常に良好にカバーすると同時に、滲まず、べたつく性質が実質的に解消されている組成物と、この組成物を塗布することを可能にするであろう器具とが求められている。
【課題を解決するための手段】
【０００９】
これらの目的は本発明によって達成され、したがって、本発明の主題は、化粧料組成物（Ｐ）を包装し、かつそれを口唇に塗布するための器具であって、
−  一方では、塗布される化粧料組成物（Ｐ）を収容することが意図される貯留器を形成する本体と、
−  他方では、少なくとも１つの頂点を有する凸型の塗布面を画定する塗布具部材を含む塗布具と
を含み、貯留器を形成する本体は、塗布具部材を受容することができるハウジングを含み、ハウジングの貯留器との仕切り壁は、貯留器と直接流体連通する少なくとも１つの貫通オリフィスを有し、前記オリフィスは、前記塗布具部材が、貯留器を形成する本体のハウジング内の所定位置にあるとき、塗布具部材の頂点の近傍に対向するハウジングの少なくとも１つの底部のみに位置し、
−  塗布具部材は、連続気泡多孔質材料から作製されており、
−  塗布具は、非使用時に容器上に固定されるように構成されており、塗布具部材は、ハウジング内に受容され、塗布具は、貯留器を閉鎖することを可能にし、
−  液体エマルジョンの形態である化粧料組成物（Ｐ）は、
水と、
少なくとも１種のカルボシロキサンデンドリマー系単位を含むビニルポリマーから選択される少なくとも１種の皮膜形成剤と、
少なくとも１種の極性不揮発性炭化水素系油と、
好ましくはジメチコン断片を有しない少なくとも１種の不揮発性フェニルシリコーン油と
を含む、器具である。
【００１０】
本発明は、液体エマルジョンの形態である化粧料組成物であって、
水と、
少なくとも１種のカルボシロキサンデンドリマー系単位を含むビニルポリマーから選択される少なくとも１種の皮膜形成剤と、
組成物の質量に対して５質量％〜１５質量％の少なくとも１種の極性不揮発性炭化水素系油と、
組成物の質量に対して１質量％〜８質量％の、好ましくはジメチコン断片を有しない少なくとも１種の不揮発性フェニルシリコーン油と
を含む化粧料組成物にも関する。
【００１１】
さらに、本発明は、口唇をメーキャップおよび／またはケアするための方法であって、上述の組成物が特に上述の器具を用いて口唇に塗布される、方法に関する。
【００１２】
添付の図面を参照しながら、この組成物に特に適した塗布具について説明する。
【図面の簡単な説明】
【００１３】
【図１】本発明による包装および塗布用組立体の概略縦断面図である。
【図２】図１の組立体に備えられている塗布具部材の概略縦断面図である。
【図３】図２の塗布具部材のハウジングを形成するリングの概略縦断面図である。
【図４】図３のリングの上方から見た概略図である。
【発明を実施するための形態】
【００１４】
口唇上に付着した皮膜は、非常に薄く、使用者が実質的に認識できないという利点を有する。したがって、これは、本発明の主題である器具を用いて口唇上に付着される非常に軽い付着物である。この付着物はまた、べたつかず、乾燥感を感じさせない。こうして得られた付着物は、滲まず、色移りせず、化粧もちが非常に優れている。
【００１５】
特段の指定がない限り、本明細書の残りの部分において、範囲に関して指定された端点がその範囲に包含されることに留意すべきである。
【００１６】
含有量は、組成物の質量に対して示される。換言すれば、含有量は、組成物全体の質量に対して示される。
【００１７】
「少なくとも１の」および「幾つかの」という表現は区別なく用いられる。
【００１８】
器具
したがって、本発明は、液体化粧料組成物を包装および塗布するための器具に関する。
【００１９】
この器具は、具体的には、２０１５年９月２５日に出願された仏国特許出願公開第１５５９０９２号明細書および２０１６年２月２９日に出願された仏国特許出願公開第１６５１６７０号明細書に記載されている。
【００２０】
より詳細には、本発明による器具は、一方では、塗布される化粧料組成物を収容することが意図された貯留器を形成する本体と、他方では、少なくとも１つの頂点を有する凸型の塗布面を画定する塗布具部材を含む塗布具とを含む。
【００２１】
貯留器を形成する本体は、塗布具部材を受容することができるハウジングを含み、ハウジングの貯留器との１つの仕切り壁は、貯留器と直接流体連通する少なくとも１つの貫通オリフィスを有する。前記オリフィスは、前記塗布具部材が、貯留器を形成する本体のハウジング内の所定位置にあるとき、塗布具部材の頂点の近傍に対向するハウジングの少なくとも１つの底部のみに位置する。
【００２２】
この包装および塗布用組立体は、塗布具部材が連続気泡多孔質材料から作製されていることを特徴とする。
【００２３】
頂点または先端を有する凸型の塗布面を画定する塗布具部材が存在することにより、特に組成物を正確に塗布することが可能になる。
【００２４】
塗布具部材を受容するハウジングの壁に作製されているオリフィスは、特に貯留器が振とうまたは上下反転される場合、特に組成物を塗布具部材に担持させることを可能にする。
【００２５】
「ハウジングの少なくとも１つの底部のみに位置するオリフィス」という表現は、仕切り壁の残部が中実体である、すなわち残部に貫通孔がないことを意味することを意図している。
【００２６】
したがって、高度に局在化されて配置されている、直接流体連通する１つ以上の分注オリフィスを多孔質塗布面と組み合わせると、驚くべきことに、対象の包装および塗布用組立体は、貯留器に収容されている化粧品の正確であり、快適であり、かつ均一な塗布を可能にすることが認識された。
【００２７】
高度に局在化されたオリフィスを用いることにより、仕切り壁を通した組成物の通過を制限し、したがって塗布具に過剰に担持させることなく、正確かつ十分な用量の組成物を得ることが可能になり、その結果として薄い付着物を得ることが可能になる。
【００２８】
塗布面の残部、特に周縁部または側面部は、塗布された組成物の色調を抑え、かつメーキャップを整えるために使用され得る。
【００２９】
「直接流体連通する」という語は、オリフィスが、化粧料組成物を押し出して前記オリフィスを通過させることを可能にするポンプまたはエアゾール式の選択的開放を備える分注手段に連結されていないことを意味することを意図している。塗布具部材への担持は、単純に貯留器を振とうさせるかまたはそれを上下反転させることによって行われる。
【００３０】
これは、特に不使用時に貯留器からの漏出を確実に防止し、組成物がオリフィスを通して押し出されない状態を維持することを可能にする選択的閉鎖機構の使用を妨げない。
【００３１】
本出願における「塗布具部材の頂点の近傍」という表現は、幾何学的頂点の先端の近傍に延在する頂端部を指す。オリフィスは、塗布面の表面積全体の最大で５％またはさらに１０％を占める、幾何学的頂点の周りの領域に位置すると見なされ得る。
【００３２】
優先的には、オリフィスは、塗布具部材の絶対頂点に対応するハウジングの底部、好ましくは前記底部のみに位置する。
【００３３】
第１の変形実施形態によれば、ハウジングの壁は、単一のオリフィスを有する。
【００３４】
第２の変形実施形態によれば、ハウジングの壁は、複数のオリフィスを有する。
【００３５】
複数のオリフィスが存在することにより、オリフィスを比較的小さいサイズに保つことが可能になり、それにより、例えば数回のみの振とう動作後、可能な限り均一な量の組成物を確実に通過させると同時に、塗布具部材に適切に担持させるのに十分な総通過面積を確保することが可能となる。加えて、オリフィスのサイズは、閉塞現象を防止または制限するように固体粒子のサイズに応じても決定される。
【００３６】
数個のオリフィスの場合、後者は、優先的には、底部の中心の周りに均一に分布されている。これにより、塗布具部材の先端部への最適な担持を確保することが可能になる。
【００３７】
有利には、加えて、ハウジングの壁は、底部の中央に位置する中央オリフィスを有する。「底部の中央」という語は、塗布具の幾何学的頂点に対向する先端を意味することを意図している。
【００３８】
好ましい一実施形態によれば、オリフィスの全部または一部は、実質的に円形の断面を有する。この種の円形断面は、閉塞現象を防止するために非常に適している。適切な場合、使用される粒子に応じて他の断面を想定することができる。
【００３９】
有利には、加えて、貯留器は、少なくとも１種の混合要素、特に少なくとも１種の混合ビーズを含む。混合要素の質量またはサイズ等の特徴は、化粧料組成物の特徴に応じて選択される。
【００４０】
塗布具部材は、好ましくは発泡体から作製され得、それは、優先的には発泡体のブロックである。
【００４１】
優先的には、塗布具部材は、少なくとも部分的に植毛加工されており、好ましくは全体的に植毛加工されている塗布面を有する。
【００４２】
図示しない一変形形態によれば、支持／固定システムは、少なくとも１つの相補的な締め付けリングを含み、締め付けリングは、取付脚部の底面からゼロ以外の距離に位置する前記取付脚部の一部を圧縮することができ、取付脚部の底面は、塗布具部材が支持／固定システムのハウジング内に配置されるときに支持／固定システムの底壁の方に向けられ、締め付けリングは、少なくとも１つのクリップ固定手段を有し、このクリップ固定手段は、支持／固定システムの周縁裾部の少なくとも１つの相補的クリップ固定手段と協働することができる。
【００４３】
締め付けリングは、任意選択的に、塗布具部材を同一の、例えば新品の塗布具部材または異なる塗布具部材と交換することができるように取り外し可能に作製され得る。
【００４４】
さらに、前記締め付けリングは、塗布具部材の取付脚部の、前記取付脚部の底から離れた一部分のみを圧縮する。その結果、取付脚部は、減少した断面の圧縮された部分と、より広い断面を有する、圧縮されていないかまたは圧縮がより少ない底部分とを有し、圧縮されていないかまたは圧縮がより少ない底部分は、塗布具部材が、横方向移動の動きを含めて長手方向成分において動いてリングの外側に抜けることに抵抗し、かつ塗布具部材の固定およびその所定位置での保持に大きく寄与する。加えて、塗布具部材の取付脚部の一部の圧縮は、取付脚部およびリング間の摩擦を増大させ、それにより全体を所定位置に保持することにも寄与する。
【００４５】
有利には、圧縮の度合いは、ハウジング内で圧縮されていないかまたは圧縮が少ない状態における塗布具部材の断面に対して少なくとも１０％、好ましくは少なくとも２０％、またはさらに少なくとも３０％であり、好ましくは４０％未満またはさらに３５％未満である。
【００４６】
加えて、有利には、支持／固定システムの底壁は、塗布具部材脚部の底面内に入ることができる少なくとも１つの切り込みを含む。この切り込みは、横方向の動き、特に回転する動きを制限することによって塗布具部材の固定に寄与する。
【００４７】
加えて、有利には、前記締め付けリングは、優先的には支持／固定システムの底壁の方に向けられることが意図された端部を有し、前記端部は、少なくとも部分的に外周を構成する放射状ショルダー部を有し、このショルダー部は、少なくとも部分的に塗布具部材の取付脚部の外周を構成する相補的な溝と協働することができる。
【００４８】
優先的には、外周を構成する放射状ショルダー部は、支持／固定システムの底壁の方に向けられることが意図された表面であって、塗布具部材の外周溝の対応する表面に入ることができる少なくとも１つの取付用切り込みを有する。
【００４９】
好ましい一実施形態によれば、塗布具部材の取付脚部の溝は、前記取付脚部から実質的に半分の高さに位置し、より詳細には前記取付脚部の底面に対して前記取付脚部の高さの３０％〜６０％に位置する。
【００５０】
加えて、支持／固定システムの底壁は、少なくとも１つのピン（図示せず）を有し、このピンは、特に中央にあり、少なくとも部分的に締め付けリングを通して底壁に実質的に垂直に延在し、かつ塗布具部材の取付脚部の対応する空洞内に入ることができる。
【００５１】
優先的には、ピンは、締め付けリングの長さ全体にわたって延在し、締め付けリングを完全に通過する。
【００５２】
優先的には、底壁のピンは、支持／固定システムの裾部から突出する。このような特徴は、塗布具部材の移動の大きさを制限することに役立つ。
【００５３】
有利には、締め付けリングは、塗布具部材の取付脚部の高さの約半分にわたって延在する。優先的には、締め付けリングは、取付脚部の高さの少なくとも４０％にわたり、最大で取付脚部の高さの９０％にわたり延在する。
【００５４】
有利には、塗布具は、非使用時に容器上に固定されるように構成されており、塗布具部材は、ハウジング内に受容される。したがって、塗布具は、貯留器を閉鎖することを可能にする。
【００５５】
優先的には、塗布面は、塗布具部材がハウジング内に受容されているときにハウジングの壁と空間を形成することができる表面、特に陥凹部を有しない。特に、塗布面は、オリフィスに対して相対的に陥凹部を有しない。なぜなら、陥凹部が存在すると、塗布具とハウジングの仕切り壁との間に空洞が形成される可能性があり、この空洞の内側に製品が溜まる可能性があり、これは望ましくないためである。
【００５６】
好ましくは、塗布具部材は、特に丸みを帯びた先端を有する略円錐形状または略半球形状を有する。このような形状は、特に口唇への塗布に適している。
【００５７】
より好ましくは、オリフィスは、塗布具が容器上に固定されると塗布面によって塞がれる。これにより、塗布具が閉鎖位置にあるとき、オリフィスを通した化粧料組成物のいかなる漏出も防止することが可能になる。
【００５８】
さらに有利には、塗布面は、塗布具が容器上に固定されると、少なくとも部分的にハウジングの壁に当たって変形し、塗布具部材は、わずかに圧縮される。したがって、化粧料組成物の特徴に応じて、吸い上げ作用を追加し、組成物の拡散を促すことを可能にするために、塗布具部材をわずかな圧縮下に配置することが可能である。この圧縮は、塗布具部材によるオリフィスの閉塞も向上させる。
【００５９】
本発明は、添付の図面の観点から、以下に示す詳細な説明を読むことでより明確に理解されるであろう。
−  図１は、本発明による包装および塗布用組立体の概略縦断面図である。
−  図２は、図１の組立体を備える塗布具部材の概略縦断面図である。
−  図３は、図２の塗布具部材のハウジングを形成するリングの概略縦断面図である。
−  図４は、図３のリングの上方から見た概略図である。
【００６０】
図１は、化粧料組成物Ｐを包装および塗布するための組立体１を示す。
【００６１】
組立体１は、塗布される化粧料組成物Ｐを収容する貯留器３を形成する本体２と、少なくとも１つの頂点５１を有する凸型の塗布面５０を画定する塗布具部材５を含む塗布具４とを含む。
【００６２】
本体２は、前記貯留器３の開口部２２の境界を定める、固定されていない上端２１を有する。より具体的には、開口部２２は、本体２の筒状首部２４の固定されていない上端に位置する。
【００６３】
本体２は、対称回転体である。開口部２２は、円形の断面を有する。当然のことながら、他の形状も想定することができる。
【００６４】
本体２は、開口部２２において、塗布具部材５を受容することができるハウジング７を有し、前記ハウジング７は、少なくとも部分的に貯留器３の仕切り壁８によって境界が定められている。
【００６５】
本出願によれば、仕切り壁８は、貯留器３と直接流体連通する少なくとも１つの貫通オリフィス９を有する。
【００６６】
仕切り壁８は、図示したように、貯留器３に取り付けることができ、または貯留器の本体を成形することにより単一部品として作製することもできる。
【００６７】
その場合、仕切り壁８は、開口部２２に載置されているリング６０に保持される。
【００６８】
リング６０は、任意の手段、特にクリップ固定または接着結合によって本体２上に装着することができる。これは、取り外し可能であってもまたは取り外し不可能であってもよい。
【００６９】
その場合、リング６０は、筒状首部２４と接することができる。
【００７０】
その場合、リング６０は、一緒に取付裾部を画定する外周壁６１および内周壁６２を含む。
【００７１】
取付裾部は、製品に対する密封性も確保する。
【００７２】
別法として、仏国特許第２９６２８９０号明細書の図１０Ｊに示されているリングも想定することができる。
【００７３】
塗布具４は、特に、塗布具部材５が装着される把持部４１を含む。
【００７４】
把持部４１は、キャップを形成し、かつ取り外し可能な方法でリング６の上側周壁６３上部と接することができ、したがって貯留器３を密閉する。より具体的には、リング６の周壁６３は、外側に雄ネジのネジ山６４を有し、このネジ山６４は、把持部の内側の相補的な雌ネジのネジ山６５と協働することができる。
【００７５】
非使用時かつ把持部４１がリング６上に螺合されると、塗布具部材５は、ハウジング７内に受容される（図１）。
【００７６】
本出願によれば、塗布具部材５は、開放気孔多孔質材料、例えば、発泡体から作製されている。
【００７７】
特に、塗布具部材５は、特にＳ９０タイプ（ＤＩＮ標準４１０２−９）のポリウレタンフォームから作製されている。
【００７８】
塗布具部材５は、任意の知られている手段、特に組立、クリップ固定またはスナップ固定によって把持部４１に装着される。
【００７９】
その場合、塗布具部材５は、把持部の対応する支柱４２に差し込まれる実質的に円筒形の脚部５５を有する。支柱４２の底壁４３は、固定面を底上げしている。底壁４３は、平行移動も防止する。
【００８０】
塗布具部材５は、脚部５５の反対側において、塗布面５１を画定する頭部５６を有する。頭部５６は、略円錐形を有する。頭部５６は、頂点５１を形成する丸みを帯びた固定されていない端部または点を有する。その場合、頂点５１は、結果として絶対頂点である。
【００８１】
頭部５６は、直径が脚部５５の直径よりもわずかに大きく、したがって支柱４２の縁部を支えることができるショルダー部５４を有する底部を有する。このショルダー部５７により、特に塗布具部材により、高い強度を付与することが可能となる。
【００８２】
ハウジング７は、頭部５６と実質的に相補的な形状を有するように適合されている。
【００８３】
図１に示すように、塗布具４が貯留器３上に固定され、かつ塗布具部材５がハウジング内の所定位置にあるとき、頂点５１は、わずかに圧縮される。
【００８４】
塗布面５１は植毛加工されていることにも留意されたい。ブラシ毛の適用には、乾燥後に比較的高い剛性を示す接着剤を利用することができる。したがって、接着剤を乾燥させることにより、塗布具部材５に剛性が付与される。
【００８５】
上に示したように、ハウジング７は、貫通孔を有する仕切り壁８を介して、常時開口しているオリフィス９を通過することにより、貯留器３の内部と連通している。
【００８６】
本出願によれば、オリフィス９は、前記塗布具部材５が、貯留器３を形成する本体２のハウジング７内に配置されると、塗布具部材５の頂点５１の近傍に対するハウジングの少なくとも１つの底部のみに位置する。
【００８７】
その場合、壁８は、３つのオリフィス９を有する。オリフィス９は、壁８の底部の中心に近接してかつその周りに等間隔に分布されている。オリフィスは、実質的に円形の断面を有する。その場合、オリフィスの直径は、１．５ｍｍである。
【００８８】
したがって、オリフィスの表面積の総和は、約５．３ｍｍ２である。好ましくは、開口部の表面積の総和は、５．５ｍｍ２未満である。各開口部の表面積の総和は、閉塞現象を制限またはさらに防止するのにも十分なものである。
【００８９】
各オリフィス９の中心は、塗布具部材の頂点５１に対向する底部の中心から４．５ｍｍの距離に位置する。好ましくは、オリフィスは、底部の中心から５ｍｍ未満に位置する。
【００９０】
塗布具部材５は、有利には、塗布具４が貯留器３上の所定位置にあるときに壁８の全てのオリフィスを塞ぐ。これは、塗布具で前記ハウジングを閉鎖すると、ハウジングから余分な組成物がこぼれなくなるために有用であり得る。
【００９１】
有利には、貯留器３は、少なくとも１種の混合要素、特に少なくとも１種の混合ビーズ（図示せず）を含む。
【００９２】
包装および塗布用組立体１は、次に示すように使用される。
【００９３】
組立体１が閉鎖配置にあるため、使用者は、この組立体を振とうまたは上下反転させることができる。
【００９４】
そのようにすることで、製品は、仕切り壁８のオリフィス９から噴出し、塗布具部材５の塗布面の頂点５１に非常に局所的に染み込む。
【００９５】
数回振とうした後、使用者は、塗布具４のネジを緩め、前記塗布具４の把持部４１を把持して貯留器３から外す。そうすることにより、塗布具部材５は、ハウジング７から抜き取られ、塗布面が使用者に接触できるようになり、使用者は、塗布を実施することができる。
【００９６】
その場合、使用者は、被覆される塗布面（例えば、口唇表面）に塗布具部材の頂端部を接触させて、化粧料組成物をその上に付着させる。
【００９７】
適切な場合、前記使用者は、塗布面の側面部分を利用して色調を抑えるかまたは組成物を広げることができる。
【００９８】
組成物
先に示したように、組成物、特に直前に説明した器具に使用される組成物は、エマルジョンの形態である。
【００９９】
「液体」という語は、２５℃において、粘度がより詳細には０．００５〜１２Ｐａ．ｓ、好ましくは０．０１〜１０Ｐａ．ｓ、さらにより有利には０．０５〜８Ｐａ．ｓである液状の触感を意味することを意図している。
【０１００】
好ましくは、本発明による組成物の２５℃における粘度は、０．１〜６Ｐａ．ｓである。
【０１０１】
粘度測定手順：
粘度測定は、一般に、２５℃において、Ｎｏ．２または３のスピンドルを取り付けたＲｈｅｏｍａｔ  ＲＭ１８０粘度計を用いて配合物中でスピンドルを２００回転／分（ｒｐｍ）の剪断速度で回転させてから１０分後に実施する。
【０１０２】
組成物は、順相（水中油型）または逆相（油中水型）エマルジョンの形態であり得る。
【０１０３】
本発明の好ましい一実施形態によれば、組成物は、逆相（油中水型）エマルジョンの形態である。
【０１０４】
さらに、本発明による組成物は、水に加えて、少なくとも１種の特定の皮膜形成ポリマーおよび少なくとも不揮発性油を含み、その一方は、極性炭化水素系不揮発性油から選択され、その他方は、好ましくはジメチコン断片を含まない不揮発性フェニルシリコーン油から選択される。
【０１０５】
本発明による組成物は、他のさらなる無極性炭化水素系油または不揮発性非フェニルシリコーン油を含むこともできる。
【０１０６】
不揮発性油の総含有量は、好ましくは、組成物の質量に対して６質量％〜２０質量％を占め、さらなる特定の実施形態によれば、６質量％〜１５質量％である。
【０１０７】
極性不揮発性炭化水素系油
先に示したように、本発明による器具に使用される組成物は、少なくとも１種の極性不揮発性炭化水素系油を含む。
【０１０８】
「油」という語は、２５℃および大気圧（１．０１３×１０５Ｐａ）下で液体である水不混和性非水性化合物を意味することを意図している。
【０１０９】
「不混和」という語は、等量の水および油を混合して撹拌した後、上述の温度および圧力条件下で単一相のみを含む安定な溶液を生成しないことを意味することを意図している。観察は、肉眼でまたは必要に応じて位相差顕微鏡を使用することにより、混合物に渦流が生じる（指示により２００〜１０００回転／分）まで十分なＲａｙｎｅｒｉ撹拌を行った後、得られた混合物を密閉したフラスコ内で観察前に常温で２４時間静置することにより得られる混合物１００ｇについて実施する。
【０１１０】
「不揮発性油」という語は、２５℃および大気圧下における蒸気圧がゼロではなく、１０−３ｍｍＨｇ（０．１３Ｐａ）未満である油を意味することを意図している。
【０１１１】
「炭化水素系油」という語は、炭素原子および水素原子と、任意選択的に酸素原子および窒素原子とから基本的に形成されているか、または炭素原子および水素原子と、任意選択的に酸素原子および窒素原子から構成される場合さえある、いかなるケイ素原子もフッ素原子も含まない油を意味することを意図している。
【０１１２】
これは、アルコール基、エステル基、エーテル基、カルボン酸基、アミン基および／またはアミド基を含み得る。
【０１１３】
好ましくは、炭化水素系油は、ケイ素もフッ素も含まないことに加えて、窒素、硫黄、リン等のヘテロ原子も含まない。したがって、炭化水素系油は、シリコーン油およびフッ素系油と異なる。
【０１１４】
この場合、極性不揮発性炭化水素系油は、少なくとも１個の酸素原子を含む。
【０１１５】
特に、この不揮発性炭化水素系油は、少なくとも１個のアルコール基（その場合、これは「アルコール油」となる）および／または少なくとも１個のエステル基（その場合、これは「エステル油」となる）を含む。
【０１１６】
本発明による組成物に使用することができるエステル油は、特にヒドロキシル化され得る。
【０１１７】
本発明による組成物は、特に次に示すものから選択される、１種以上の不揮発性炭化水素系油を含み得る：
−  Ｃ１０〜Ｃ２６アルコール、好ましくは１価アルコール。
より詳細には、Ｃ１０〜Ｃ２６アルコールは、飽和または不飽和の分岐または非分岐であり、１０〜２６個の炭素原子を含む。
【０１１８】
好ましくは、Ｃ１０〜Ｃ２６アルコールは、脂肪族アルコールであり、少なくとも１６個の炭素原子を含む場合、好ましくは分岐である。
【０１１９】
本発明により使用することができる脂肪族アルコールの例として、合成由来または天然由来の直鎖または分岐の脂肪族アルコール、例えば植物性材料（ココヤシ、アブラヤシ核、アブラヤシ等）または動物性材料（牛脂等）から誘導されたアルコールを挙げることができる。
【０１２０】
言うまでもなく、他の長鎖アルコール、例えばエーテルアルコールまたは「ゲルベ」アルコールも使用することができる。
【０１２１】
最後に、天然由来、例えばココヤシ（Ｃ１２〜Ｃ１６）もしくは牛脂（Ｃ１６〜Ｃ１８）由来の様々な鎖長を有するアルコールの特定の画分、またはジオール型もしくはコレステロール型の化合物も利用することができる。
【０１２２】
好ましくは、１０〜２４個の炭素原子を有する脂肪族アルコールが使用される。
【０１２３】
好ましく使用することができる脂肪族アルコールの具体例として、特にラウリルアルコール、イソステアリルアルコール、オレイルアルコール、２−ブチルオクタノール、２−ウンデシルペンタデカノール、２−ヘキシルデシルアルコール、イソセチルアルコール、オクチルドデカノールおよびこれらの混合物を挙げることができる。
【０１２４】
−  任意選択的にヒドロキシル化されている、Ｃ２〜Ｃ８モノカルボン酸またはポリカルボン酸とＣ２〜Ｃ８アルコールとのモノエステル、ジエステルまたはトリエステル。
特に、
任意選択的にヒドロキシル化されている、Ｃ２〜Ｃ８カルボン酸とＣ２〜Ｃ８アルコールとのモノエステル、
任意選択的にヒドロキシル化されている、Ｃ２〜Ｃ８ジカルボン酸とＣ２〜Ｃ８アルコールとのジエステル、例えばアジピン酸ジイソプロピル、アジピン酸２−ジエチルヘキシル、アジピン酸ジブチル、アジピン酸ジイソステアリルまたはコハク酸２−ジエチルヘキシル、
任意選択的にヒドロキシル化されている、Ｃ２〜Ｃ８トリカルボン酸とＣ２〜Ｃ８アルコールとのトリエステル、例えばクエン酸エステル、例えばクエン酸トリオクチル、クエン酸トリエチル、アセチルクエン酸トリブチル、クエン酸トリブチルまたはアセチルクエン酸トリブチル。
【０１２５】
−  Ｃ２〜Ｃ８ポリオールと１種以上のＣ２〜Ｃ８カルボン酸とのエステル、例えば１価酸のグリコールジエステル、例えばジヘプタン酸ネオペンチルグリコール、または１価酸のグリコールトリエステル、例えばトリアセチン。
【０１２６】
−  特に１８〜７０個の炭素原子を有するエステル油。
言及され得る例として、モノエステル、ジエステルまたはトリエステルを挙げることができる。
【０１２７】
エステル油は、ヒドロキシル化されていてもヒドロキシル化されていなくてもよい。
【０１２８】
不揮発性エステル油は、例えば、次に示すものから選択され得る。
【０１２９】
全体で１８〜４０個の炭素原子を有するモノエステル、特に式Ｒ１ＣＯＯＲ２（式中、Ｒ１は、４〜４０個の炭素原子を有する飽和または不飽和の直鎖または分岐または芳香族脂肪酸残基を表し、およびＲ２は、特に分岐の、４〜４０個の炭素原子を含む炭化水素系鎖を表し、但し、Ｒ１＋Ｒ２≧１８である）のモノエステル、例えばＰｕｒｃｅｌｌｉｎ油（オクタン酸セトステアリル）、イソノナン酸イソノニル、安息香酸アルキル（Ｃ１２−Ｃ１５）、パルミチン酸２−エチルヘキシル、ネオペンタン酸オクチルドデシル、ステアリン酸２−オクチルドデシル、エルカ酸２−オクチルドデシル、イソステアリン酸イソステアリル、安息香酸２−オクチルドデシル、アルコールまたは多価アルコールのオクタン酸エステル、デカン酸エステルまたはリシノール酸エステル、ミリスチン酸イソプロピル、パルミチン酸イソプロピル、ステアリン酸ブチル、ラウリン酸ヘキシル、パルミチン酸２−エチルヘキシル、ラウリン酸２−ヘキシルデシル、パルミチン酸２−オクチルデシルまたはミリスチン酸２−オクチルドデシル。
【０１３０】
好ましくは、これらは、式Ｒ１ＣＯＯＲ２（式中、Ｒ１は、４〜４０個の炭素原子を含む直鎖または分岐の脂肪酸残基を表し、およびＲ２は、特に分岐の、４〜４０個の炭素原子を含む炭化水素系鎖を表し、Ｒ１およびＲ２は、Ｒ１＋Ｒ２≧１８となるものである）のエステルである。
【０１３１】
さらにより詳細には、エステルは、全体で１８〜４０個の炭素原子を含む。
【０１３２】
好ましいモノエステルとしては、イソノナン酸イソノニル、エルカ酸オレイルおよび／またはネオペンタン酸２−オクチルドデシルを挙げることができる。
【０１３３】
脂肪酸のモノエステル、特に１８〜２２個の炭素原子を有する脂肪酸、特にラノリン酸、オレイン酸、ラウリン酸またはステアリン酸とジオールとのモノエステル、例えばプロピレングリコールモノイソステアリン酸エステル。
【０１３４】
ジエステル、特に全体で１８〜６０個の炭素原子を有し、特に全体で１８〜５０個の炭素原子を有するジエステル。特に、ジカルボン酸とモノアルコールとのジエステル（好ましくはリンゴ酸ジイソステアリル等）、またはモノカルボン酸のグリコールジエステル（ジヘプタン酸ネオペンチルグリコール、ジオクタン酸プロピレングリコール、ジイソノナン酸ジエチレングリコール、またはジイソステアリン酸ポリグリセリル−２（特にＡｌｚｏ社からＤｅｒｍｏｌ  ＤＧＤＩＳの商品記号で販売されている化合物等））を利用することができる。
【０１３５】
好ましくは炭素の総数が１８〜７０個の範囲である、ヒドロキシル化されたモノエステルおよびジエステル、例えばジイソステアリン酸ポリグリセリル−３、乳酸イソステアリル、ヒドロキシステアリン酸オクチル、ヒドロキシステアリン酸オクチルドデシル、リンゴ酸ジイソステアリルまたはステアリン酸グリセリル。
【０１３６】
特に全体で３５〜７０個の炭素原子を含むトリエステル、特にトリカルボン酸のトリエステル等（クエン酸トリイソステアリルまたはトリメリト酸トリデシル等）、または１価カルボン酸のグリコールトリエステル（トリイソステアリン酸ポリグリセリル−２等）。
【０１３７】
特に炭素の総数が３５〜７０個の範囲であるテトラエステル、例えばモノカルボン酸のペンタエリスリトールまたはポリグリセロールテトラエステル（例えば、テトラペラルゴン酸ペンタエリスリチル、テトライソステアリン酸ペンタエリスリチル、テトライソノナン酸ペンタエリスリチル、トリス（２−デシル）テトラデカン酸グリセリル、テトライソステアリン酸ポリグリセリル−２またはテトラキス（２−デシル）テトラデカン酸ペンタエリスリチル）。
【０１３８】
不飽和脂肪酸二量体および／または三量体と、ジオール（特許出願仏国特許第０８５３６３４号明細書に記載されているもの等）、特にジリノール酸と、１，４−ブタンジオールとの縮合により得られるポリエステル。これに関して、特にＢｉｏｓｙｎｔｈｉｓからＶｉｓｃｏｐｌａｓｔ  １４４３６Ｈの名称で販売されているもの（ＩＮＣＩ名：（ジリノール酸／ブタンジオール）コポリマー）またはポリオールと二酸二量体とのコポリマーおよびそのエステル（Ｈａｉｌｕｃｅｎｔ  ＩＳＤＡ等）を挙げることができる。
【０１３９】
二量体化ジオールとモノカルボン酸またはジカルボン酸とのエステルおよびポリエステル、例えば二量体化ジオールと脂肪酸とのエステル、ならびにジオール二量体とジカルボン酸二量体とのエステル（特に二量体化ジカルボン酸、特に不飽和脂肪酸（特にＣ８〜Ｃ３４、特にＣ１２〜Ｃ２２、詳細にはＣ１６〜Ｃ２０、より詳細にはＣ１８）の二量体化により誘導される二量体化ジカルボン酸から得ることができるもの、例えばダイマージリノール酸とダイマージリノレイルアルコールとのエステル、例えばＮｉｐｐｏｎ  Ｆｉｎｅ  Ｃｈｅｍｉｃａｌ社からＬｕｓｐｌａｎ  ＤＤ−ＤＡ５（登録商標）およびＤＤ−ＤＡ７（登録商標）の商品名で販売されているもの）。
【０１４０】
少なくとも１種のヒドロキシル化されたカルボン酸のトリグリセリドを、任意選択的に不飽和である脂肪族モノカルボン酸および脂肪族ジカルボン酸でエステル化することによりもたらされるポリエステル、例えばＺｅｎｉｔｅｃｈからＺｅｎｉｇｌｏｓｓの品名で販売されている（イソステアリン酸／コハク酸）ヒマシ油。
【０１４１】
炭化水素系植物油、例えば脂肪酸トリグリセリド（常温下で液体であるもの）、特に７〜４０個の炭素原子を含む脂肪酸（ヘプタン酸トリグリセリド、オクタン酸トリグリセリド等）またはホホバ油；特に飽和トリグリセリド、例えばトリ（カプリル酸／カプリン酸）グリセリルおよびこれらの混合物（例えば、ＣｏｇｎｉｓからＭｙｒｉｔｏｌ  ３１８の商品記号で販売されている製品等）、トリヘプタン酸グリセリル、トリオクタン酸グリセリルおよびＣ１８〜３６酸トリグリセリド（Ｓｔｅａｒｉｎｅｒｉｅｓ  ＤｕｂｏｉｓからＤｕｂ  ＴＧＩ  ２４の商品記号で販売されているもの等）、ならびに不飽和トリグリセリド（ヒマシ油、オリーブ油、ハマナツメモドキ（ｘｉｍｅｎｉａ）油、ペンタクレスラマクロロバ種子油（ｐｒａｃａｘｉ  ｏｉｌ）等）を挙げることができる。
【０１４２】
−  （ビニルピロリドン／１−ヘキサデセン）コポリマー、例えばＩＳＰ社からＡｎｔａｒｏｎ  Ｖ−２１６の名称で販売されている製品（Ｇａｎｅｘ  Ｖ２１６としても知られる）（ＭＷ＝７３００ｇ／ｍｏｌ）。
【０１４３】
−  Ｃ１２〜Ｃ２６脂肪酸、好ましくは不飽和の好ましくはＣ１２〜Ｃ２２脂肪酸（オレイン酸、リノール酸またはリノレン酸およびこれらの混合物等）。
【０１４４】
−  炭酸ジアルキル、２個のアルキル鎖は同一であるかまたは異なり得る（ＣｏｇｎｉｓからＣｅｔｉｏｌ  ＣＣ（登録商標）の名称で販売されている炭酸ジカプリリル等）。
【０１４５】
−  およびこれらの混合物。
【０１４６】
極性不揮発性炭化水素系油としては、２０〜２６個の炭素原子を有する少なくとも１種の脂肪族アルコール、特にオクチルドデカノールが好ましくは使用される。
【０１４７】
好ましくは、極性不揮発性炭化水素系油の含有量は、組成物の質量に対して５質量％〜１５質量％、好ましくは６質量％〜１２質量％である。
【０１４８】
不揮発性フェニルシリコーン油
本発明による器具に使用される組成物は、好ましくはジメチコン断片を有しない少なくとも１種の不揮発性フェニルシリコーン油をさらに含む。
【０１４９】
「シリコーン油」という語は、少なくとも１個のケイ素原子、特にＳｉ−Ｏ基を含む油を意味することを意図している。
【０１５０】
「フェニルシリコーン油」という表現は、少なくとも１種のフェニル置換基を有するシリコーン油を表す。
【０１５１】
「ジメチコン断片」という語は、ケイ素原子が２個のメチル基を有している、分子末端に位置しない２価のシロキサン基を表すことに留意されたい。これは下式によって表すことができる：−（Ｓｉ（ＣＨ３）２−Ｏ）−。
【０１５２】
シリコーン油の分子量は、一般に、１５００００ｇ／ｍｏｌ以下、好ましくは１０００００ｇ／ｍｏｌ以下、さらにより良好には１００００ｇ／ｍｏｌ以下である。質量平均分子量は、この分野における従来法により、例えば静的光散乱を接続したゲル浸透クロマトグラフィー（ＧＰＣ−ＭＡＬＬＳ）を用いて測定される。
【０１５３】
したがって、不揮発性フェニルシリコーン油は、次に示すものから選択することができる。
【０１５４】
−  任意選択的に、下式（Ｉ）：
【化１】
2019512321.tif 000003
（式中、Ｒ基は、１価または２価であり、互いに独立に、メチル、メチレン、フェニルまたはフェニレンを表し、但し、少なくとも１個のＲ基は、フェニルを表す）に対応するジメチコン断片を有するフェニルシリコーン油。
【０１５５】
好ましくは、この式中、フェニルシリコーン油は、少なくとも３個のフェニル基、例えば少なくとも４個、少なくとも５個または少なくとも６個のフェニル基を含む。
【０１５６】
−  任意選択的に、下式（ＩＩ）：
【化２】
2019512321.tif 000004
（式中、Ｒ基は、互いに独立に、メチルまたはフェニルを表し、但し、少なくとも１個のＲ基は、フェニルを表す）に対応するジメチコン断片を有するフェニルシリコーン油。
【０１５７】
好ましくは、この式中、式（ＩＩ）の化合物は、少なくとも３個のフェニル基、例えば少なくとも４個または少なくとも５個のフェニル基を含む。
【０１５８】
上に述べた異なるフェニルオルガノポリシロキサン化合物の混合物を使用することもできる。
【０１５９】
その例として、トリフェニル−、テトラフェニル−またはペンタフェニルオルガノポリシロキサンを含む混合物を挙げることができる。
【０１６０】
より詳細には、式（ＩＩ）の化合物の中でも、式（ＩＩ）（式中、少なくとも４個または少なくとも５個のＲ基は、フェニル基を表し、残りの基は、メチルを表す）に対応するジメチコン断片を有しないフェニルシリコーン油を挙げることができる。
【０１６１】
この種の不揮発性フェニルシリコーン油は、好ましくは、トリメチルペンタフェニルトリシロキサンまたはテトラメチルテトラフェニルトリシロキサンである。これらは、特にＤｏｗ  ＣｏｒｎｉｎｇからＰＨ−１５５５  ＨＲＩまたはＤｏｗ  Ｃｏｒｎｉｎｇ  ５５５  Ｃｏｓｍｅｔｉｃ  Ｆｌｕｉｄの商品記号で販売されている（化学名：１，３，５−トリメチル−１，１，３，５，５−ペンタフェニルトリシロキサン；ＩＮＣＩ名：トリメチルペンタフェニルトリシロキサン）。あるいは、Ｄｏｗ  ＣｏｒｎｉｎｇからＤｏｗ  Ｃｏｒｎｉｎｇ  ５５４  Ｃｏｓｍｅｔｉｃ  Ｆｌｕｉｄの商品記号で販売されているテトラメチルテトラフェニルトリシロキサンも使用することができる。
【０１６２】
これらは、特に下式（ＩＩＩ）および（ＩＩＩ’）：
【化３】
2019512321.tif 000005
（式中、Ｍｅは、メチルを表し、およびＰｈは、フェニルを表す）に対応する。
【０１６３】
−  下式（ＩＶ）：
【化４】
2019512321.tif 000006
（式中、Ｍｅは、メチルを表し、ｙは、１〜１０００であり、およびＸは、−ＣＨ２−ＣＨ（ＣＨ３）（Ｐｈ）を表す）に対応する少なくとも１つのジメチコン断片を有するフェニルシリコーン油。
【０１６４】
−  下式（Ｖ）：
【化５】
2019512321.tif 000007
（式中、
−  Ｒ１〜Ｒ１０は、互いに独立に、飽和または不飽和の直鎖、環状または分岐のＣ１〜Ｃ３０炭化水素系基であり、
−  ｍ、ｎ、ｐおよびｑは、互いに独立に、０〜９００の整数であり、但し、ｍ＋ｎ＋ｑの総和は０ではない）に対応するフェニルシリコーン油およびこれらの混合物。
【０１６５】
好ましくは、ｍ＋ｎ＋ｑの総和は１〜１００である。有利には、ｍ＋ｎ＋ｐ＋ｑの総和は１〜９００であり、好ましくは１〜８００である。
【０１６６】
好ましくは、ｑは０である。
【０１６７】
より詳細には、Ｒ１〜Ｒ１０は、互いに独立に、飽和または不飽和、好ましくは飽和の直鎖または分岐のＣ１〜Ｃ３０炭化水素系基、特に、好ましくは飽和Ｃ１〜Ｃ２０、特にＣ１〜Ｃ１８炭化水素系基を表すか、または単環もしくは多環Ｃ６〜Ｃ１４、特にＣ１０〜Ｃ１３アリール基もしくはアラルキル基（そのアルキル部分は、好ましくはＣ１〜Ｃ３アルキル部分である）を表す。
【０１６８】
好ましくは、Ｒ１〜Ｒ１０は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。特に、Ｒ１〜Ｒ１０は、同一であり得、加えてメチル基であり得る。
【０１６９】
式（Ｖ）の特定の実施形態として、次に示すものを挙げることができる：
任意選択的に、下式（ＶＩ）：
【化６】
2019512321.tif 000008
（式中、
□Ｒ１〜Ｒ６は、互いに独立に、飽和または不飽和の直鎖、環状または分岐Ｃ１〜Ｃ３０炭化水素系基、好ましくはＣ６〜Ｃ１４アリール基またはアラルキル基（そのアルキル部分はＣ１〜Ｃ３アルキルである）であり、
□ｍ、ｎおよびｐは、互いに独立に、０〜１００の整数であり、但し、ｎ＋ｍの総和は１〜１００である）に対応する少なくとも１つのジメチコン断片を有するフェニルシリコーン油およびこれらの混合物。
【０１７０】
好ましくは、Ｒ１〜Ｒ６は、互いに独立に、Ｃ１〜Ｃ２０、特にＣ１〜Ｃ１８炭化水素系基、好ましくはアルキル基を表すか、または単環（好ましくはＣ６アリール基）もしくは多環のＣ６〜Ｃ１４、特にＣ１０〜Ｃ１３アリール基もしくはアラルキル基（好ましくは、アリール部分はＣ６アリール部分であり、アルキル部分はＣ１〜Ｃ３アルキル部分である）を表す。
【０１７１】
好ましくは、Ｒ１〜Ｒ６は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。
【０１７２】
式（ＶＩ）において、特に、Ｒ１〜Ｒ６は、同一であり得、加えてメチル基であり得る。好ましくは、ｍ＝１もしくは２もしくは３、および／またはｎ＝０、および／またはｐ＝０もしくは１を適用することができる。
【０１７３】
特定の実施形態によれば、不揮発性フェニルシリコーン油は、少なくとも１つのジメチコン断片を有するフェニルシリコーン油から選択される。
【０１７４】
好ましくは、この種の油は、式（ＶＩ）
（式中、
□ｍ＝０であり、かつｎおよびｐは、互いに独立に、１〜１００の整数である。好ましくは、Ｒ１〜Ｒ６はメチル基である。この実施形態によれば、シリコーン油は、好ましくは、Ｓｈｉｎ−ＥｔｓｕからのＫＦ−５４（４００ｃＳｔ）、Ｓｈｉｎ−ＥｔｓｕからのＫＦ−５４ＨＶ（５０００ｃＳｔ）、Ｓｈｉｎ−ＥｔｓｕからのＫＦ−５０−３００ＣＳ（３００ｃＳｔ）、Ｓｈｉｎ−ＥｔｓｕからのＫＦ−５３（１７５ｃＳｔ）、Ｓｈｉｎ−ＥｔｓｕからのＫＦ−５０−１００ＣＳ（１００ｃＳｔ）等のジフェニルジメチコンから選択される。
□ｐは、１〜１００であり、ｎ＋ｍの総和は１〜１００であり、かつｎ＝０である）の化合物に対応する。
【０１７５】
これらのフェニルシリコーン油は、任意選択的に、より具体的には、下式（ＶＩＩ）：
【化７】
2019512321.tif 000009
（式中、Ｍｅは、メチルであり、Ｐｈは、フェニルであり、ＯＲ’は、−ＯＳｉＭｅ３基を表し、およびｐは、０であるかまたは１〜１０００であり、およびｍは、１〜１０００である）に対応する少なくとも１つのジメチコン断片を有する。特に、ｍおよびｐは、化合物（ＶＩＩ）が不揮発性油となるようなものである。
【０１７６】
少なくとも１つのジメチコン断片を有する不揮発性フェニルシリコーンの第１の実施形態によれば、ｐは、１〜１０００であり、およびｍは、より具体的には、化合物（ＶＩＩ）が不揮発性油となるものである。例えば、特にＷａｃｋｅｒからＢｅｌｓｉｌ  ＰＤＭ  １０００の商品記号で販売されているトリメチルシロキシフェニルジメチコンを利用することができる。
【０１７７】
ジメチコン断片を有しない不揮発性フェニルシリコーンの第２の実施形態によれば、ｐは、０であり、およびｍは、１〜１０００であり、特に化合物（ＶＩＩ）が不揮発性油となるものである。
【０１７８】
フェニルトリメチルシロキシトリシロキサン、特に例えばＤｏｗ  Ｃｏｒｎｉｎｇ  ５５６  Ｃｏｓｍｅｔｉｃ  Ｇｒａｄｅ  Ｆｌｕｉｄ  （ＤＣ５５６）の商品記号で販売されているものを使用することができる。
【０１７９】
下式（ＶＩＩＩ）：
【化８】
2019512321.tif 000010
（式中、
−  Ｒは、互いに独立に、飽和または不飽和の直鎖、環状または分岐のＣ１〜Ｃ３０炭化水素系基であり、好ましくは、Ｒは、Ｃ１〜Ｃ３０アルキル基、好ましくはＣ６〜Ｃ１４アリール基またはアラルキル基（そのアルキル部分はＣ１〜Ｃ３アルキルである）であり、
−  ｍおよびｎは、互いに独立に、０〜１００の整数であり、但し、ｎ＋ｍの総和は１〜１００である）に対応するジメチコン断片を有しない不揮発性フェニルシリコーン油およびこれらの混合物。
【０１８０】
好ましくは、Ｒは、互いに独立に、飽和または不飽和、好ましくは飽和の直鎖または分岐のＣ１〜Ｃ３０炭化水素系基、特に好ましくは飽和のＣ１〜Ｃ２０、特にＣ１〜Ｃ１８、より詳細にはＣ４〜Ｃ１０炭化水素系基、単環または多環Ｃ６〜Ｃ１４、特にＣ１０〜Ｃ１３アリール基またはアラルキル基（好ましくは、そのアリール部分はＣ６アリールであり、アルキル部分はＣ１〜Ｃ３アルキルである）を表す。
【０１８１】
好ましくは、Ｒ基は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。
【０１８２】
Ｒ基は、特に同一であり得、加えてメチル基であり得る。
【０１８３】
好ましくは、式（ＶＩＩＩ）において、ｍ＝１もしくは２もしくは３、および／またはｎ＝０、および／またはｐ＝０もしくは１を適用することができる。
【０１８４】
好ましい一実施形態によれば、式（ＶＩＩＩ）において、ｎは、０〜１００の整数であり、およびｍは、１〜１００の整数であり、但し、ｎ＋ｍの総和は１〜１００である。好ましくは、Ｒはメチル基である。
【０１８５】
一実施形態によれば、２５℃における粘度が５〜１５００ｍｍ２／ｓ（すなわち５〜１５００ｃＳｔ）であり、好ましくは粘度が５〜１０００ｍｍ２／ｓ（すなわち５〜１０００ｃＳｔ）である式（ＶＩＩＩ）のフェニルシリコーン油を使用することができる。
【０１８６】
この実施形態によれば、不揮発性フェニルシリコーン油は、好ましくはＤｏｗ  ＣｏｒｎｉｎｇからのＤＣ５５６（２２．５ｃＳｔ）等のフェニルトリメチコン（ｎ＝０の場合）から、またはＳｈｉｎ−ＥｔｓｕからのＫＦ−５６ＡもしくはＲｈｏｎｅ−ＰｏｕｌｅｎｃからのＳｉｌｂｉｏｎｅ  ７０６６３Ｖ３０油（２８ｃＳｔ）等のジフェニルシロキシフェニルトリメチコン油（ｍおよびｎが１〜１００である場合）から選択される。括弧内の値は、２５℃における粘度を表す。
【０１８７】
−  任意選択的に、下式：
【化９】
2019512321.tif 000011
（式中、
Ｒ１、Ｒ２、Ｒ５およびＲ６は、同一であっても異なっていてもよく、１〜６個の炭素原子を含むアルキル基であり、
Ｒ３およびＲ４は、同一であっても異なっていてもよく、１〜６個の炭素原子を含むアルキル基であるか、またはアリール基（好ましくはＣ６〜Ｃ１４アリール基）であり、但し、Ｒ３およびＲ４の少なくとも１種はフェニル基であり、
Ｘは、１〜６個の炭素原子を含むアルキル基、ヒドロキシル基またはビニル基であり、
ｎおよびｐは、１以上の整数であり、油の質量平均分子量が好ましくは１５００００ｇ／ｍｏｌ未満、より好ましくは１０００００ｇ／ｍｏｌ未満となるように選択される）に対応する少なくとも１つのジメチコン断片を有するフェニルシリコーン油およびこれらの混合物。
【０１８８】
−  およびこれらの混合物。
【０１８９】
好ましくは、本発明に関連して使用される組成物は、ジメチコン断片を有しない不揮発性フェニルシリコーン油を含む。
【０１９０】
より詳細には、ジメチコン断片を有しない不揮発性フェニルシリコーン油は、シリコーンがジメチコン断片を有しないようなＲ基を有する（Ｉ）；シリコーンがジメチコン断片を有しないようなＲ基を有する（ＩＩ）、特に式（ＩＩＩ）および（ＩＩＩ’）；ｐ＝０である（Ｖ）；ｐ＝０である（ＶＩ）；ｐ＝０である（ＶＩＩ）；（ＶＩＩＩ）；シリコーンがジメチコン断片を有しないようなＲ基を有する（ＩＸ）；またはこれらの混合物から選択される。
【０１９１】
さらに好ましくは、不揮発性フェニルシリコーン油は、式（ＩＩ）のもの、より詳細には、式（ＩＩＩ）または（ＩＩＩ’）の不揮発性フェニルシリコーン油から選択される。
【０１９２】
本発明の特定の実施形態によれば、好ましくはジメチコン断片を有しない不揮発性フェニルシリコーン油の含有量は、組成物の質量に対して１質量％〜８質量％の範囲、好ましくは１．５質量％〜５質量％の範囲である。
【０１９３】
さらなる不揮発性油
不揮発性非フェニルシリコーン油
本発明の組成物は、任意選択的に、不揮発性非フェニルシリコーン油から選択される少なくとも１種のさらなる不揮発性油を含み得る。
【０１９４】
「非フェニルシリコーン油」という表現は、フェニル置換基を含まないシリコーン油を指す。
【０１９５】
このような不揮発性非フェニルシリコーン油の代表例として、ポリジメチルシロキサン；アルキルジメチコン；ビニルメチルメチコン；加えて、脂肪族基ならびに／またはヒドロキシル基、チオール基および／もしくはアミン基等の官能基、好ましくはヒドロキシル基で変性されたシリコーンを挙げることができる。
【０１９６】
「ジメチコン」（ＩＮＣＩ名）は、ポリジメチルシロキサン（化学名）に対応することに留意されたい。
【０１９７】
特に、これらの油は、次に示す不揮発性油から選択することができる：
−  ポリジメチルシロキサン（ＰＤＭＳ）、
−  シリコーン鎖に懸垂しておりかつ／または末端に位置する脂肪族基、特にアルキル基またはアルコキシ基（これらの基は、それぞれ２〜２４個の炭素原子を含む）を含むアルキルジメチコン。その例として、Ｅｖｏｎｉｋ  ＧｏｌｄｓｃｈｍｉｄｔからＡｂｉｌ  Ｗａｘ  ９８０１の商品記号で販売されているセチルジメチコンを挙げることができ、
−  ヒドロキシル基、チオール基および／またはアミン基等の官能基、好ましくはヒドロキシル基を含むＰＤＭＳ、
−  シリコーン鎖に懸垂しておりかつ／または末端に位置する脂肪族基（特にＣ２〜Ｃ２４基）と、ヒドロキシル基、チオール基および／またはアミン基等の官能基、好ましくはヒドロキシル基とで置換されているポリジメチルシロキサン、
−  脂肪酸または脂肪族アルコールで変性されたポリシロキサン、および
−  これらの混合物。
【０１９８】
好ましくは、これらの不揮発性非フェニルシリコーン油は、ポリジメチルシロキサン；アルキルジメチコンに加えて、脂肪族基（特にＣ２〜Ｃ２４アルキル基）およびヒドロキシル基等の官能基で置換されたポリジメチルシロキサンから選択される。
【０１９９】
不揮発性非フェニルシリコーン油は、特に式（Ｉ）：
【化１０】
2019512321.tif 000012
（式中、
−  Ｒ１、Ｒ２、Ｒ５およびＲ６は、一緒にまたは個別に、１〜６個の炭素原子を含むアルキル基であり、
−  Ｒ３およびＲ４は、一緒にまたは個別に、１〜６個の炭素原子を含むアルキル基またはヒドロキシル基であり、
−  Ｘは、１〜６個の炭素原子を含むアルキル基、ヒドロキシル基であり、
−  ｎおよびｐは、２５℃における粘度が特に８センチストークス（ｃＳｔ）（８×１０−６ｍ２／ｓ）〜１０００００ｃＳｔとなり、有利には、質量平均分子量が１５００００ｇ／ｍｏｌ以下、好ましくは１０００００ｇ／ｍｏｌ以下、さらにより良好には１００００ｇ／ｍｏｌ以下となる液状化合物が得られるように選択される整数である）のシリコーンから選択することができる。
【０２００】
本発明の実施に好適な不揮発性非フェニルシリコーン油として、次に示すものを挙げることができる：
−  Ｒ１〜Ｒ６およびＸ置換基は、メチル基を表し、かつｐおよびｎは、粘度が６００００ｃＳｔとなるようなもの（例えば、Ｄｏｗ  ＣｏｒｎｉｎｇからＤｏｗ  Ｃｏｒｎｉｎｇ  ２００  Ｆｌｕｉｄ  ６００００  ＣＳの名称で販売されている製品およびＷａｃｋｅｒからＷａｃｋｅｒ  Ｂｅｌｓｉｌ  ＤＭ  ６００００の名称で販売されている製品）、
−  Ｒ１〜Ｒ６およびＸ置換基は、メチル基を表し、かつｐおよびｎは、粘度が１００ｃＳｔまたは３５０ｃＳｔとなるようなもの（例えば、それぞれＤｏｗ  ＣｏｒｎｉｎｇからＢｅｌｓｉｌ  ＤＭ１００およびＤｏｗ  Ｃｏｒｎｉｎｇ  ２００  Ｆｌｕｉｄ  ３５０  ＣＳの名称で販売されている製品）、および
−  Ｒ１〜Ｒ６置換基は、メチル基を表し、Ｘ基は、ヒドロキシル基を表し、かつｎおよびｐは、粘度が７００ｃＳｔとなるようなもの（例えば、ＭｏｍｅｎｔｉｖｅからＢａｙｓｉｌｏｎｅ  Ｆｌｕｉｄ  Ｔ０．７の名称で販売されている製品）。
【０２０１】
無極性不揮発性炭化水素系油
本発明による組成物は、少なくとも１種のさらなる無極性不揮発性炭化水素系油も含み得る。
【０２０２】
これらの油は、植物由来、鉱物由来または合成由来の油であり得る。
【０２０３】
「無極性炭化水素系油」という語は、本発明の趣旨の範囲内では、その構造内に炭素原子および水素原子のみを含む油を意味することを意図している。
【０２０４】
より詳細には、無極性不揮発性炭化水素系油は、鉱物由来または合成由来の直鎖または分岐炭化水素であり、例えば次に示すものから選択される：
−  流動パラフィンまたはその誘導体（鉱物油）、
−  スクワラン、
−  イソエイコサン、
−  ナフタレン油、
−  ポリブテン、例えばＡｍｏｃｏ社から販売されているＩｎｄｏｐｏｌ  Ｈ−１００、Ｉｎｄｏｐｏｌ  Ｈ−３００、またはＩｎｄｏｐｏｌ  Ｈ−１５００等、
−  ポリイソブテンおよび水添ポリイソブテン、特にＮｉｐｐｏｎ  Ｏｉｌ  Ｆａｔｓから販売されている製品であるＰａｒｌｅａｍ（登録商標）、Ａｍｏｃｏ社から販売されているＰａｎａｌａｎｅ  Ｈ−３００  Ｅ、Ｓｙｎｔｅａｌ社から販売されているＶｉｓｅａｌ  ２００００、Ｗｉｔｃｏ社から販売されているＲｅｗｏｐａｌ  ＰＩＢ  １０００、またはＮＯＦ  Ｃｏｒｐｏｒａｔｉｏｎから販売されているＰａｒｌｅａｍ  Ｌｉｔｅ等、
−  デセン／ブテンコポリマーおよびポリブテン／ポリイソブテンコポリマー、特にＩｎｄｏｐｏｌ  Ｌ−１４、
−  ポリデセンおよび水添ポリデセン、例えば特にＥｘｘｏｎＭｏｂｉｌ  Ｃｈｅｍｉｃａｌ社から販売されているＰｕｒｅｓｙｎ  １０、Ｐｕｒｅｓｙｎ  １５０またはＰｕｒｅｓｙｎ  ６等、および
−  これらの混合物。
【０２０５】
使用される組成物中にこれらが存在する場合、その含有量は、不揮発性油の総含有量（換言すれば、少なくとも１つのジメチコン断片を有するかまたは有しない、極性もしくは無極性またはフェニルもしくは非フェニルシリコーン炭化水素系油）が組成物の質量に対して６質量％〜２０質量％、好ましくは６質量％〜１５質量％で変動するようなものである。
【０２０６】
不揮発性フッ素系油
「フッ素系油」という語は、少なくとも１個のフッ素原子を含む油を意味することを意図している。
【０２０７】
フッ素系油の例として、フルオロシリコーン油、フッ素化ポリエーテル、フッ素系シリコーン、特に欧州特許出願公開第Ａ−８４７７５２号明細書に記載されているもの、およびパーフルオロ化合物を挙げることができる。
【０２０８】
パーフルオロ化合物は、本発明によれば、全ての水素原子がフッ素原子に置き換わっている化合物を意味することを意図している。
【０２０９】
好ましい実施形態によれば、フッ素系油はパーフルオロ油から選択される。
【０２１０】
パーフルオロ油の例として、パーフルオロデカリンおよびパーフルオロパーヒドロフェナントレンを挙げることができる。
【０２１１】
好ましい実施形態によれば、フッ素系油は、パーフルオロパーヒドロフェナントレン、特にＣｒｅａｔｉｏｎｓ  Ｃｏｕｌｅｕｒｓから販売されている製品であるＦｉｆｌｏｗ（登録商標）から選択される。特に、Ｆ２  Ｃｈｅｍｉｃａｌｓ社からＦｉｆｌｏｗ  ２２０の商品記号で販売されているフッ素系油（ＩＮＣＩ名：パーフルオロパーヒドロフェナントレン）を利用することができる。
【０２１２】
カルボシロキサンデンドリマー単位を含む皮膜形成剤
さらに、本発明による組成物は、少なくとも１種のカルボシロキサンデンドリマー系単位を含むビニルポリマーから選択される少なくとも１種の皮膜形成剤を含む。
【０２１３】
より詳細には、皮膜形成剤の含有量は、活性物質が組成物の質量の０．５質量％〜３０質量％、好ましくは１質量％〜２０質量％となる量である。
【０２１４】
「被膜形成」ポリマーという語は、単独でまたは皮膜形成助剤の存在下において、支持体、特にケラチン物質上に連続した付着物を形成することができるポリマーを意味することを意図している。
【０２１５】
ビニルポリマーは、主鎖と、カルボシロキサンデンドリマー構造を有するカルボシロキサンデンドリマー系単位を含む少なくとも１種の側鎖とを有する。
【０２１６】
本発明に関連する「カルボシロキサンデンドリマー構造」とは、高分子量の分岐基を有する分子構造であって、主鎖への結合を始点として半径方向に高い規則性を有する分子構造を表す。この種のカルボシロキサンデンドリマー構造は、特願平９−１７１１５４号明細書において、高度に分岐したシロキサン−シリルアルキレンコポリマーの形態で記載されている。
【０２１７】
本発明によるビニルポリマーは、次に示す一般式（Ｉ）：
【化１１】
2019512321.tif 000013
（式中、
−  Ｒ１は、５〜１０個の炭素原子を有するアリール基、または１〜１０個の炭素原子を有するアルキル基を表し、
−  Ｘｉは、シリルアルキル基であって、ｉ＝１の場合、式（ＩＩ）：
【化１２】
2019512321.tif 000014
（式中、
・Ｒ１は、式（Ｉ）において上で定義されるようなものであり、
・Ｒ２は、２〜１０個の炭素原子を有するアルキレン基を表し、
・Ｒ３は、１〜１０個の炭素原子を有するアルキル基を表し、
・Ｘｉ＋ｉは、水素原子、１〜１０個の炭素原子を含有するアルキル基、５〜１０個の炭素原子を含有するアリール基、および式（ＩＩ）の上で定義されたシリルアルキル基（ここで、ｉ＝ｉ＋１である）から選択され、
・ｉは、前記シリルアルキル基の世代を表す１〜１０の整数であり、および
・ａｉは、０〜３の整数である）によって表されるシリルアルキル基であり、
−  Ｙは、
・メタクリル基またはアクリル基を含む有機基であって、式：
【化１３】
2019512321.tif 000015
（式中、
Ｒ４は、水素原子、または１〜１０個の炭素原子を有するアルキル基を表し、および
Ｒ５は、１〜１０個の炭素原子を有するアルキレン基、例えばメチレン基、エチレン基、プロピレン基またはブチレン基を表し、好ましくはメチレン基およびプロピレン基である）によって表される有機基、および
・式：
【化１４】
2019512321.tif 000016
（式中、
Ｒ６は、水素原子、または１〜１０個の炭素原子を有するアルキル基、例えばメチル基、エチル基、プロピル基またはブチル基を表し、好ましくはメチル基であり、
Ｒ７は、１〜１０個の炭素原子を有するアルキル基を表し、
Ｒ８は、１〜１０個の炭素原子を有するアルキレン基、例えばメチレン基、エチレン基、プロピレン基またはブチレン基を表し、好ましくはエチレン基であり、
ｂは、０〜４の整数であり、および
ｃは、０または１であり、それにより、ｃが０である場合、−（Ｒ８）ｃ−は、結合を表す）のスチリル基を含む有機基
から選択される放射状に重合することが可能な有機基を表す）によって表すことができるカルボシロキサンデンドリマーから誘導された単位を含み得る。
【０２１８】
一実施形態によれば、Ｒ１は、５〜１０個の炭素原子を有するアリール基を表すか、または１〜１０個の炭素原子を有するアルキル基を表すことができる。アルキル基は、好ましくは、メチル基、エチル基、プロピル基、ブチル基、ペンチル基、イソプロピル基、イソブチル基、シクロペンチル基またはシクロヘキシル基を表すことができる。アリール基は、好ましくは、フェニル基およびナフチル基を表すことができる。メチル基およびフェニル基がさらにより好ましく、メチル基が最も好ましい。
【０２１９】
一実施形態によれば、Ｒ２は、２〜１０個の炭素原子を有するアルキレン基、特に直鎖アルキレン基、例えばエチレン基、プロピレン基、ブチレン基もしくはヘキシレン基を表すか、または分岐アルキレン基、例えばメチルメチレン基、メチルエチレン基、１−メチルペンチレン基または１，４−ジメチルブチレン基を表す。
【０２２０】
エチレン基、メチルエチレン基、ヘキシレン基、１−メチルペンチレン基および１，４−ジメチルブチレン基が最も好ましい。
【０２２１】
一実施形態によれば、Ｒ３は、メチル基、エチル基、プロピル基、ブチル基およびイソプロピル基から選択される。
【０２２２】
式（ＩＩ）において、ｉは世代数を表す。したがって、これは、シリルアルキル基の繰り返し数に対応する。
【０２２３】
例えば、世代数が１に等しい場合、カルボシロキサンデンドリマーは、次に示す一般式：
【化１５】
2019512321.tif 000017
（式中、Ｙ、Ｒ１、Ｒ２およびＲ３は、上に定義されるようなものであり、Ｒ１２は、水素原子を表すかまたはＲ１と同じであり、およびａ１は、ａｉと同じである）によって表すことができる。好ましくは、分子内全体のＯＲ３基の平均個数は０〜７の範囲内である。
【０２２４】
世代数が２に等しい場合、カルボシロキサンデンドリマーは、次に示す一般式：
【化１６】
2019512321.tif 000018
（式中、Ｙ、Ｒ１、Ｒ２、Ｒ３およびＲ１２は、上に定義されるようなものであり、ａ１およびａ２は、指示された世代のａｉを表す）によって表すことができる。好ましくは、分子内全体のＯＲ３基の平均個数は０〜２５の範囲内である。
【０２２５】
世代数が３に等しい場合、カルボシロキサンデンドリマーは、次に示す一般式：
【化１７】
2019512321.tif 000019
（式中、Ｙ、Ｒ１、Ｒ２、Ｒ３およびＲ１２は、上に定義されるようなものであり、ａ１、ａ２およびａ３は、指示された世代のａｉを表す）によって表すことができる。好ましくは、分子内全体のＯＲ３基の平均個数は０〜７９の範囲内である。
【０２２６】
カルボシロキサンデンドリマーから誘導された少なくとも１種の単位を有するビニルポリマーは、カルボシロキサンデンドリマー構造を含む分子側鎖を有し、
（Ａ）０〜９９．９質量部のビニルモノマーと、
（Ｂ）１００〜０．１質量部の、上に定義された一般式（Ｉ）によって表される、放射状に重合することが可能な有機基を含むカルボシロキサンデンドリマーと
の重合から得ることができる。
【０２２７】
カルボシロキサンデンドリマーから誘導された少なくとも１種の単位を有するビニルポリマーにおける成分（Ａ）であるビニル型のモノマーは、放射状に重合可能なビニル基を含むビニル型のモノマーである。
【０２２８】
この種のモノマーに関して特に制限はない。
【０２２９】
このビニル型のモノマーの例を次に示す：メタクリル酸メチル、メタクリル酸エチル、メタクリル酸ｎ−プロピル、メタクリル酸イソプロピルまたはメタクリル酸の低級アルキルエステル類縁体；メタクリル酸グリシジル；メタクリル酸ブチル、アクリル酸ブチル、メタクリル酸ｎ−ブチル、メタクリル酸イソブチル、アクリル酸ｔｅｒｔ−ブチル、メタクリル酸ｔｅｒｔ−ブチル、メタクリル酸ｎ−ヘキシル、メタクリル酸シクロヘキシル、アクリル酸２−エチルヘキシル、メタクリル酸２−エチルヘキシル、メタクリル酸オクチル、メタクリル酸ラウリル、アクリル酸ステアリル、メタクリル酸ステアリルまたは類似の高級メタクリル酸エステル；酢酸ビニル、プロピオン酸ビニルまたは類似の低級脂肪酸のビニルエステル；カプロン酸ビニル、ビニル２−エチルヘキソエート、ラウリン酸ビニル、ステアリン酸ビニルまたは類似の高級脂肪酸エステル；スチレン、ビニルトルエン、メタクリル酸ベンジル、メタクリル酸フェノキシエチル、ビニルピロリドンまたは類似のビニル芳香族モノマー；メタクリルアミド、Ｎ−メチロールメタクリルアミド、Ｎ−メトキシメチルメタクリルアミド、イソブトキシメトキシメタクリルアミド、Ｎ，Ｎ−ジメチルメタクリルアミドまたはアミド基を含む類似のビニル型モノマー；メタクリル酸ヒドロキシエチル、ヒドロキシプロピルアルコールメタクリル酸エステルまたはヒドロキシル基を含む類似のビニル型モノマー；アクリル酸、メタクリル酸、イタコン酸、クロトン酸、フマル酸、マレイン酸またはカルボン酸基を含む類似のビニル型モノマー；メタクリル酸テトラヒドロフルフリル、メタクリル酸ブトキシエチル、エトキシジエチレングリコールメタクリレート、ポリエチレングリコールメタクリレート、ポリプロピレングリコールモノメタクリレート、ヒドロキシブチルビニルエーテル、セチルビニルエーテル、２−エチルヘキシルビニルエーテルまたはエーテル結合を有する類似のビニル型モノマー；メタクリルオキシプロピルトリメトキシシラン、メタクリル基を一方の分子末端に含むポリジメチルシロキサン、スチリル基を一方の分子末端に含むポリジメチルシロキサン、または不飽和基を含む類似のシリコーン化合物；ブタジエン；塩化ビニル；塩化ビニリデン；メタクリロニトリル；フマル酸ジブチル；無水マレイン酸；無水コハク酸；メタクリルグリシジルエーテル；アミンの有機塩、メタクリル酸、イタコン酸、クロトン酸、マレイン酸またはフマル酸のアンモニウム塩およびアルカリ金属塩；スルホン酸基（スチレンスルホン酸基等）を含む放射状に重合可能な不飽和モノマー；メタクリル酸から誘導された第四級アンモニウム塩（２−ヒドロキシ−３−メタクリルオキシプロピルトリメチルアンモニウムクロリド等）；および第三級アミン基を含むアルコールのメタクリル酸エステル（ジエチルアミンのメタクリル酸エステル等）。
【０２３０】
ビニル型の多官能性モノマーも使用することができる。
【０２３１】
この種の化合物の例を次に示す：トリメチロールプロパントリメタクリレート、ペンタエリスリチルトリメタクリレート、エチレングリコールジメタクリレート、テトラエチレングリコールジメタクリレート、ポリエチレングリコールジメタクリレート、１，４−ブタンジオールジメタクリレート、１，６−ヘキサンジオールジメタクリレート、ネオペンチルグリコールジメタクリレート、エトキシ化トリメチロールプロパントリメタクリレート、イソシアヌル酸トリス（２−ヒドロキシエチル）ジメタクリル酸エステル、イソシアヌル酸トリス（２−ヒドロキシエチル）トリメタクリル酸エステル、ジビニルベンゼン基を有するスチリル基で両端を末端封止されたポリジメチルシロキサン、または不飽和基を含むシリコーン化合物類縁体。
【０２３２】
成分（Ｂ）であるカルボシロキサンデンドリマーは、上に定義された式（Ｉ）によって表すことができる。
【０２３３】
式（Ｉ）のＹ基の好ましい例を次に示す：アクリロイルオキシメチル基、３−アクリロイルオキシプロピル基、メタクリロイルオキシメチル基、３−メタクリロイルオキシプロピル基、４−ビニルフェニル基、３−ビニルフェニル基、４−（２−プロペニル）フェニル基、３−（２−プロペニル）フェニル基、２−（４−ビニルフェニル）エチル基、２−（３−ビニルフェニル）エチル基、ビニル基、アリル基、メタアリル基および５−ヘキセニル基。
【０２３４】
本発明によるカルボシロキサンデンドリマーは、下式：
【化１８Ａ】
2019512321.tif 000020
【化１８Ｂ】
2019512321.tif 000021
によって表すことができる平均構造を有する。
【０２３５】
したがって、一実施形態によれば、本発明による組成物のカルボシロキサンデンドリマーは、下式：
【化１９】
2019512321.tif 000022
（式中、
・Ｙ、Ｒ１、Ｒ２およびＲ３は、上の式（Ｉ）および（ＩＩ）において上に定義されるようなものであり、
・ａ１、ａ２およびａ３は、式（ＩＩ）のａｉの定義に対応し、および
・Ｒ１２は、Ｈ、５〜１０個の炭素原子を有するアリール基、または１〜１０個の炭素原子を有するアルキル基である）によって表される。
【０２３６】
一実施形態によれば、本発明による組成物のカルボシロキサンデンドリマーは、下式：
【化２０】
2019512321.tif 000023
の１種によって表される。
【０２３７】
本発明によるカルボシロキサンデンドリマーを含むビニルポリマーは、特願平９−１７１１５４号明細書に記載されている分岐シルアルキレンシロキサンを製造するための方法に従って製造することができる。
【０２３８】
カルボシロキサンデンドリマーを含むビニルポリマーの数平均分子量は、化粧品の出発物質を調製しやすくするために、３０００〜２００００００ｇ／ｍｏｌの範囲、好ましくは５０００〜８０００００ｇ／ｍｏｌの範囲から選択することができる。これは、液体、ガム状、ペースト状、固形、粉体または他の任意の形態であり得る。好ましい形態は、分散液または粉末を溶媒で希釈することにより得られる溶液である。
【０２３９】
このビニルポリマーは、分子側鎖にカルボシロキサンデンドリマー構造を有するビニル型のポリマーをシリコーン油、有機油、アルコール、水等の液体中に分散させた分散液であり得る。
【０２４０】
シリコーン油は、２つの分子末端がトリメチルシロキシ基で末端封止されたジメチルポリシロキサン、２つの分子末端がトリメチルシロキシ基で末端封止されたメチルフェニルシロキサンとジメチルシロキサンとのコポリマー、２つの分子末端がトリメチルシロキシ基で末端封止されたメチル（３，３，３−トリフルオロプロピル）シロキサンとジメチルシロキサンとのコポリマー、または類似の非反応性直鎖シリコーン油に加えて、ヘキサメチルシクロトリシロキサン、オクタメチルシクロテトラシロキサン、デカメチルシクロペンタシロキサン、ドデカメチルシクロヘキサシロキサンまたは類似の環状化合物であり得る。非反応性シリコーン油に加えて、シラノール基、アミノ基、ポリエーテル基等の官能基を末端に含むかまたは分子側鎖内に含む変性ポリシロキサンを使用することができる。
【０２４１】
有機油は、イソドデカン、流動パラフィン、イソパラフィン、ラウリン酸ヘキシル、ミリスチン酸イソプロピル、ミリスチン酸ミリスチル、ミリスチン酸セチル、ミリスチン酸２−オクチルドデシル；パルミチン酸イソプロピル、パルミチン酸２−エチルヘキシル、ステアリン酸ブチル、オレイン酸デシル、オレイン酸２−オクチルドデシル、乳酸ミリスチル、乳酸セチル、酢酸ラノリン、ステアリルアルコール、セトステアリルアルコール、オレイルアルコール、アボカド油、扁桃油、オリーブ油、カカオ油、ホホバ油、ゴム油、ヒマワリ油、大豆油、カメリア油、スクワラン、ヒマシ油、綿実油、ヤシ油、卵黄油、モノオレイン酸ポリプロピレングリコール、２−エチルヘキサン酸ネオペンチルグリコールまたは類似のグリコールエステル油；イソステアリン酸トリグリセリル、ヤシ油脂肪酸のトリグリセリドまたは類似の多価アルコールエステルの油；ポリオキシエチレンラウリルエーテル、ポリオキシプロピレンセチルエーテルまたは類似のポリオキシアルキレンエーテルであり得る。
【０２４２】
アルコールは、化粧品の出発物質と一緒に使用するのに適した任意の種類のものであり得る。例えば、これは、メタノール、エタノール、ブタノール、イソプロパノールまたは類似の低級アルコールであり得る。
【０２４３】
アルコールの溶液または分散液の２５℃における粘度は、１０〜１０９ｍＰａの範囲とすべきである。化粧品の使用感を向上するために、粘度は１００〜５×１０８ｍＰａ．ｓの範囲内にすべきである。
【０２４４】
この溶液および分散液は、カルボシロキサンデンドリマーから誘導された少なくとも１種の単位を有するビニルポリマーをシリコーン油、有機油、アルコールまたは水と混合することによって容易に調製することができる。重合段階に液体が存在し得る。この場合、未反応の残留ビニルモノマーは、溶液または分散液を大気圧下または減圧下で熱処理することによって完全に除去するべきである。
【０２４５】
分散液の場合、ビニル型のポリマーの分散性は、界面活性剤を添加することにより向上させることができる。
【０２４６】
この種の界面活性剤としては、ヘキシルベンゼンスルホン酸、オクチルベンゼンスルホン酸、デシルベンゼンスルホン酸、ドデシルベンゼンスルホン酸、セチルベンゼンスルホン酸、ミリスチルベンゼンスルホン酸またはこれらの酸のナトリウム塩であるアニオン性界面活性剤；オクチルトリメチルアンモニウムヒドロキシド、ドデシルトリメチルアンモニウムヒドロキシド、ヘキサデシルトリメチルアンモニウムヒドロキシド、オクチルジメチルベンジルアンモニウムヒドロキシド、デシルジメチルベンジルアンモニウムヒドロキシド、ジオクタデシルジメチルアンモニウムヒドロキシド、（牛脂アルキル）トリメチルアンモニウムヒドロキシド、（ヤシ油アルキル）トリメチルアンモニウムヒドロキシド、または類似のカチオン性界面活性剤；ポリオキシアルキレンアルキルエーテル、ポリオキシアルキレンアルキルフェノール、ポリオキシアルキレンアルキルエステル、ポリオキシアルキレンのソルビトールエステル、ポリエチレングリコール、ポリプロピレングリコール、ジエチレングリコールトリメチルノナノールのエチレンオキシド付加物およびポリエステル型の非イオン性界面活性剤に加えて混合物を用いることができる。
【０２４７】
分散液中のビニル型ポリマーの平均粒径は、０．００１〜１００ミクロンの範囲、好ましくは０．０１〜５０ミクロンの範囲であり得る。なぜなら、この推奨範囲を超えると、エマルジョンと混合された化粧品は、口唇に与える感触または触感が十分に優れたものにならないうえに、伸びが十分でなく、つけ心地も悪くなるためである。
【０２４８】
分散液または溶液に含まれるビニルポリマーは、０．１質量％〜９５質量％の範囲、好ましくは５質量％〜８５質量％の範囲の濃度を有し得る。しかしながら、混合物の取扱いおよび調製を容易にするために、この範囲は、好ましくは１０質量％〜７５質量％の範囲とすべきである。
【０２４９】
本発明に好適なビニルポリマーは、欧州特許出願公開第０９６３７５１号明細書の実施例に記載されているポリマーの１種とすることもできる。
【０２５０】
好ましい実施形態によれば、カルボシロキサンデンドリマーがグラフトされたビニルポリマーは、
（Ａ１）０〜９９．９質量部の１種以上のアクリル酸エステルまたはメタクリル酸エステルモノマーと、
（Ｂ１）１００〜０．１質量部のトリス［トリ（トリメチルシロキシ）シリルエチルジメチルシロキシ］シリルプロピルカルボシロキサンデンドリマーのアクリル酸エステルまたはメタクリル酸エステルモノマーと
の重合物であり得る。
【０２５１】
モノマー（Ａ１）および（Ｂ１）は、それぞれ特定のモノマー（Ａ）および（Ｂ）に対応する。
【０２５２】
一実施形態によれば、少なくとも１種のカルボシロキサンデンドリマー系単位を有するビニルポリマーは、式：
【化２１】
2019512321.tif 000024
の１種に対応するトリス［トリ（トリメチルシロキシ）シリルエチルジメチルシロキシ］シリルプロピルカルボシロキサンデンドリマー系単位を含み得る。
【０２５３】
好ましい態様によれば、本発明に使用される少なくとも１種のカルボシロキサンデンドリマー系単位を有するビニルポリマーは、少なくとも１種のアクリル酸ブチルモノマーを含み得る。
【０２５４】
一実施形態によれば、ビニルポリマーは、少なくとも１種のフッ素化された有機基も含む。
【０２５５】
重合したビニル単位が主鎖を構成し、カルボシロキサン樹状構造に加えてフッ素化された有機基が側鎖に結合している構造が特に好ましい。
【０２５６】
フッ素化された有機基は、メチル基、エチル基、プロピル基、イソプロピル基、ブチル基、イソブチル基、ｔｅｒｔ−ブチル基、ペンチル基、ネオペンチル基、ヘキシル基、シクロヘキシル基、ヘプチル基、オクチル基、ノニル基、デシル基、ウンデシル基、ドデシル基、トリデシル基、テトラデシル基、ヘキサデシル基およびオクタデシル基ならびに１〜２０個の炭素原子を有する他のアルキル基に加えて、６〜２２個の炭素原子を有するアルキルオキシアルキレン基の水素原子の全部または一部をフッ素原子に置き換えることによって得ることができる。
【０２５７】
アルキル基の水素原子をフッ素原子に置換することにより得られるフルオロアルキル基の例として、式−（ＣＨ２）ｘ−（ＣＦ２）ｙ−Ｒ１３によって表される基が提示される。この式において、添字「ｘ」は０、１、２または３であり、「ｙ」は１〜２０の整数である。Ｒ１３は、水素原子、フッ素原子、ＣＨ（ＣＦ３）２−またはＣＦ（ＣＦ３）２から選択される原子または基である。この種のフッ素で置換されたアルキル基の例として、以下に示す式によって表される直鎖または分岐のポリフルオロアルキル基またはパーフルオロアルキル基が挙げられる：−ＣＦ３、−Ｃ２Ｆ５、−ｎＣ３Ｆ７、−ＣＦ（ＣＦ３）２、−ｎＣ４Ｆ９、ＣＦ２ＣＦ（ＣＦ３）２、−ｎＣ５Ｆ１１、−ｎＣ６Ｆ１３、−ｎＣ８Ｆ１７、ＣＨ２ＣＦ３、−（ＣＨ（ＣＦ３）２、ＣＨ２ＣＨ（ＣＦ３）２、−ＣＨ２（ＣＦ２）２Ｆ、−ＣＨ２（ＣＦ２）３Ｆ、−ＣＨ２（ＣＦ２）４Ｆ、ＣＨ２（ＣＦ２）６Ｆ、ＣＨ２（ＣＦ２）８Ｆ、−ＣＨ２ＣＨ２ＣＦ３、−ＣＨ２ＣＨ２（ＣＦ２）２Ｆ、−ＣＨ２ＣＨ２（ＣＦ２）３Ｆ、−ＣＨ２ＣＨ２（ＣＦ２）４Ｆ、−ＣＨ２ＣＨ２（ＣＦ２）６Ｆ、−ＣＨ２ＣＨ２（ＣＦ２）８Ｆ、−ＣＨ２ＣＨ２（ＣＦ２）１０Ｆ、−ＣＨ２ＣＨ２（ＣＦ２）１２Ｆ、ＣＨ２ＣＨ２（ＣＦ２）１４Ｆ、−ＣＨ２ＣＨ２（ＣＦ２）１６Ｆ、−ＣＨ２ＣＨ２ＣＨ２ＣＦ３、−ＣＨ２ＣＨ２ＣＨ２（ＣＦ２）２Ｆ、−ＣＨ２ＣＨ２ＣＨ２（ＣＦ２）２Ｈ、−ＣＨ２（ＣＦ２）４Ｈおよび−ＣＨ２ＣＨ２（ＣＦ２）３Ｈ。
【０２５８】
アルキルオキシアルキレン基の水素原子をフッ素原子に置換することにより得られるフルオロアルキルオキシフルオロアルキレン基として、−ＣＨ２ＣＨ２−（ＣＦ２）ｍ−ＣＦＲ１４−［ＯＣＦ２ＣＦ（ＣＦ３）］ｎ−ＯＣ３Ｆ７によって表される基が提示される。この式中、添字「ｍ」は０または１であり、「ｎ」は０、１、２、３、４または５であり、Ｒ１４はフッ素原子またはＣＦ３である。この種のフルオロアルキルオキシフルオロアルキレン基の例として、以下に示す式によって表されるパーフルオロアルキルオキシフルオロアルキレン基が挙げられる：
−ＣＨ２ＣＨ２ＣＦ（ＣＦ３）−［ＯＣＦ２ＣＦ（ＣＦ３）］ｎ−ＯＣ３Ｆ７、−ＣＨ２ＣＨ２ＣＦ２ＣＦ２−［ＯＣＦ２ＣＦ（ＣＦ３）］ｎ−ＯＣ３Ｆ７。
【０２５９】
本発明に使用されるビニルポリマーの数平均分子量は、３０００〜２００００００ｇ／ｍｏｌ、より好ましくは５０００〜８０００００ｇ／ｍｏｌであり得る。
【０２６０】
この種のフッ素化されたビニルポリマーは、
−  フッ素化された有機基を有しないビニルモノマー（Ｍ２）を、
−  フッ素化された有機基を含むビニルモノマー（Ｍ１）と、
−  上に定義された一般式（Ｉ）の上に定義されたカルボシロキサンデンドリマー（Ｂ）とに、
これらを共重合に付すことによって付加することにより得ることができる。
【０２６１】
したがって、一実施形態によれば、本発明の組成物は、カルボシロキサンデンドリマーから誘導された少なくとも１種の単位を有するビニルポリマーを含み得、これは、上に定義されたビニルモノマー（Ｍ１）と、任意選択的に、上に定義されたビニルモノマー（Ｍ２）と、上に定義されたカルボシロキサンデンドリマー（Ｂ）とを共重合することにより得られる。前記ビニルポリマーのモノマー（Ｍ１）対モノマー（Ｍ２）の共重合比は、０．１〜１００：９９．９〜０質量％であり、モノマー（Ｍ１）および（Ｍ２）の総和対モノマー（Ｂ）の共重合比は０．１〜９９．９：９９．９〜０．１質量％である。
【０２６２】
フッ素化された有機基を分子内に含むビニルモノマー（Ｍ１）は、好ましくは、一般式：
（ＣＨ２）＝ＣＲ１５ＣＯＯＲｆ
によって表されるモノマーである。
【０２６３】
この式中、Ｒ１５は、水素原子またはメチル基であり、Ｒｆは、上述のフルオロアルキル基およびフルオロアルキルオキシフルオロアルキレン基で例示されるフッ素化された有機基である。以下に示す式によって表される化合物は、成分（Ｍ１）の具体例として示すものである。以下に示す式において、「ｚ」は１〜４の整数である。
ＣＨ２＝ＣＣＨ３ＣＯＯ−ＣＦ３、ＣＨ２＝ＣＣＨ３ＣＯＯ−Ｃ２Ｆ５、ＣＨ２＝ＣＣＨ３ＣＯＯ−ｎＣ３Ｆ７、
ＣＨ２＝ＣＣＨ３ＣＯＯ−ＣＦ（ＣＦ３）２、ＣＨ２＝ＣＣＨ３ＣＯＯ−ｎＣ４Ｆ９、
ＣＨ２＝ＣＣＨ３ＣＯＯ−ＣＦ（ＣＦ３）２、ＣＨ２＝ＣＣＨ３ＣＯＯ−ｎＣ５Ｆ１１、
ＣＨ２＝ＣＣＨ３ＣＯＯ−ｎＣ６Ｆ１３、ＣＨ２＝ＣＣＨ３ＣＯＯ−ｎＣ８Ｆ１７、ＣＨ２＝ＣＣＨ３ＣＯＯ−ＣＨ２ＣＦ３、
ＣＨ２＝ＣＣＨ３ＣＯＯ−ＣＨ（ＣＦ３）２、ＣＨ２＝ＣＣＨ３ＣＯＯ−ＣＨ２ＣＨ（ＣＦ３）２、
ＣＨ２＝ＣＣＨ３ＣＯＯ−ＣＨ２（ＣＦ２）２Ｆ、ＣＨ２＝ＣＣＨ３ＣＯＯ−ＣＨ２（ＣＦ２）２Ｆ、
ＣＨ２＝ＣＣＨ３ＣＯＯ−ＣＨ２（ＣＦ２）４Ｆ、ＣＨ２＝ＣＣＨ３ＣＯＯ−ＣＨ２（ＣＦ２）６Ｆ、
ＣＨ２＝ＣＣＨ３ＣＯＯ−ＣＨ２（ＣＦ２）８Ｆ、ＣＨ２＝ＣＣＨ３ＣＯＯ−ＣＨ２ＣＨ２ＣＦ３、
ＣＨ２＝ＣＣＨ３ＣＯＯ−ＣＨ２ＣＨ２（ＣＦ２）２Ｆ、ＣＨ２＝ＣＣＨ３ＣＯＯ−ＣＨ２ＣＨ２（ＣＦ２）３Ｆ、
ＣＨ２＝ＣＣＨ３ＣＯＯ−ＣＨ２ＣＨ２（ＣＦ２）４Ｆ、ＣＨ２＝ＣＣＨ３ＣＯＯ−ＣＨ２ＣＨ２（ＣＦ２）６Ｆ、
ＣＨ２＝ＣＣＨ３ＣＯＯ−ＣＨ２ＣＨ２（ＣＦ２）８Ｆ、ＣＨ２＝ＣＣＨ３ＣＯＯ−ＣＨ２ＣＨ２（ＣＦ２）１０Ｆ、
ＣＨ２＝ＣＣＨ３ＣＯＯ−ＣＨ２ＣＨ２（ＣＦ２）１２Ｆ、ＣＨ２＝ＣＣＨ３ＣＯＯ−ＣＨ２ＣＨ２（ＣＦ２）１４Ｆ、
ＣＨ２＝ＣＣＨ３ＣＯＯ−ＣＨ２−ＣＨ２−（ＣＦ２）１６Ｆ、ＣＨ２＝ＣＣＨ３ＣＯＯ−ＣＨ２ＣＨ２ＣＨ２ＣＦ３、
ＣＨ２＝ＣＣＨ３ＣＯＯ−ＣＨ２ＣＨ２ＣＨ２（ＣＦ２）２Ｆ、ＣＨ２＝ＣＣＨ３ＣＯＯ−ＣＨ２ＣＨ２ＣＨ２（ＣＦ２）２Ｈ、
ＣＨ２＝ＣＣＨ３ＣＯＯ−ＣＨ２（ＣＦ２）４Ｈ、ＣＨ２＝ＣＣＨ３ＣＯＯ−（ＣＦ２）３Ｈ、
ＣＨ２＝ＣＣＨ３ＣＯＯ−ＣＨ２ＣＨ２ＣＦ（ＣＦ３）−［ＯＣＦ２−ＣＦ（ＣＦ３）］ｚ−ＯＣ３Ｆ７、
ＣＨ２＝ＣＣＨ３ＣＯＯ−ＣＨ２ＣＨ２ＣＦ２ＣＦ２−［ＯＣＦ２−ＣＦ（ＣＦ３）］ｚ−ＯＣ３Ｆ７、
ＣＨ２＝ＣＨＣＯＯ−ＣＦ３、ＣＨ２＝ＣＨＣＯＯ−Ｃ２Ｆ５、ＣＨ２＝ＣＨＣＯＯ−ｎＣ３Ｆ７、
ＣＨ２＝ＣＨＣＯＯ−ＣＦ（ＣＦ３）２、ＣＨ２＝ＣＨＣＯＯ−ｎＣ４Ｆ９、ＣＨ２＝ＣＨＣＯＯ−ＣＦ２ＣＦ（ＣＦ３）２、
ＣＨ２＝ＣＨＣＯＯ−ｎＣ５Ｆ１１、ＣＨ２＝ＣＨＣＯＯ−ｎＣ６Ｆ１３、ＣＨ２＝ＣＨＣＯＯ−ｎＣ８Ｆ１７、
ＣＨ２＝ＣＨＣＯＯ−ＣＨ２ＣＦ３、ＣＨ２＝ＣＨＣＯＯ−ＣＨ（ＣＦ３）２、ＣＨ２＝ＣＨＣＯＯ−ＣＨ２ＣＨ（ＣＦ３）２、
ＣＨ２＝ＣＨＣＯＯ−ＣＨ２（ＣＦ２）２Ｆ、ＣＨ２＝ＣＨＣＯＯ−ＣＨ２（ＣＦ２）３Ｆ、
ＣＨ２＝ＣＨＣＯＯ−ＣＨ２（ＣＦ２）４Ｆ、ＣＨ２＝ＣＨＣＯＯ−ＣＨ２（ＣＦ２）６Ｆ、
ＣＨ２＝ＣＨＣＯＯ−ＣＨ２（ＣＦ２）８Ｆ、ＣＨ２＝ＣＨＣＯＯ−ＣＨ２ＣＨ２ＣＦ３、
ＣＨ２＝ＣＨＣＯＯ−ＣＨ２ＣＨ２（ＣＦ２）２Ｆ、ＣＨ２＝ＣＨＣＯＯ−ＣＨ２ＣＨ２（ＣＦ２）３Ｆ、
ＣＨ２＝ＣＨＣＯＯ−ＣＨ２ＣＨ２（ＣＦ２）４Ｆ、ＣＨ２＝ＣＨＣＯＯ−ＣＨ２ＣＨ２（ＣＦ２）６Ｆ、
ＣＨ２＝ＣＨＣＯＯ−ＣＨ２ＣＨ２（ＣＦ２）８Ｆ、ＣＨ２＝ＨＣＯＯ−ＣＨ２ＣＨ２（ＣＦ２）１０Ｆ、
ＣＨ２−ＣＨＣＯＯ−ＣＨ２ＣＨ２−（ＣＦ２）１２Ｆ、ＣＨ２＝ＣＨＣＯＯ−ＣＨ２ＣＨ２（ＣＦ２）１４Ｆ、
ＣＨ２＝ＣＨＣＯＯ−ＣＨ２ＣＨ２−（ＣＦ２）１６Ｆ、ＣＨ２＝ＣＨＣＯＯ−ＣＨ２ＣＨ２（ＣＦ２）３Ｆ、
ＣＨ２＝ＣＨＣＯＯ−ＣＨ２ＣＨ２ＣＨ２（ＣＦ２）２Ｆ、ＣＨ２＝ＣＨＣＯＯ−ＣＨ２ＣＨ２ＣＨ２（ＣＦ）２Ｈ、
ＣＨ２＝ＣＨＣＯＯ−ＣＨ２（ＣＦ２）４Ｈ、ＣＨ２＝ＣＨＣＯＯ−ＣＨ２ＣＨ２（ＣＦ２）３Ｈ、
ＣＨ２＝ＣＨＣＯＯ−ＣＨ２ＣＨ２ＣＦ（ＣＦ３）−、［ＯＣＦ２−ＣＦ（ＣＦ３）］Ｚ−ＯＣ３Ｆ７、
ＣＨ２＝ＣＨＣＯＯ−ＣＨ２ＣＨ２ＣＦ２ＣＦ２（ＣＦ３）−［ＯＣＦ２−ＣＦ（ＣＦ３）］２−ＯＣ３Ｆ７。
【０２６４】
これらの中でも、以下に示す式によって表されるビニルポリマーが好ましい：
ＣＨ２＝ＣＨＣＯＯ−ＣＨ２ＣＨ２（ＣＦ２）６Ｆ、ＣＨ２＝ＣＨＣＯＯ−ＣＨ２ＣＨ２（ＣＦ２）８Ｆ、
ＣＨ２＝ＣＣＨ３ＣＯＯ−ＣＨ２ＣＨ２（ＣＦ２）６Ｆ、ＣＨ２＝ＣＣＨ３ＣＯＯ−ＣＨ２ＣＨ２（ＣＦ２）８Ｆ、
ＣＨ２＝ＣＨＣＯＯ−ＣＨ２ＣＦ３、ＣＨ２＝ＣＣＨ３ＣＯＯ−ＣＨ２ＣＦ３。
【０２６５】
以下に示す式によって表されるビニルポリマーが特に好ましい：
ＣＨ２＝ＣＨＣＯＯ−ＣＨ２ＣＦ３、ＣＨ２＝ＣＣＨＣＯＯ−ＣＨ２ＣＦ３。
【０２６６】
分子内にフッ素化された有機基を含まないビニルモノマー（Ｍ２）は、放射状に重合可能なビニル基を有する任意のモノマーであり得、例えば次に示すものが例示される：アクリル酸メチル、メタクリル酸メチル、アクリル酸エチル、メタクリル酸エチル、アクリル酸ｎ−プロピル、メタクリル酸ｎ−プロピル、アクリル酸イソプロピル、メタクリル酸イソプロピルおよび他のアクリル酸またはメタクリル酸低級アルキルエステル；アクリル酸グリシジル、メタクリル酸グリシジル；アクリル酸ｎ−ブチル、メタクリル酸ｎ−ブチル、アクリル酸イソブチル、メタクリル酸イソブチル、アクリル酸ｔｅｒｔ−ブチル、メタクリル酸ｔｅｒｔ−ブチル、アクリル酸ｎ−ヘキシル、メタクリル酸ｎ−ヘキシル、アクリル酸シクロヘキシル、メタクリル酸シクロヘキシル、アクリル酸２−エチルヘキシル、メタクリル酸２−エチルヘキシル、アクリル酸オクチル、メタクリル酸オクチル、アクリル酸ラウリル、メタクリル酸ラウリル、アクリル酸ステアリル、メタクリル酸ステアリルおよび他の高級アクリル酸エステルおよびメタクリル酸エステル；酢酸ビニル、プロピオン酸ビニルおよび他の低級脂肪酸ビニルエステル；酪酸ビニル、カプロン酸ビニル、２−エチルヘキサン酸ビニル、ラウリン酸ビニル、ステアリン酸ビニルおよび他の高級脂肪酸エステル；スチレン、ビニルトルエン、アクリル酸ベンジル、メタクリル酸ベンジル、アクリル酸フェノキシエチル、メタクリル酸フェノキシエチル、ビニルピロリドンおよび他のビニル芳香族モノマー；アクリル酸ジメチルアミノエチル、メタクリル酸ジメチルアミノエチル、アクリル酸ジエチルアミノエチル、メタクリル酸ジエチルアミノエチルおよび他のアミノビニルモノマー、アクリルアミド、メタクリルアミド、Ｎ−メチロールアクリルアミド、Ｎ−メチロールメタクリルアミド、Ｎ−メトキシメチルアクリルアミド、Ｎ−メトキシメチルメタクリルアミド、イソブトキシメトキシアクリルアミド、イソブトキシメトキシメタクリルアミド、Ｎ，Ｎ−ジメチルアクリルアミド、Ｎ，Ｎ−ジメチルメタクリルアミドおよび他のビニルアミドモノマー；アクリル酸ヒドロキシエチル、メタクリル酸ヒドロキシエチル、アクリル酸ヒドロキシプロピルアルコール、メタクリル酸ヒドロキシプロピルアルコールおよび他のヒドロキシビニルモノマー；アクリル酸、メタクリル酸、イタコン酸、クロトン酸、フマル酸、マレイン酸および他のビニルカルボン酸モノマー；アクリル酸テトラヒドロフルフリル、メタクリル酸テトラヒドロフルフリル、アクリル酸ブトキシエチル、メタクリル酸ブトキシエチル、エトキシジエチレングリコールアクリレート、エトキシジエチレングリコールメタクリレート、ポリエチレングリコールアクリレート、ポリエチレングリコールメタクリレート、ポリプロピレングリコールモノアクリレート、ポリプロピレングリコールモノメタクリレート、ヒドロキシブチルビニルエーテル、セチルビニルエーテル、２−エチルヘキシルビニルエーテルおよび他のエーテル結合を有するビニルモノマー；アクリロイルオキシプロピルトリメトキシシラン、メタクリロイルオキシプロピルトリメトキシシラン、一方の末端にアクリロイル基またはメタクリロイル基を含むポリジメチルシロキサン、一方の末端にアルケニルアリール基を含むポリジメチルシロキサンおよび不飽和基を有する他のシリコーン化合物；ブタジエン；塩化ビニル；塩化ビニリデン、アクリロニトリル、メタクリロニトリル；フマル酸ジブチル；無水マレイン酸；ドデシルコハク酸無水物；アクリルグリシジルエーテル、メタクリルグリシジルエーテル、３，４−エポキシシクロヘキシルメチルアクリレート、３，４−エポキシシクロヘキシルメチルメタクリレート、アクリル酸、メタクリル酸、イタコン酸、クロトン酸、フマル酸、マレイン酸および他の放射状に重合可能な不飽和カルボン酸のアルカリ金属塩、アンモニウム塩および有機アミン塩、スルホン酸基を含む放射状に重合可能な不飽和モノマー（スチレンスルホン酸等）に加えてこれらのアルカリ金属塩、これらのアンモニウム塩およびこれらの有機アミン塩；アクリル酸またはメタクリル酸から生成する第四級アンモニウム塩（２−ヒドロキシ−３−メタクリロイルオキシプロピルトリメチルアンモニウムクロリド等）、第三級アミンアルコールのメタクリル酸エステル（メタクリル酸のジエチルアミンエステル等）およびこれらの第四級アンモニウム塩。
【０２６７】
さらに、ビニルモノマー（Ｍ２）として、多官能性ビニルモノマーを使用することも可能であり、例えば次に示すものが例示される：トリメチロールプロパントリアクリレート、トリメチロールプロパントリメタクリレート、ペンタエリスリチルトリアクリレート、ペンタエリスリチルトリメタクリレート、エチレングリコールジアクリレート、エチレングリコールジメタクリレート、テトラエチレングリコールジアクリレート、テトラエチレングリコールジメタクリレート、ポリエチレングリコールジアクリレート、ポリエチレングリコールジメタクリレート、１，４−ブタンジオールジアクリレート、１，４−ブタンジオールジメタクリレート、１，６−ヘキサンジオールジアクリレート、１，６−ヘキサンジオールジメタクリレート、ネオペンチルグリコールジアクリレート、ネオペンチルグリコールジメタクリレート、エトキシ化トリメチロールプロパントリアクリレート、エトキシ化トリメチロールプロパントリメタクリレート、イソシアヌル酸トリス（２−ヒドロキシエチル）ジアクリル酸エステル、イソシアヌル酸トリス（２−ヒドロキシエチル）ジメタクリル酸エステル、イソシアヌル酸トリス（２−ヒドロキシエチル）トリアクリル酸エステル、イソシアヌル酸トリス（２−ヒドロキシエチル）トリメタクリル酸エステル、分子鎖の２つの末端がアルケニルアリール基で封止されているポリジメチルシロキサン、および不飽和基を有する他のシリコーン化合物。
【０２６８】
（Ｍ１）および（Ｍ２）を共重合する際の上述の比率に関し、（Ｍ１）対（Ｍ２）の質量比は、好ましくは１：９９〜１００：０の範囲である。
【０２６９】
Ｙは、例えば、アクリル基またはメタクリル基を有する有機基、２〜１０個の炭素原子を有するアルケニルアリール基、またはアルケニル基を有する有機基から選択することができる。
【０２７０】
アクリル基またはメタクリル基を有する有機基、およびアルケニルアリール基を有する有機基は、上に定義された通りである。
【０２７１】
化合物（Ｂ）の中でも、例えば次に示す化合物：
【化２２】
2019512321.tif 000025
を挙げることができる。
【０２７２】
カルボシロキサンデンドリマー（Ｂ）は、欧州特許出願公開第１０５５６７４号明細書に記載されている分岐シロキサン／シルアルキレンコポリマーを調製するための方法を用いて調製することができる。
【０２７３】
例えば、これらは、有機アルケニルシリコーン化合物および上に定義された式（ＩＶ）によって表されるケイ素に結合した水素原子を含むシリコーン化合物をヒドロシリル化反応に付すことによって調製することができる。
【０２７４】
モノマー（Ｂ）対モノマー（Ｍ１）および（Ｍ２）の共重合比（質量による）は、好ましくは、１：９９〜９９：１の範囲であり、さらに好ましくは５：９５〜９５：５の範囲である。
【０２７５】
成分（Ｍ２）中に含まれる、アミノ基を含むビニルモノマー（アクリル酸ジメチルアミノエチル、メタクリル酸ジメチルアミノエチル、アクリル酸ジエチルアミノエチル、メタクリル酸ジエチルアミノエチル等）を用いてアミノ基をビニルポリマーの側鎖に導入することができ、続いてモノクロロ酢酸カリウム、モノクロロ酢酸アンモニウム、モノクロロ酢酸のアミノメチルプロパノール塩、モノブロモ酢酸のトリエタノールアミン塩、モノクロロプロピオン酸ナトリウム、および他のハロゲン化脂肪酸のアルカリ金属塩で変性するか、他に成分（Ｍ２）中に含まれる、カルボン酸を含むビニルモノマー（アクリル酸、メタクリル酸、イタコン酸、クロトン酸、フマル酸、マレイン酸等）を用いてカルボン酸基をビニルポリマーの側鎖に導入することができ、続いて生成物をトリエチルアミン、ジエチルアミン、トリエタノールアミンおよび他のアミンで中和する。
【０２７６】
フッ素化されたビニルポリマーとして、国際公開第０３／０４５３３７号パンフレットの実施例に記載されているポリマーの１種を用いることができる。
【０２７７】
好ましい実施形態によれば、本発明の意味におけるグラフトされたビニルポリマーは、好ましくは揮発性の特にシリコーン油および炭化水素系油およびこれらの混合物から選択される油または油の混合物中に保持することができる。
【０２７８】
特定の実施形態によれば、本発明に使用するのに好適なシリコーン油はシクロペンタシロキサンであり得る。
【０２７９】
他の特定の実施形態によれば、本発明に使用するのに好適な炭化水素系油はイソドデカンであり得る。
【０２８０】
本発明に特に好適であり得る少なくとも１種のカルボシロキサンデンドリマー系単位をグラフトしたビニルポリマーは、ＩＮＣＩ名が（アクリレーツ／メタクリル酸ポリトリメチルシロキシ）コポリマーであるポリマーであり、特にＤｏｗ  Ｃｏｒｎｉｎｇ社からＦＡ  ４００２  ＩＤ  Ｓｉｌｉｃｏｎｅ  ＡｃｒｙｌａｔｅおよびＦＡ  ４００１  ＣＭ  Ｓｉｌｉｃｏｎｅ  Ａｃｒｙｌａｔｅの名称で販売されている。
【０２８１】
一実施形態によれば、本発明による組成物は、少なくとも１種のカルボシロキサンデンドリマー系単位を有するビニルポリマーを、前記組成物の質量に対して活性物質含有量が０．５質量％〜２０質量％、特に１質量％〜１５質量％、より詳細には１．５質量％〜１０質量％、好ましくは３％〜５質量％となるように含む。
【０２８２】
界面活性剤
本発明の特定の実施形態によれば、組成物は少なくとも１種の界面活性剤を含む。
【０２８３】
界面活性剤または界面活性剤の混合物は、組成物の質量に対して０．０５質量％〜２０質量％、好ましくは０．５質量％〜１０質量％で存在することができる。
【０２８４】
より詳細には、好適な界面活性剤は、非イオン性、アニオン性、カチオン性および両性界面活性剤ならびにこれらの混合物から選択することができる。
【０２８５】
これらの界面活性剤を選択することを目的として、界面活性剤の特性および機能（乳化）を明確にするために、文献“Ｅｎｃｙｃｌｏｐｅｄｉａ  ｏｆ  Ｃｈｅｍｉｃａｌ  Ｔｅｃｈｎｏｌｏｇｙ，Ｋｉｒｋ−Ｏｔｈｍｅｒ”，ｖｏｌｕｍｅ  ２２，ｐｐ．３３３−４３２，３ｒｄ  ｅｄｉｔｉｏｎ，１９７９，Ｗｉｌｅｙ、特にこの参考文献のアニオン性および非イオン性界面活性剤に関するｐｐ．３４７−３７７を参照することができる。
【０２８６】
順相エマルジョン（水中油型；Ｏ／Ｗ）の生成を促進する界面活性剤
水中油型エマルジョンの生成を促進するのに好適な界面活性剤の中でも、次に示す化合物を挙げることができる。
【０２８７】
非イオン性界面活性剤
特に、Ｇｒｉｆｆｉｎの概念による２５℃でのＨＬＢ（親水親油バランス）が８以上である少なくとも１種の乳化性界面活性剤を使用することができる。ＧｒｉｆｆｉｎによるＨＬＢ値は、Ｊ．Ｓｏｃ．Ｃｏｓｍ．Ｃｈｅｍ．１９５４（ｖｏｌｕｍｅ  ５），ｐａｇｅｓ２４９−２５６に定義されている。
【０２８８】
任意選択的に、２５℃におけるＧｒｉｆｆｉｎの概念によるＨＬＢバランス（親水親油バランス）が８未満である乳化性界面活性剤も使用することができる。
【０２８９】
非イオン性界面活性剤は、特にポリ（エチレンオキシド）のアルキルおよびポリアルキルエステル、オキシアルキレン化アルコール、ポリ（エチレンオキシド）のアルキルおよびポリアルキルエーテル、任意選択的にポリオキシエチレン化されている、ソルビタンのアルキルおよびポリアルキルエステル、任意選択的にポリオキシエチレン化されている、ソルビタンのアルキルおよびポリアルキルエーテル、アルキルおよびポリアルキルグリコシドまたはアルキルおよびポリアルキルポリグリコシド、特にアルキルおよびポリアルキルグルコシドまたはアルキルおよびポリアルキルポリグルコシド、ショ糖のアルキルおよびポリアルキルエステル、任意選択的にポリオキシエチレン化されている、グリセロールのアルキルおよびポリアルキルエステル、任意選択的にポリオキシエチレン化されている、グリセロールのアルキルおよびポリアルキルエーテルならびにこれらの混合物から選択することができる。
【０２９０】
１）好ましく使用されるポリ（エチレンオキシド）のアルキルおよびポリアルキルエステルは、エチレンオキシド（ＥＯ）単位数が２〜２００の範囲であるものである。その例として、ステアリン酸エステル４０ＥＯ付加物、ステアリン酸エステル５０ＥＯ付加物、ステアリン酸エステル１００ＥＯ付加物、ラウリン酸エステル２０ＥＯ付加物、ラウリン酸エステル４０ＥＯ付加物およびジステアリン酸エステル１５０ＥＯ付加物を挙げることができる。
【０２９１】
２）好ましく使用されるポリ（エチレンオキシド）のアルキルおよびポリアルキルエーテルは、エチレンオキシド（ＥＯ）単位数が２〜２００の範囲であるものである。その例として、セチルエーテル２３ＥＯ付加物、オレイルエーテル５０ＥＯ付加物、フィトステロール３０ＥＯ付加物およびステアレス４０、ステアレス１００およびベヘネス１００を挙げることができる。
【０２９２】
３）好ましく使用されるオキシアルキレン化、特にオキシエチレン化および／またはオキシプロピレン化されたアルコールは、１〜１５０個のオキシエチレン単位および／またはオキシプロピレン単位を含み得るもの、特に２０〜１００個のオキシエチレン単位を含むもの、特にエトキシ化脂肪族アルコール、特にＣ８〜Ｃ２４、好ましくはＣ１２〜Ｃ１８、例えば２０個のオキシエチレン単位でエトキシ化されたステアリルアルコール（ＣＴＦＡ名：ステアレス−２０）、例えばＵｎｉｑｅｍａ社から販売されているＢｒｉｊ  ７８、３０個のオキシエチレン単位でエトキシ化されたセテアリルアルコール（ＣＴＦＡ名：セテアレス−３０）、および７個のオキシエチレン単位を含むＣ１２〜Ｃ１５脂肪族アルコールの混合物（ＣＴＦＡ名：（Ｃ１２−Ｃ１５）パレス−７）、例えばＳｈｅｌｌ  ＣｈｅｍｉｃａｌｓからＮｅｏｄｏｌ  ２５−７（登録商標）の名称で販売されている製品；または特に１〜１５個のオキシエチレン単位および／またはオキシプロピレン単位を含むオキシアルキレン化（オキシエチレン化および／またはオキシプロピレン化）されたアルコール、特にエトキシ化されたＣ８〜Ｃ２４、好ましくはＣ１２〜Ｃ１８脂肪族アルコール、例えば２個のオキシエチレン単位でエトキシ化されたステアリルアルコール（ＣＴＦＡ名：ステアレス−２）、例えばＵｎｉｑｅｍａ社から販売されているＢｒｉｊ  ７２である。
【０２９３】
４）好ましく使用される、任意選択的にポリオキシエチレン化されている、ソルビタンのアルキルおよびポリアルキルエステルは、エチレンオキシド（ＥＯ）単位の数が０〜１００の範囲であるものである。その例として、ラウリン酸ソルビタン４または２０ＥＯ付加物、特にポリソルベート２０（またはポリオキシエチレン（２０）ソルビタンモノラウレート）、例えばＵｎｉｑｅｍａ社から販売されている製品であるＴｗｅｅｎ  ２０、パルミチン酸ソルビタン２０ＥＯ付加物、ステアリン酸ソルビタン２０ＥＯ付加物、オレイン酸ソルビタン２０ＥＯ付加物、またはＢＡＳＦからの製品であるＣｒｅｍｏｐｈｏｒ（ＲＨ４０、ＲＨ６０等）を挙げることができる。
【０２９４】
５）好ましく使用される、任意選択的にポリオキシエチレン化されている、ソルビタンのアルキルおよびポリアルキルエーテルは、エチレンオキシド（ＥＯ）単位の数が０〜１００の範囲であるものである。
【０２９５】
６）好ましく使用されるアルキルおよびポリアルキルグルコシドまたはアルキルおよびポリアルキルポリグルコシドは、６〜３０個の炭素原子、好ましくは６〜１８個、さらに好ましくは８〜１６個の炭素原子を含むアルキル基を含み、かつ好ましくは１〜５個、特に１、２または３個のグルコシド単位を含むグルコシド基を含むものである。アルキルポリグルコシドは、例えば、デシルグルコシド（Ｃ９／Ｃ１１アルキルポリグルコシド（１．４））、例えばマイドール１０（登録商標）の名称でＫａｏ  Ｃｈｅｍｉｃａｌｓから販売されている製品またはＨｅｎｋｅｌ社からＰｌａｎｔａｃａｒｅ  ２０００ＵＰ（登録商標）の名称で販売されている製品およびＳＥＰＰＩＣ社からＯｒａｍｉｘ  ＮＳ  １０（登録商標）の名称で販売されている製品；（カプリリル／カプリル）グルコシド、例えばＣｏｇｎｉｓ社からＰｌａｎｔａｃａｒｅ  ＫＥ３７１１（登録商標）の名称で販売されている製品またはＳＥＰＰＩＣ社からＯｒａｍｉｘ  ＣＧ  １１０（登録商標）の名称で販売されている製品；ラウリルグルコシド、例えばＨｅｎｋｅｌ社からＰｌａｎｔａｃａｒｅ  １２００ＵＰ（登録商標）の名称で販売されている製品またはＨｅｎｋｅｌ社からＰｌａｎｔａｒｅｎ  １２００Ｎ（登録商標）の名称で販売されている製品；ヤシ油アルキルグルコシド、例えばＨｅｎｋｅｌ社からＰｌａｎｔａｃａｒｅ  ８１８  ＵＰ（登録商標）の名称で販売されている製品；カプリリルグルコシド、例えばＣｏｇｎｉｓ社からＰｌａｎｔａｃａｒｅ  ８１０  ＵＰ（登録商標）の名称で販売されている製品；ならびにこれらの混合物から選択することができる。より一般的には、アルキルポリグリコシド型の界面活性剤は、後述するようにより具体的に定義される。
【０２９６】
７）ショ糖のアルキルおよびポリアルキルエステルの例としては、Ｃｒｏｄｅｓｔａ  Ｆ１５０、Ｃｒｏｄｅｓｔａ  ＳＬ４０の名称で販売されているショ糖モノラウリン酸エステル、およびＲｙｏｔｏ  Ｓｕｇａｒ  Ｅｓｔｅｒから販売されている製品、例えばリョートーシュガーエステルＰ１６７０、リョートーシュガーエステルＬＷＡ  １６９５またはリョートーシュガーエステル０１５７０の名称で販売されているショ糖パルミチン酸エステルを挙げることができる。
【０２９７】
８）好ましく使用される、任意選択的にポリオキシエチレン化されている、グリセロールのアルキルおよびポリアルキルエステルは、エチレンオキシド（ＥＯ）単位の数が０〜１００の範囲であり、かつグリセロール単位の数が１〜３０の範囲であるものである。その例として、モノラウリン酸ヘキサグリセリルおよびステアリン酸ＰＥＧ−３０グリセリルを挙げることができる。
【０２９８】
９）好ましく使用される、任意選択的にポリオキシエチレン化されている、グリセロールのアルキルおよびポリアルキルエーテルとしては、エチレンオキシド（ＥＯ）単位の数が０〜１００の範囲であり、かつグリセロール単位の数が１〜３０の範囲であるものである。その例として、Ｎｉｋｋｏｌ  Ｂａｔｙｌ  Ａｌｃｏｈｏｌ  １００およびＮｉｋｋｏｌ  Ｃｈｉｍｙｌ  Ａｌｃｏｈｏｌ  １００を挙げることができる。
【０２９９】
アニオン性界面活性剤
アニオン性界面活性剤は、アルキルエーテル硫酸塩、カルボン酸塩、アミノ酸誘導体、スルホン酸塩、イセチオン酸塩、タウリン塩、スルホコハク酸塩、アルキルスルホ酢酸塩、リン酸塩およびアルキルリン酸塩、ポリペプチド、Ｃ１０〜Ｃ３０、特にＣ１２〜Ｃ２０脂肪酸の金属塩、特にステアリン酸金属塩およびこれらの混合物から選択することができる。
【０３００】
１）アルキルエーテル硫酸塩の例として、ラウリルエーテル硫酸ナトリウム（７０／３０  Ｃ１２〜Ｃ１４）（２．２ＥＯ）（Ｈｅｎｋｅｌ社からＳｉｐｏｎ  ＡＯＳ２２５またはＴｅｘａｐｏｎ  Ｎ７０２の名称で販売）、ラウリルエーテル硫酸アンモニウム（７０／３０  Ｃ１２〜Ｃ１４）（３ＥＯ）（Ｈｅｎｋｅｌ社からＳｉｐｏｎ  ＬＥＡ  ３７０の名称で販売）、（Ｃ１２〜Ｃ１４）アルキルエーテル（９ＥＯ）硫酸アンモニウム（Ｒｈｏｄｉａ  Ｃｈｉｍｉｅ社からＲｈｏｄａｐｅｘ  ＡＢ／２０の名称で販売）およびラウリル／オレイルエーテル硫酸ナトリウム／マグネシウム混合物（Ｅｍｐｉｃｏｌ  ＢＳＤ  ５２の名称でＡｌｂｒｉｇｈｔ＆Ｗｉｌｓｏｎ社から販売）を挙げることができる。
【０３０１】
２）カルボン酸塩の例としては、Ｎ−アシルアミノ酸の塩（例えば、アルカリ金属塩）、グリコールカルボン酸塩、アミドエーテルカルボン酸塩（ＡＥＣ）およびポリオキシエチレン化カルボン酸塩を挙げることができる。
【０３０２】
グリコールカルボン酸塩型の界面活性剤は、アルキルグリコールカルボン酸または２−（２−ヒドロキシアルキルオキシ酢酸）、これらの塩およびこれらの混合物から選択することができる。これらのアルキルグリコールカルボン酸は、８〜１８個の炭素原子を含む直鎖または分岐の飽和または不飽和の脂肪族および／または芳香族アルキル鎖を含む。これらのカルボン酸は、水酸化カリウムまたは水酸化ナトリウム等の無機塩基で中和され得る。
【０３０３】
グリコールカルボン酸型界面活性剤の例として、ラウリルグリコールカルボン酸ナトリウムまたは２−（２−ヒドロキシアルキルオキシ酢酸）ナトリウム、例えばＢｅａｕｌｉｇｈｔ  Ｓｈａａ（登録商標）、Ｂｅａｕｌｉｇｈｔ  ＬＣＡ−２５Ｎ（登録商標）または対応する酸形態であるＢｅａｕｌｉｇｈｔ  Ｓｈａａ（Ａｃｉｄ  ｆｏｒｍ）（登録商標）の名称でＳａｎｙｏから販売されている製品を挙げることができる。
【０３０４】
アミドエーテルカルボン酸塩（ＡＥＣ）の例として、ラウリルアミドエーテルカルボン酸ナトリウム（３ＥＯ）（Ａｋｙｐｏ  Ｆｏａｍ  ３０（登録商標）の名称でＫａｏ  Ｃｈｅｍｉｃａｌｓから販売）を挙げることができる。
【０３０５】
ポリオキシエチレン化カルボン酸塩の例として、オキシエチレン化された（６ＥＯ）ラウリルエーテルカルボン酸ナトリウム（６５／２５／１０  Ｃ１２〜１４〜１６）（Ａｋｙｐｏ  Ｓｏｆｔ  ４５  ＮＶ（登録商標）の名称でＫａｏ  Ｃｈｅｍｉｃａｌｓから販売）、ポリオキシエチレン化およびカルボキシメチル化されたオリーブ油由来脂肪酸（Ｏｌｉｖｅｍ  ４００（登録商標）の名称でＢｉｏｌｏｇｉａ  ｅ  Ｔｅｃｎｏｌｏｇｉａ社から販売）ならびにオキシエチレン化された（６ＥＯ）トリデシルエーテルカルボン酸ナトリウム（Ｎｉｋｋｏｌ  ＥＣＴＤ−６ＮＥＸ（登録商標）の名称でＮｉｋｋｏｌ社から販売）を挙げることができる。
【０３０６】
３）アミノ酸誘導体として、特にアミノ酸のアルカリ金属塩、例えば次に示すものを挙げることができる：
・サルコシン塩、例えばラウロイルサルコシンナトリウム（Ｓａｒｋｏｓｙｌ  ＮＬ  ９７（登録商標）の名称でＣｉｂａ社から販売、またはＯｒａｍｉｘ  Ｌ３０（登録商標）の名称でＳＥＰＰＩＣ社から販売）、ミリストイルサルコシンナトリウム（Ｎｉｋｋｏｌ  Ｓａｒｃｏｓｉｎａｔｅ  ＭＮ（登録商標）の名称でＮｉｋｋｏｌ社から販売）およびパルミトイルサルコシンナトリウム（Ｎｉｋｋｏｌ  Ｓａｒｃｏｓｉｎａｔｅ  ＰＮ（登録商標）の名称でＮｉｋｋｏｌ社から販売）、
・アラニン塩、例えばＮ−ラウロイルＮ−メチルアミドプロピオン酸ナトリウム（Ｓｏｄｉｕｍ  Ｎｉｋｋｏｌ  Ａｌａｎｉｎａｔｅ  ＬＮ  ３０（登録商標）の名称でＮｉｋｋｏｌ社から販売、またはＡｌａｎｏｎｅ  ＡＬＥ（登録商標）の名称でＫａｗａｋｅｎから販売）およびトリエタノールアミンＮ−ラウロイルＮ−メチルアラニン（Ａｌａｎｏｎｅ  Ａｌｔａ（登録商標）の名称でＫａｗａｋｅｎから販売）；
・グルタミン酸エステル、例えばモノココイルグルタミン酸トリエタノールアミン（Ａｃｙｌｇｌｕｔａｍａｔｅ  ＣＴ−１２（登録商標）の名称でＡｊｉｎｏｍｏｔｏから販売）またはラウロイルグルタミン酸トリエタノールアミン（Ａｃｙｌｇｌｕｔａｍａｔｅ  ＬＴ−１２（登録商標）の名称でＡｊｉｎｏｍｏｔｏから販売）。グルタミン酸塩および／または誘導体については後により具体的に説明する。
・アスパラギン酸エステル、例えばＮ−ラウロイルアスパラギン酸トリエタノールアミンおよびＮ−ミリストイルアスパラギン酸トリエタノールアミンの混合物（Ａｓｐａｒａｃｋ（登録商標）の名称でＭｉｔｓｕｂｉｓｈｉ社から販売）、
・グリシン誘導体（グリシン塩）、例えばＮ−ココイルグリシンナトリウム（アミライト（Ａｍｉｌｉｔｅ）ＧＣＳ−１２（登録商標）およびアミライト（Ａｍｉｌｉｔｅ）ＧＣＫ  １２の名称でＡｊｉｎｏｍｏｔｏから販売）、
・クエン酸エステル、例えばオキシエチレン化（９モル）されたヤシ油アルコールのクエン酸モノエステル（Ｗｉｔｃｏｎｏｌ  ＥＣ  １１２９の名称でＧｏｌｄｓｃｈｍｉｄｔ社から販売）、
・ガラクツロン酸塩、例えばドデシル−Ｄ−ガラクトシドウロン酸ナトリウム（Ｓｏｌｉａｎｃｅ社から販売）。
【０３０７】
４）スルホン酸塩の例として、アルファ−オレフィンスルホン酸塩、例えばアルファ−オレフィンスルホン酸ナトリウム（Ｃ１４〜１６）（Ｂｉｏ−Ｔｅｒｇｅ  ＡＳ−４０（登録商標）の名称でＳｔｅｐａｎ社から販売、Ｗｉｔｃｏｎａｔｅ  ＡＯＳ  Ｐｒｏｔｅｇｅ（登録商標）およびＳｕｌｆｒａｍｉｎｅ  ＡＯＳ  ＰＨ  １２（登録商標）の名称でＷｉｔｃｏ社から販売、またはＢｉｏ−Ｔｅｒｇｅ  ＡＳ−４０  ＣＧ（登録商標）の名称でＳｔｅｐａｎ社から販売）および第二級オレフィンスルホン酸ナトリウム（Ｈｏｓｔａｐｕｒ  ＳＡＳ  ３０（登録商標）の名称でＣｌａｒｉａｎｔ社から販売）を挙げることができる。
【０３０８】
５）イセチオン酸塩として、アシルイセチオン酸塩、例えばココイルイセチオン酸ナトリウム（Ｊｏｒｄａｐｏｎ  ＣＩ  Ｐ（登録商標）の名称でＪｏｒｄａｎ社から販売されている製品等）を挙げることができる。
【０３０９】
６）タウリン塩として、パーム核油脂肪酸アシルメチルタウリンのナトリウム塩（Ｈｏｓｔａｐｏｎ  ＣＴ  Ｐａｔｅ（登録商標）の名称でＣｌａｒｉａｎｔ社から販売）；Ｎ−アシルＮ−メチルタウリン塩、例えばＮ−ココイルＮ−メチルタウリンナトリウム（Ｈｏｓｔａｐｏｎ  ＬＴ−ＳＦ（登録商標）の名称でＣｌａｒｉａｎｔ社から販売、またはＮｉｋｋｏｌ  ＣＭＴ−３０−Ｔ（登録商標）の名称でＮｉｋｋｏｌ社から販売）およびパルミトイルメチルタウリンナトリウム（Ｎｉｋｋｏｌ  ＰＭＴ（登録商標）の名称でＮｉｋｋｏｌ社から販売）を挙げることができる。
【０３１０】
７）スルホコハク酸塩の例として、オキシエチレン化（３ＥＯ）されたラウリルアルコールモノスルホコハク酸塩（７０／３０  Ｃ１２／Ｃ１４）（Ｓｅｔａｃｉｎ  １０３  Ｓｐｅｃｉａｌ（登録商標）およびＲｅｗｏｐｏｌ  ＳＢ−ＦＡ  ３０  Ｋ  ４（登録商標）の名称でＷｉｔｃｏ社から販売）、Ｃ１２〜Ｃ１４アルコールヘミスルホコハク酸二ナトリウム塩（Ｓｅｔａｃｉｎ  Ｆ  Ｓｐｅｃｉａｌ  Ｐａｓｔｅ（登録商標）の名称でＺｓｃｈｉｍｍｅｒ  Ｓｃｈｗａｒｚ社から販売）、オキシエチレン化（２ＥＯ）されたオレアミドスルホコハク酸二ナトリウム（Ｓｔａｎｄａｐｏｌ  ＳＨ  １３５（登録商標）の名称でＨｅｎｋｅｌ社から販売）、オキシエチレン化（５ＥＯ）されたラウリルアミドモノスルホコハク酸塩（Ｌｅｂｏｎ  Ａ−５０００（登録商標）の名称でＳａｎｙｏ社から販売）、オキシエチレン化（１０ＥＯ）されたラウリルクエン酸モノスルホコハク酸二ナトリウム塩（Ｒｅｗｏｐｏｌ  ＳＢ  ＣＳ  ５０（登録商標）の名称でＷｉｔｃｏ社から販売）およびリシノレイン酸モノエタノールアミドモノスルホコハク酸エステル塩（Ｒｅｗｏｄｅｒｍ  Ｓ  １３３３（登録商標）の名称でＷｉｔｃｏ社から販売）を挙げることができる。ポリジメチルシロキサンスルホコハク酸塩、例えばＰＥＧ−１２ジメチコンスルホコハク酸二ナトリウム（Ｍａｃｋａｎａｔｅ−ＤＣ３０の名称でＭａｃＩｎｔｙｒｅ社から販売）も使用することもできる。
【０３１１】
８）アルキルスルホ酢酸塩の例として、ラウリルスルホ酢酸ナトリウムおよびラウリルエーテルスルホコハク酸塩二ナトリウム塩の混合物（Ｓｔｅｐａｎ−Ｍｉｌｄ  ＬＳＢの名称でＳｔｅｐａｎ社から販売）を挙げることができる。
【０３１２】
９）リン酸エステルおよびアルキルリン酸エステルの例として、モノアルキルリン酸エステルおよびジアルキルリン酸エステル、例えばラウリルモノリン酸（ＭＡＰ  ２０（登録商標）の名称でＫａｏ  Ｃｈｅｍｉｃａｌｓから販売）、リン酸ドデシルモノエステルおよびジエステルの混合物（主にジエステル）のカリウム塩（Ｃｒａｆｏｌ  ＡＰ−３１（登録商標）の名称でＣｏｇｎｉｓ社から販売）、オクチルリン酸モノエステルおよびジエステルの混合物（Ｃｒａｆｏｌ  ＡＰ−２０（登録商標）の名称でＣｏｇｎｉｓ社から販売）、エトキシ化（７モルＥＯ）された２−ブチルオクタノールのリン酸モノエステルおよびジエステルの混合物（Ｉｓｏｆｏｌ  １２  ７  ＥＯ−Ｐｈｏｓｐｈａｔｅ  Ｅｓｔｅｒ（登録商標）の名称でＣｏｎｄｅａ社から販売）、モノ（Ｃ１２〜Ｃ１３）アルキルリン酸エステルのカリウム塩またはトリエタノールアミン塩（Ａｒｌａｔｏｎｅ  ＭＡＰ  ２３０Ｋ−４０（登録商標）およびＡｒｌａｔｏｎｅ  ＭＡＰ  ２３０Ｔ−６０（登録商標）の商品記号でＵｎｉｑｅｍａ社から販売）、ラウリルリン酸カリウム（Ｄｅｒｍａｌｃａｒｅ  ＭＡＰ  ＸＣ−９９／０９（登録商標）の名称でＲｈｏｄｉａ  Ｃｈｉｍｉｅ社から販売）、セチルリン酸カリウム（Ａｒｌａｔｏｎｅ  ＭＡＰ  １６０Ｋの名称でＵｎｉｑｅｍａ社から販売）を挙げることができる。
【０３１３】
１０）ポリペプチドは、例えば、穀類、特に小麦およびオート麦由来のアミノ酸上に脂肪族鎖を縮合させることにより得られる。ポリペプチドの例として、ラウロイル加水分解コムギタンパクのカリウム塩（Ａｍｉｎｏｆｏａｍ  Ｗ  ＯＲの名称でＣｒｏｄａ社から販売）、ココイル加水分解ダイズタンパクのトリエタノールアミン塩（Ｍａｙ−Ｔｅｉｎ  ＳＹの名称でＭａｙｂｒｏｏｋ社から販売）、ラウロイルオーツアミノ酸のナトリウム塩（Ｐｒｏｔｅｏｌ  Ｏａｔの名称でＳＥＰＰＩＣ社から販売）、ヤシ油脂肪酸上にグラフトしたコラーゲン加水分解物（Ｇｅｌｉｄｅｒｍ  ３０００の名称でＤｅｕｔｓｃｈｅ  Ｇｅｌａｔｉｎｅ社から販売）および水添ヤシ油脂肪酸でアシル化されたダイズタンパク（Ｐｒｏｔｅｏｌ  ＶＳ  ２２の名称でＳＥＰＰＩＣ社から販売）を挙げることができる。
【０３１４】
１１）Ｃ１０〜Ｃ３０、特にＣ１２〜Ｃ２０脂肪酸の金属塩として、特にステアリン酸ナトリウムおよびステアリン酸カリウム等のステアリン酸金属塩に加えて、ポリヒドロキシステアリン酸塩を挙げることができる。
【０３１５】
カチオン性界面活性剤
カチオン性界面活性剤は、
−  アルキルイミダゾリジニウム、例えばイソステアリルエチルイミドニウムエトサルフェート、
−  アンモニウム塩、例えば（Ｃ１２〜３０アルキル）トリ（Ｃ１〜４アルキル）アンモニウムハライド、例えばＮ，Ｎ，Ｎ−トリメチル−１−ドコサンアミニウムクロリド（またはベヘントリモニウムクロリド）
から選択することができる。
【０３１６】
両性界面活性剤
本発明による組成物は、１種以上の両性界面活性剤、例えばＮ−アシルアミノ酸（Ｎ−アルキルアミノ酢酸塩、ココアンホジ酢酸二ナトリウム等）およびアミンオキシド（例えば、ステアラミンオキシド）、またはシリコーン界面活性剤（例えば、リン酸ジメチコンコポリオール（Ｐｅｃｏｓｉｌ  ＰＳ  １０００（登録商標）の名称でＰｈｏｅｎｉｘ  Ｃｈｅｍｉｃａｌ社から販売されている製品等））も含み得る。
【０３１７】
シリコーン界面活性剤
第２の実施形態によれば、組成物は、少なくとも１種のシリコーン界面活性剤を含む。その例として、次に示すものを挙げることができる：
ａ）単独でまたは混合物で使用される、２５℃におけるＨＬＢが８以上である非イオン性界面活性剤、特に、
−  ジメチコンコポリオール、例えばＱ２−５２２０（登録商標）の名称でＤｏｗ  Ｃｏｒｎｉｎｇ社から販売されている製品、
−  ジメチコンコポリオール安息香酸エステル、例えばＦｉｎｓｏｌｖ  ＳＬＢ  １０１（登録商標）および２０１（登録商標）の名称でＦｉｎｔｅｘ社から販売されている製品を挙げることができる。
ｂ）単独でまたは混合物で使用される、２５℃におけるＨＬＢが８未満である非イオン性界面活性剤、特に、
−  Ｑ２−３２２５Ｃ（登録商標）の名称でＤｏｗ  Ｃｏｒｎｉｎｇ社から販売されているシクロメチコン／ジメチコンコポリオール混合物を挙げることができる。
【０３１８】
逆相エマルジョン（油中水型；Ｗ／Ｏ）の生成を促す界面活性剤
Ｗ／Ｏエマルジョンの調製に使用することができる乳化性界面活性剤として、例えばソルビタンアルキルエステルまたはエーテル；シリコーン界面活性剤、例えばジメチコンコポリオール、例えばシクロメチコンとジメチコンコポリオールとの混合物（ＤＣ  ５２２５  Ｃの名称でＤｏｗ  Ｃｏｒｎｉｎｇ社から販売）およびアルキルジメチコンコポリオール、例えばラウリルメチコンコポリオール（Ｄｏｗ  Ｃｏｒｎｉｎｇ  ５２００  Ｆｏｒｍｕｌａｔｉｏｎ  Ａｉｄの名称でＤｏｗ  Ｃｏｒｎｉｎｇ社から販売）；セチルジメチコンコポリオール（例えば、Ａｂｉｌ  ＥＭ  ９０Ｒの名称でＧｏｌｄｓｃｈｍｉｄｔ社から販売されている製品）およびセチルジメチコンコポリオールと、イソステアリン酸ポリグリセリル（４ｍｏｌ）と、ラウリン酸ヘキシルとの混合物（Ａｂｉｌ  ＷＥ  Ｏ９の名称でＧｏｌｄｓｃｈｍｉｄｔ社から販売）、他にリン酸化された界面活性剤を挙げることができる。
【０３１９】
有利にはポリオールアルキルエステルを含む群から選択することができる１種以上の乳化助剤も添加することができる。
【０３２０】
ポリオールアルキルエステルとしては、特にポリエチレングリコールエステル、例えばジポリヒドロキシステアリン酸ＰＥＧ−３０（例えば、Ａｒｌａｃｅｌ  Ｐ１３５の名称でＩＣＩ社から販売されている製品）を挙げることができる。
【０３２１】
少なくとも１種のオキシアルキレン基を含む架橋型エラストマー性固体状オルガノポリシロキサン、例えば米国特許第５４１２００４号明細書の実施例３、４および８の手順ならびに米国特許第５８１１４８７号明細書の実施例の手順に従って得られる生成物、特に米国特許第５４１２００４号明細書の実施例３（合成実施例）の生成物、およびＳｈｉｎ−ＥｔｓｕからＫＳＧ  ２１の商品記号で販売されている製品等もＷ／Ｏエマルジョン用界面活性剤として使用することができる。
【０３２２】
特に好ましい一実施形態によれば、本発明によるエマルジョン、特にＷ／Ｏエマルジョンは、少なくとも１種のシリコーン界面活性剤、より詳細にはジメチコンコポリオールから選択されるシリコーン界面活性剤を含む。
【０３２３】
本発明により使用することができるジメチコンコポリオールは、オキシプロピレン化および／またはオキシエチレン化されたポリジメチルメチルシロキサンである。
【０３２４】
使用可能なジメチコンコポリオールは、より具体的には、下式（ＩＩ）：
【化２３】
2019512321.tif 000026
（式中、
−  Ｒ１、Ｒ２およびＲ３は、互いに独立に、Ｃ１〜Ｃ６アルキル基または−（ＣＨ２）ｘ−（ＯＣＨ２ＣＨ２）ｙ−（ＯＣＨ２ＣＨ２ＣＨ２）ｚ−ＯＲ４基を表し、Ｒ１基、Ｒ２基またはＲ３基の少なくとも１種は、アルキル基ではなく、Ｒ４は、水素、Ｃ１〜Ｃ３アルキル基またはＣ２〜Ｃ４アシル基であり、
−  Ａは、０〜２００の範囲の整数であり、
−  Ｂは、０〜５０の範囲の整数であり、但し、ＡおよびＢは、同時にゼロにはならず、
−  ｘは、１〜６の範囲の整数であり、
−  ｙは、１〜３０の範囲の整数であり、および
−  ｚは、０〜３０、好ましくは０〜２０の範囲の整数である）に対応するものである。
【０３２５】
好ましい一実施形態によれば、式（ＩＩ）の化合物は、Ｒ１＝Ｒ３＝メチル基であり、ｘは、２〜６の範囲の整数であり、ｙは、４〜３０の範囲の整数であり、Ｒ４は、特に水素である。
【０３２６】
式（ＩＩ）の化合物の例として、式（ＩＩＩ）：
【化２４】
2019512321.tif 000027
（式中、Ａは、２０〜１０５の範囲の整数であり、Ｂは、２〜１０の範囲の整数であり、およびｙは、１０〜２０の範囲の整数である）の化合物を挙げることができる。
【０３２７】
式（ＩＩ）のシリコーン化合物の例として、式（ＩＶ）：
ＨＯ−（ＯＣＨ２ＣＨ２）ｙ−（ＣＨ２）３−［（ＣＨ３）２ＳｉＯ］Ａ’−（ＣＨ２）３−（ＯＣＨ２ＣＨ２）ｙ−ＯＨ  （ＩＶ）
（式中、Ａ’およびｙは、１０〜２０の範囲の整数である）の化合物も挙げることができる。
【０３２８】
使用可能なジメチコンコポリオールとして、ＤＣ  ５３２９、ＤＣ  ７４３９−１４６、ＤＣ  ２−５６９５およびＱ４−３６６７の名称でＤｏｗ  Ｃｏｒｎｉｎｇ社から、ＫＦ−６０１３、ＫＦ−６０１５、ＫＦ−６０１６、ＫＦ−６０１７、ＫＦ−６０２８およびＫＦ−６０５０Ｌの名称でＳｈｉｎ−Ｅｔｓｕから販売されているものが挙げられる。
【０３２９】
化合物ＤＣ  ５３２９、ＤＣ  ７４３９−１４６およびＤＣ  ２−５６９５は、式（ＩＩＩ）中、それぞれＡが２２であり、Ｂが２であり、ｙが１２であり；Ａが１０３であり、Ｂが１０であり、ｙが１２であり；Ａが２７であり、Ｂが３であり、ｙが１２である化合物である。
【０３３０】
特定の実施形態によれば、シリコーン界面活性剤は、ＰＥＧポリジメチルシロキシエチルジメチコン（特にＳｈｉｎ−ＥｔｓｕからＫＦ−６０２８の商品記号で販売されているもの）、ＰＥＧ−１０ジメチコン（特にＳｈｉｎ−ＥｔｓｕからＫＦ−６０１７の商品記号で販売されているもの）およびこれらの混合物であり得る。
【０３３１】
界面活性剤は、下式（Ｖ）：
【化２５】
2019512321.tif 000028
（式中、
Ｒは、８〜４０個の炭素原子、好ましくは１０〜３０個の炭素原子を含む直鎖または分岐の飽和または不飽和基であり、
ｍは、１〜１０の範囲の数を表す）によって表すことができる、モノグリセロール化またはポリグリセロール化された脂肪族アルコール型の非イオン性界面活性剤から選択することもできる。
【０３３２】
この種の化合物として、グリセロール４ｍｏｌを含むラウリルアルコール、グリセロール４ｍｏｌを含むイソステアリルアルコール、グリセロール１．５ｍｏｌを含むラウリルアルコール、グリセロール４ｍｏｌを含むオレイルアルコール、グリセロール２ｍｏｌを含むオレイルアルコール、グリセロール２ｍｏｌを含むセテアリルアルコール、グリセロール６ｍｏｌを含むセテアリルアルコール、グリセロール６ｍｏｌを含むオレオセチルアルコール、およびグリセロール６ｍｏｌを含むオクタデカノールを挙げることができる。
【０３３３】
脂肪族アルコールは、ｍを統計学的な値とする方法と同様にして、脂肪族アルコールの混合物を表すこともできる。すなわち、市販品では、数種類のポリグリセロール化された脂肪族アルコールが混合物形態で共存し得る。
【０３３４】
好ましくは、エマルジョンの相の順序に関わらず、界面活性剤は、非イオン性界面活性剤およびシリコーン界面活性剤またはこれらの混合物から選択される。
【０３３５】
揮発性油
本発明の特定の一実施形態によれば、組成物は、少なくとも１種の揮発性油を含む。
【０３３６】
揮発性油は、炭化水素系油、シリコーン油およびフッ素系油およびこれらの混合物から選択することができる。
【０３３７】
揮発性炭化水素系油は、好ましくは無極性炭化水素系油から選択され、特に８〜１６個の炭素原子を有する揮発性炭化水素系油およびこれらの混合物、特に、
−  分岐Ｃ８〜Ｃ１６アルカン、例えばＣ８〜Ｃ１６イソアルカン（イソパラフィンとしても知られる）、イソドデカン、イソデカンおよびイソヘキサデカンおよび例えば、ＩｓｏｐａｒまたはＰｅｒｍｅｔｈｙｌの商品名で販売されている油、
−  直鎖状アルカン、例えばＳａｓｏｌからそれぞれＰａｒａｆｏｌ  １２−９７およびＰａｒａｆｏｌ  １４−９７の商品記号で販売されているｎ−ドデカン（Ｃ１２）およびｎ−テトラデカン（Ｃ１４）に加えて、これらの混合物、ウンデカン−トリデカン混合物（Ｃｅｔｉｏｌ  ＵＴ）、Ｃｏｇｎｉｓ社からの特許出願である国際公開第２００８／１５５０５９号パンフレットの実施例１および２により得られるｎ−ウンデカン（Ｃ１１）およびｎ−トリデカン（Ｃ１３）の混合物ならびにこれらの混合物、および
−  これらの混合物
から選択することができる。
【０３３８】
揮発性シリコーン油は、引火点が４０℃〜１０２℃、好ましくは引火点が５５℃を超え９５℃以下であり、優先的には６５℃〜９５℃の範囲であるシリコーン油から選択することができる。
【０３３９】
本発明に使用することができる揮発性シリコーン油として、２５℃における粘度が８センチストークス（ｃＳｔ）（８×１０−６ｍ２／ｓ）未満であり、特に２〜１０個のケイ素原子、特に２〜７個のケイ素原子を含む直鎖または環状シリコーンを挙げることができる。これらのシリコーンは、１〜１０個の炭素原子を含むアルキル基またはアルコキシ基を含み得る。
【０３４０】
本発明に使用することができる揮発性シリコーン油として、特に粘度が２、５および６ｃＳｔであるジメチコン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサンおよびドデカメチルペンタシロキサンならびにこれらの混合物を挙げることができる。
【０３４１】
揮発性油は、フッ素系油、例えばノナフルオロメトキシブタンまたはパーフルオロメチルシクロペンタンおよびこれらの混合物から選択することもできる。
【０３４２】
好ましくは、本発明による組成物は、より詳細には、無極性揮発性炭化水素系油から、揮発性シリコーン油から選択される少なくとも１種の揮発性油を単独でまたは混合物として含む。
【０３４３】
特定の一実施形態によれば、組成物は少なくとも１種の揮発性油を前記組成物の質量に対して５質量％〜４５質量％の範囲、特に１０質量％〜３０質量％の範囲の含有量で含む。
【０３４４】
水性相
本発明による組成物は、水および任意選択的な少なくとも１種の水溶性溶媒（これらが全体で水性相を構成する）を含む。
【０３４５】
本発明の目的における「水溶性溶媒」という語は、２５℃および大気圧下で液体である水混和性（２５℃の大気圧下における水との混和性が５０質量％を超える）化合物を意味することを意図している。
【０３４６】
本発明による組成物に使用することができる水溶性溶媒の中でも、特に１〜５個の炭素原子を含むモノアルコール、例えば、好ましくはエタノールおよびイソプロパノール、２〜８個の炭素原子を含むグリコール、例えばエチレングリコール、プロピレングリコール、１，３−ブチレングリコールおよびジプロピレングリコール、Ｃ３およびＣ４ケトンならびにＣ２〜Ｃ４アルデヒドを挙げることができる。
【０３４７】
本発明による組成物は、優先的には、組成物の質量に対して少なくとも２０質量％、特に２０質量％〜６０質量％、特に２５質量％〜５０質量％の水性相（水＋水溶性溶媒）を含む。
【０３４８】
本発明による組成物は、優先的には、組成物の質量に対して少なくとも１５質量％、特に２０質量％〜６０質量％、特に２５質量％〜５０質量％の水を含む。
【０３４９】
一実施形態によれば、この組成物は、水性相の総質量に対して少なくとも６０質量％、好ましくは少なくとも７０質量％、特に少なくとも７５質量％の水を含み得る。
【０３５０】
好ましい実施形態によれば、この組成物は、水性相および揮発性油を、総含有量が組成物の質量に対して５０質量％以上、特に６０質量％以上となるように含む。
【０３５１】
色材：
本発明による組成物は、水溶性または水不溶性、油溶性または非油溶性の有機または無機色材および光学効果を呈する材料ならびにこれらの混合物から選択することができる少なくとも１種の色材を含み得る。
【０３５２】
本発明の目的における「色材」という語は、好適な化粧媒体中に十分な量で配合した場合、有色の光学効果を呈することが可能な化合物を意味することを意図している。
【０３５３】
本発明により使用される水溶性色材は、より詳細には水溶性染料である。
【０３５４】
本発明の目的における「水溶性染料」という語は、水性相または水混和性溶媒に可溶であり、着色することが可能な任意の天然または合成の一般に有機化合物を意味することを意図している。特に、「水溶性」という語は、化合物が水中に溶解する能力が、２５℃における濃度として測定した場合、少なくとも０．１ｇ／Ｌ（巨視的には等方性を示す透明な有色または無色の溶液が生成する）であることを特徴付けることを意図している。この溶解性は、特に１ｇ／Ｌ以上である。
【０３５５】
本発明に使用するのに好適な水溶性染料として、特に合成または天然の水溶性染料、例えばＦＤＣ  Ｒｅｄ  ４（ＣＩ：１４７００）、ＤＣ  Ｒｅｄ  ６（Ｌｉｔｈｏｌ  Ｒｕｂｉｎｅ  Ｎａ；ＣＩ：１５８５０）、ＤＣ  Ｒｅｄ  ２２（ＣＩ：４５３８０）、ＤＣ  Ｒｅｄ  ２８（ＣＩ：４５４１０Ｎａ塩）、ＤＣ  Ｒｅｄ  ３０（ＣＩ：７３３６０）、ＤＣ  Ｒｅｄ  ３３（ＣＩ：１７２００）、ＤＣ  Ｏｒａｎｇｅ  ４（ＣＩ：１５５１０）、ＦＤＣ  Ｙｅｌｌｏｗ  ５（ＣＩ：１９１４０）、ＦＤＣ  Ｙｅｌｌｏｗ  ６（ＣＩ：１５９８５）、ＤＣ  Ｙｅｌｌｏｗ  ８（ＣＩ：４５３５０Ｎａ塩）、ＦＤＣ  Ｇｒｅｅｎ  ３（ＣＩ：４２０５３）、ＤＣ  Ｇｒｅｅｎ  ５（ＣＩ：６１５７０）、ＦＤＣ  Ｂｌｕｅ  １（ＣＩ：４２０９０）を挙げることができる。
【０３５６】
本発明に関連して使用することができる水溶性色材の供給源の非限定的な例として、特に天然由来のもの、例えばコチニールのカルミン、ビート根、ブドウ、ニンジン、トマト、アンナット、パプリカ、ヘンナ、カラメルおよびクルクミンの抽出物等を挙げることができる。
【０３５７】
したがって、本発明に使用するのに好適な水溶性色材は、特にカルミン酸、ベタニン、アントシアン、エノシアニン、リコペン、ベータ−カロテン、ビキシン、ノルビキシン、カプサンシン、カプソルビン、フラボキサンチン、ルテイン、クリプトキサンチン、ルビキサンチン、ビオラキサンチン、リボフラビン、ロドキサンチン、カンタキサンチンおよびクロロフィルならびにこれらの混合物である。
【０３５８】
硫酸銅、硫酸鉄、水溶性スルホポリエステル、ローダミン、ベタイン、メチレンブルー、タートラジンの二ナトリウム塩およびフクシンの二ナトリウム塩を用いることもできる。
【０３５９】
これらの水溶性色材の一部は、特に食用として使用することができる。このような染料の代表的なものとして、より詳細には、食品添加物コードＥ１２０、Ｅ１６２、Ｅ１６３、Ｅ１６０ａ−ｇ、Ｅ１５０ａ、Ｅ１０１、Ｅ１００、Ｅ１４０およびＥ１４１で参照されるカロテノイド系の染料を挙げることができる。
【０３６０】
特に好ましい実施形態によれば、水溶性色材は、ブリリアントイエローＦＣＦの二ナトリウム塩（ＬＣＷ社からＤＣ  Ｙｅｌｌｏｗ  ６の名称で販売）、フクシン酸Ｄの二ナトリウム塩（ＬＣＷ社からＤＣ  Ｒｅｄ  ３３の名称で販売）、およびアルラレッド（Ｒｏｕｇｅ  Ａｌｌｕｒａ）の三ナトリウム塩（ＬＣＷ社からＦＤ＆Ｃ  Ｒｅｄ  ４０の名称で販売）から選択される。
【０３６１】
「顔料」という語は、液体有機相に不溶であり、組成物および／または組成物から生成した付着物を着色および／または不透明化することを意図した白色または有色の無機（鉱物）または有機粒子を意味するものと理解すべきである。
【０３６２】
顔料は、無機顔料、有機顔料および複合顔料（すなわち無機材料および／または有機材料をベースとする顔料）から選択することができる。
【０３６３】
顔料は、単色顔料、レーキ、真珠光沢剤および光学効果を呈する顔料、例えば反射型顔料およびゴニオクロマティック顔料から選択することができる。
【０３６４】
無機顔料は、金属酸化物顔料、酸化クロム、酸化鉄、二酸化チタン、酸化亜鉛、酸化セリウム、酸化ジルコニウム、マンガンバイオレット、プルシアンブルー、ウルトラマリンブルー、フェリックブルーおよびこれらの混合物から選択することができる。
【０３６５】
有機レーキは、染料を付着させた基材から形成された有機顔料である。
【０３６６】
有機顔料としても知られるレーキは、以下に示す物質およびこれらの混合物から選択することができる：
−  コチニールカルミン、
−  アゾ染料、アントラキノン染料、インジゴイド染料、キサンテン染料、ピレン染料、キノリン染料、トリフェニルメタン染料またはフルオラン染料の有機顔料；特に有機顔料の中でも、次に示す名称で知られているものを挙げることができる：Ｄ＆Ｃ  Ｂｌｕｅ  Ｎｏ．４、Ｄ＆Ｃ  Ｂｒｏｗｎ  Ｎｏ．１、Ｄ＆Ｃ  Ｇｒｅｅｎ  Ｎｏ．５、Ｄ＆Ｃ  Ｇｒｅｅｎ  Ｎｏ．６、Ｄ＆Ｃ  Ｏｒａｎｇｅ  Ｎｏ．４、Ｄ＆Ｃ  Ｏｒａｎｇｅ  Ｎｏ．５、Ｄ＆Ｃ  Ｏｒａｎｇｅ  Ｎｏ．１０、Ｄ＆Ｃ  Ｏｒａｎｇｅ  Ｎｏ．１１、Ｄ＆Ｃ  Ｒｅｄ  Ｎｏ．６、Ｄ＆Ｃ  Ｒｅｄ  Ｎｏ．７、Ｄ＆Ｃ  Ｒｅｄ  Ｎｏ．１７、Ｄ＆Ｃ  Ｒｅｄ  Ｎｏ．２１、Ｄ＆Ｃ  Ｒｅｄ  Ｎｏ．２２、Ｄ＆Ｃ  Ｒｅｄ  Ｎｏ．２７、Ｄ＆Ｃ  Ｒｅｄ  Ｎｏ．２８、Ｄ＆Ｃ  Ｒｅｄ  Ｎｏ．３０、Ｄ＆Ｃ  Ｒｅｄ  Ｎｏ．３１、Ｄ＆Ｃ  Ｒｅｄ  Ｎｏ．３３、Ｄ＆Ｃ  Ｒｅｄ  Ｎｏ．３４、Ｄ＆Ｃ  Ｒｅｄ  Ｎｏ．３６、Ｄ＆Ｃ  Ｖｉｏｌｅｔ  Ｎｏ．２、Ｄ＆Ｃ  Ｙｅｌｌｏｗ  Ｎｏ．７、Ｄ＆Ｃ  Ｙｅｌｌｏｗ  Ｎｏ．８、Ｄ＆Ｃ  Ｙｅｌｌｏｗ  Ｎｏ．１０、Ｄ＆Ｃ  Ｙｅｌｌｏｗ  Ｎｏ．１１、ＦＤ＆Ｃ  Ｂｌｕｅ  Ｎｏ．１、ＦＤ＆Ｃ  Ｇｒｅｅｎ  Ｎｏ．３、ＦＤ＆Ｃ  Ｒｅｄ  Ｎｏ．４０、ＦＤ＆Ｃ  Ｙｅｌｌｏｗ  Ｎｏ．５またはＦＤ＆Ｃ  Ｙｅｌｌｏｗ  Ｎｏ．６、
−  有機レーキは、アゾ染料、アントラキノン染料、インジゴイド染料、キサンテン染料、ピレン染料、キノリン染料、トリフェニルメタン染料、またはフルオラン染料等の酸性染料の不溶性ナトリウム、カリウム、カルシウム、バリウム、アルミニウム、ジルコニウム、ストロンチウムまたはチタン塩であり得、これらの染料は、少なくとも１個のカルボン酸基またはスルホン酸基を含み得る。
【０３６７】
有機レーキは、例えば、ロジンまたは安息香酸アルミニウム等の有機担体で支持することもできる。
【０３６８】
有機レーキの中でも、特に次に示す名称で知られるものを挙げることができる：Ｄ＆Ｃ  Ｒｅｄ  Ｎｏ．２アルミニウムレーキ、Ｄ＆Ｃ  Ｒｅｄ  Ｎｏ．３アルミニウムレーキ、Ｄ＆Ｃ  Ｒｅｄ  Ｎｏ．４アルミニウムレーキ、Ｄ＆Ｃ  Ｒｅｄ  Ｎｏ．６アルミニウムレーキ、Ｄ＆Ｃ  Ｒｅｄ  Ｎｏ．６バリウムレーキ、Ｄ＆Ｃ  Ｒｅｄ  Ｎｏ．６バリウム／ストロンチウムレーキ、Ｄ＆Ｃ  Ｒｅｄ  Ｎｏ．６ストロンチウムレーキ、Ｄ＆Ｃ  Ｒｅｄ  Ｎｏ．６カリウムレーキ、Ｄ＆Ｃ  Ｒｅｄ  Ｎｏ．７アルミニウムレーキ、Ｄ＆Ｃ  Ｒｅｄ  Ｎｏ．７バリウムレーキ、Ｄ＆Ｃ  Ｒｅｄ  Ｎｏ．７カルシウムレーキ、Ｄ＆Ｃ  Ｒｅｄ  Ｎｏ．７カルシウム／ストロンチウムレーキ、Ｄ＆Ｃ  Ｒｅｄ  Ｎｏ．７ジルコニウムレーキ、Ｄ＆Ｃ  Ｒｅｄ  Ｎｏ．８ナトリウムレーキ、Ｄ＆Ｃ  Ｒｅｄ  Ｎｏ．９アルミニウムレーキ、Ｄ＆Ｃ  Ｒｅｄ  Ｎｏ．９バリウムレーキ、Ｄ＆Ｃ  Ｒｅｄ  Ｎｏ．９バリウム／ストロンチウムレーキ、Ｄ＆Ｃ  Ｒｅｄ  Ｎｏ．９ジルコニウムレーキ、Ｄ＆Ｃ  Ｒｅｄ  Ｎｏ．１０ナトリウムレーキ、Ｄ＆Ｃ  Ｒｅｄ  Ｎｏ．１９アルミニウムレーキ、Ｄ＆Ｃ  Ｒｅｄ  Ｎｏ．１９バリウムレーキ、Ｄ＆Ｃ  Ｒｅｄ  Ｎｏ．１９ジルコニウムレーキ、Ｄ＆Ｃ  Ｒｅｄ  Ｎｏ．２１アルミニウムレーキ、Ｄ＆Ｃ  Ｒｅｄ  Ｎｏ．２１ジルコニウムレーキ、Ｄ＆Ｃ  Ｒｅｄ  Ｎｏ．２２アルミニウムレーキ、Ｄ＆Ｃ  Ｒｅｄ  Ｎｏ．２７アルミニウムレーキ、Ｄ＆Ｃ  Ｒｅｄ  Ｎｏ．２７アルミニウム／チタン／ジルコニウムレーキ、Ｄ＆Ｃ  Ｒｅｄ  Ｎｏ．２７バリウムレーキ、Ｄ＆Ｃ  Ｒｅｄ  Ｎｏ．２７カルシウムレーキ、Ｄ＆Ｃ  Ｒｅｄ  Ｎｏ．２７ジルコニウムレーキ、Ｄ＆Ｃ  Ｒｅｄ  Ｎｏ．２８アルミニウムレーキ、Ｄ＆Ｃ  Ｒｅｄ  Ｎｏ．３０レーキ、Ｄ＆Ｃ  Ｒｅｄ  Ｎｏ．３１カルシウムレーキ、Ｄ＆Ｃ  Ｒｅｄ  Ｎｏ．３３アルミニウムレーキ、Ｄ＆Ｃ  Ｒｅｄ  Ｎｏ．３４カルシウムレーキ、Ｄ＆Ｃ  Ｒｅｄ  Ｎｏ．３６レーキ、Ｄ＆Ｃ  Ｒｅｄ  Ｎｏ．４０アルミニウムレーキ、Ｄ＆Ｃ  Ｂｌｕｅ  Ｎｏ．１アルミニウムレーキ、Ｄ＆Ｃ  Ｇｒｅｅｎ  Ｎｏ．３アルミニウムレーキ、Ｄ＆Ｃ  Ｏｒａｎｇｅ  Ｎｏ．４アルミニウムレーキ、Ｄ＆Ｃ  Ｏｒａｎｇｅ  Ｎｏ．５アルミニウムレーキ、Ｄ＆Ｃ  Ｏｒａｎｇｅ  Ｎｏ．５ジルコニウムレーキ、Ｄ＆Ｃ  Ｏｒａｎｇｅ  Ｎｏ．１０アルミニウムレーキ、Ｄ＆Ｃ  Ｏｒａｎｇｅ  Ｎｏ．１７バリウムレーキ、Ｄ＆Ｃ  Ｙｅｌｌｏｗ  Ｎｏ．５アルミニウムレーキ、Ｄ＆Ｃ  Ｙｅｌｌｏｗ  Ｎｏ．５ジルコニウムレーキ、Ｄ＆Ｃ  Ｙｅｌｌｏｗ  Ｎｏ．６アルミニウムレーキ、Ｄ＆Ｃ  Ｙｅｌｌｏｗ  Ｎｏ．７ジルコニウムレーキ、Ｄ＆Ｃ  Ｙｅｌｌｏｗ  Ｎｏ．１０アルミニウムレーキ、ＦＤ＆Ｃ  Ｂｌｕｅ  Ｎｏ．１アルミニウムレーキ、ＦＤ＆Ｃ  Ｒｅｄ  Ｎｏ．４アルミニウムレーキ、ＦＤ＆Ｃ  Ｒｅｄ  Ｎｏ．４０アルミニウムレーキ、ＦＤ＆Ｃ  Ｙｅｌｌｏｗ  Ｎｏ．５アルミニウムレーキ、またはＦＤ＆Ｃ  Ｙｅｌｌｏｗ  Ｎｏ．６アルミニウムレーキ。
【０３６９】
例えば、スーダンレッド、ＤＣ  Ｒｅｄ  １７、ＤＣ  Ｇｒｅｅｎ  ６、β−カロテン、大豆油、スーダンブラウン、ＤＣ  Ｙｅｌｌｏｗ  １１、ＤＣ  Ｖｉｏｌｅｔ  ２、ＤＣ  Ｏｒａｎｇｅ  ５、またはキノリンイエロー等の脂溶性染料も挙げることができる。
【０３７０】
上に引用した有機色材のそれぞれに対応する化学物質は、Ｔｈｅ  Ｃｏｓｍｅｔｉｃ，Ｔｏｉｌｅｔｒｉｅｓ  ａｎｄ  Ｆｒａｇｒａｎｃｅ  Ａｓｓｏｃｉａｔｉｏｎによって公開された刊行物“Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ”，１９９７  ｅｄｉｔｉｏｎの３７１〜３８６ページおよび５２４〜５２８ページに述べられており、その内容は参照により本特許出願に援用される。
【０３７１】
顔料はまた、疎水化処理を施されたものであり得る。
【０３７２】
疎水化処理剤は、シリコーン（メチコン、ジメチコン、パーフルオロアルキルシラン等）；脂肪酸（ステアリン酸等）；金属石鹸（ジミリスチン酸アルミニウム、硬化タロウグルタミン酸のアルミニウム塩等）；パーフルオロアルキルリン酸エステル塩、パーフルオロアルキルシラン、パーフルオロアルキルシラザン、ポリヘキサフルオロプロピレンオキシド、パーフルオロアルキルパーフルオロポリエーテル基およびアミノ酸を含むポリオルガノシロキサン；Ｎ−アシルアミノ酸またはその塩；レシチン、トリイソステアリン酸イソプロピルチタンならびにこれらの混合物から選択することができる。
【０３７３】
Ｎ−アシルアミノ酸は、８〜２２個の炭素原子を含むアシル基、例えば２−エチルヘキサノイル基、カプロイル基、ラウロイル基、ミリストイル基、パルミトイル基、ステアロイル基またはココイル基を含み得る。これらの化合物の塩は、アルミニウム塩、マグネシウム塩、カルシウム塩、ジルコニウム塩、亜鉛塩、ナトリウム塩またはカリウム塩であり得る。アミノ酸は、例えば、リシン、グルタミン酸またはアラニンであり得る。
【０３７４】
上述の化合物において言及した「アルキル」という語は、特に１〜３０個の炭素原子を有するアルキル基、好ましくは５〜１６個の炭素原子を有するアルキル基を指す。
【０３７５】
疎水化処理された顔料は、特に欧州特許出願公開第Ａ−１０８６６８３号明細書に記載されている。
【０３７６】
本特許出願の趣旨の範囲内における「真珠光沢剤」とは、虹彩色を有していても有していなくてもよく、特に特定の軟体動物の殻体で産生されるかまたは合成された、光干渉による呈色効果を示す任意の形状の有色粒子を意味することを意図している。
【０３７７】
真珠光沢剤の例として、パール顔料、例えば酸化鉄被覆雲母チタン、オキシ塩化ビスマス被覆雲母、酸化クロム被覆雲母チタン、有機染料（特に上に述べた種類のもの）で被覆した雲母チタン等のパール顔料に加えて、オキシ塩化ビスマスをベースとするパール顔料を挙げることができる。表面に金属酸化物および／または有機色材の少なくとも２つの連続した層が重ねられた雲母粒子を用いることもできる。
【０３７８】
真珠光沢剤は、より詳細には、黄色、桃色、赤色、青銅色、橙色、褐色、金色および／または銅色を呈するかまたはこれらの色の光沢を呈することができる。
【０３７９】
干渉顔料として第１組成物に導入することができる例示的な真珠光沢剤として、金色真珠光沢剤、特にＥｎｇｅｌｈａｒｄ社からＢｒｉｌｌｉａｎｔ  ｇｏｌｄ  ２１２Ｇ（Ｔｉｍｉｃａ）、Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）およびＭｏｎａｒｃｈ  ｇｏｌｄ  ２３３Ｘ（Ｃｌｏｉｓｏｎｎｅ）の名称で販売されているもの；青銅色真珠光沢剤、特にＭｅｒｃｋ社からＢｒｏｎｚｅ  ｆｉｎｅ（１７３８４）（Ｃｏｌｏｒｏｎａ）およびＢｒｏｎｚｅ（１７３５３）（Ｃｏｌｏｒｏｎａ）の名称で、ならびにＥｎｇｅｌｈａｒｄ社からＳｕｐｅｒ  ｂｒｏｎｚｅ（Ｃｌｏｉｓｏｎｎｅ）の名称で販売されているもの；橙色真珠光沢剤、特にＥｎｇｅｌｈａｒｄ社からＯｒａｎｇｅ  ３６３Ｃ（Ｃｌｏｉｓｏｎｎｅ）およびＯｒａｎｇｅ  ＭＣＲ  １０１（Ｃｏｓｍｉｃａ）の名称で、ならびにＭｅｒｃｋ社からＰａｓｓｉｏｎ  ｏｒａｎｇｅ（Ｃｏｌｏｒｏｎａ）およびＭａｔｔｅ  ｏｒａｎｇｅ（１７４４９）（Ｍｉｃｒｏｎａ）の名称で販売されているもの；褐色真珠光沢剤、特にＥｎｇｅｌｈａｒｄ社からＮｕ−ａｎｔｉｑｕｅ  ｃｏｐｐｅｒ  ３４０ＸＢ（Ｃｌｏｉｓｏｎｎｅ）およびＢｒｏｗｎ  ＣＬ４５０９（Ｃｈｒｏｍａｌｉｔｅ）の名称で販売されているもの；銅色光沢を呈する真珠光沢剤、特にＥｎｇｅｌｈａｒｄ社からＣｏｐｐｅｒ  ３４０Ａ（Ｔｉｍｉｃａ）の名称で販売されているもの；赤色光沢を呈する真珠光沢剤、特にＭｅｒｃｋ社からＳｉｅｎｎａ  ｆｉｎｅ（１７３８６）（Ｃｏｌｏｒｏｎａ）の名称で販売されているもの；黄色光沢を呈する真珠光沢剤、特にＥｎｇｅｌｈａｒｄ社からＹｅｌｌｏｗ（４５０２）（Ｃｈｒｏｍａｌｉｔｅ）の名称で販売されているもの；金色光沢を呈する赤色真珠光沢剤、特にＥｎｇｅｌｈａｒｄ社からＳｕｎｓｔｏｎｅ  Ｇ０１２（Ｇｅｍｔｏｎｅ）の名称で販売されているもの；桃色真珠光沢剤、特にＥｎｇｅｌｈａｒｄ社からＴａｎ  ｏｐａｌｅ  Ｇ００５（Ｇｅｍｔｏｎｅ）の名称で販売されているもの；金色光沢を呈する黒色真珠光沢剤、特にＥｎｇｅｌｈａｒｄ社からＮｕ  ａｎｔｉｑｕｅ  ｂｒｏｎｚｅ  ２４０  ＡＢ（Ｔｉｍｉｃａ）の名称で販売されているもの；青色真珠光沢剤、特にＭｅｒｃｋ社からＭａｔｔｅ  ｂｌｕｅ（１７４３３）（Ｍｉｃｒｏｎａ）の名称で販売されているもの；銀色光沢を呈する白色真珠光沢剤、特にＭｅｒｃｋ社からＸｉｒｏｎａ  Ｓｉｌｖｅｒの名称で販売されているもの；ならびに金緑色〜桃色〜橙色へと変化する真珠光沢剤、特にＭｅｒｃｋ社からＩｎｄｉａｎ  ｓｕｍｍｅｒ（Ｘｉｒｏｎａ）の名称で販売されているもの；ならびにこれらの混合物を挙げることができる。
【０３８０】
添加剤
本発明による組成物は、想定されている添加により、本発明による組成物に本来付随する有利な特性が悪影響を受けないかまたは実質的に悪影響を受けないように、当業者により選択される任意の添加剤も含み得る。
【０３８１】
本発明による組成物に添加することができる添加剤として、特に親水性増粘剤、疎水性増粘剤、有機的または無機的性質を有するフィラー、安定剤、防腐剤、甘味料、化粧有効成分、風味剤または香料、顔料分散剤および本発明によるもの以外の皮膜形成剤を挙げることができる。
【０３８２】
化粧有効成分としては、サンスクリーン剤、ビタミンＡ、Ｅ、ＣおよびＢ３、プロビタミン（Ｄ−パンテノール等）、鎮静剤（α−ビサボロール等）、アロエベラ、アラントイン、植物抽出物または精油、防御剤または再構成剤、清涼剤（メントールおよびその誘導体等）、エモリエント剤、保湿剤、抗シワ剤および必須脂肪酸ならびにこれらの混合物を挙げることができる。
【０３８３】
親水性増粘性ポリマーの例として、より詳細には、次に示すものを挙げることができる：
−  アクリル酸またはメタクリル酸の単独重合体もしくはコポリマーまたはこれらの塩およびこれらのエステル（特にＶｅｒｓｉｃｏｌ  ＦまたはＶｅｒｓｉｃｏｌ  Ｋの名称でＡｌｌｉｅｄ  Ｃｏｌｌｏｉｄ社から販売されている製品、Ｕｌｔｒａｈｏｌｄ  ８の名称でＣｉｂａ−Ｇｅｉｇｙ社から販売されている製品）、Ｓｙｎｔｈａｌｅｎ  Ｋタイプのポリアクリル酸およびポリアクリル酸の塩、特にナトリウム塩（ＩＮＣＩ名：アクリル酸Ｎａコポリマーに対応）、より詳細には、架橋型ポリアクリル酸ナトリウム（ＩＮＣＩ名：アクリル酸Ｎａコポリマー（および）トリ（カプリル酸／カプリン酸）グリセリルに対応）（Ｌｕｖｉｇｅｌ  ＥＭの名称でＢＡＳＦ社から販売）、
−  アクリル酸とアクリルアミドとのコポリマー（そのナトリウム塩の形態において、Ｒｅｔｅｎの名称でＨｅｒｃｕｌｅｓ社から販売）、ポリメタクリル酸ナトリウム（Ｄａｒｖａｎ  Ｎｏ．７の名称でＶａｎｄｅｒｂｉｌｔ社から販売）およびポリヒドロキシカルボン酸のナトリウム塩（Ｈｙｄａｇｅｎ  Ｆの名称でＨｅｎｋｅｌ社から販売）、
−  ポリアクリル酸／アクリル酸アルキルコポリマー、好ましくは、カルボキシビニルポリマー、特にアクリル酸／アクリル酸Ｃ１０〜Ｃ３０アルキルコポリマー（ＩＮＣＩ名：（アクリレーツ／アクリル酸アルキル（Ｃ１０−３０））クロスポリマー）を有する変性されているかまたは未変性のもの、例えばＬｕｂｒｉｚｏｌ社からＰｅｍｕｌｅｎ  ＴＲ１、Ｐｅｍｕｌｅｎ  ＴＲ２、Ｃａｒｂｏｐｏｌ  １３８２およびＣａｒｂｏｐｏｌ  ＥＤＴ  ２０２０の商品名で、さらにより優先的にはＰｅｍｕｌｅｎ  ＴＲ−２の商品名で販売されている製品、
−  アンモニア水で部分的に中和された、高度に架橋されたポリアクリルアミドメチルプロパンスルホン酸（Ｃｌａｒｉａｎｔ社から販売）、
−  ＳＥＰＰＩＣ社から販売されているＳｅｐｉｇｅｌまたはＳｉｍｕｌｇｅｌタイプのアクリルアミドプロパンスルホン酸／アクリルアミドコポリマー、
−  Ａｒｉｓｔｏｆｌｅｘ  ＨＭＳタイプのポリオキシエチレン化アクリルアミドプロパンスルホン酸／メタクリル酸アルキルコポリマー（架橋型または非架橋型）（Ｃｌａｒｉａｎｔ社から販売）、
−  ヒドロキシアルキルアクリル酸またはその塩と、アクリロイルジメチルタウリン塩モノマーとのコポリマー、例えばＳＥＰＰＩＣ社から販売されている製品であるＳｅｐｉｎｏｖ  ＥＭＴ  １０）、および
−  これらの混合物。
【０３８４】
他の親水性ゲル化性ポリマーの他の例として、次に示すものを挙げることができる：
−  アニオン性、カチオン性、両性または非イオン性キチンまたはキトサンポリマー、
−  セルロースポリマー、例えばアルキルセルロース（ヒドロキシエチルセルロース、ヒドロキシプロピルセルロース、ヒドロキシメチルセルロース、エチルヒドロキシエチルセルロース、カルボキシメチルセルロース等）に加えて、四級化されたセルロース誘導体、
−  ビニルポリマー、例えばポリビニルピロリドン、メチルビニルエーテルと無水マレイン酸とのコポリマー、酢酸ビニルとクロトン酸とのコポリマー、ビニルピロリドンと酢酸ビニルとのコポリマー；ビニルピロリドンとカプロラクタムとのコポリマー；ポリビニルアルコール、
−  変性され得る天然由来のポリマー、例えばガラクトマンナンおよびその誘導体、例えばコンニャクガム、ゲランガム、ローカストビーンガム、フェヌグリークガム、カラヤガム、トラガカントガム、アラビアガム、アカシアガム、グアーガム、ヒドロキシプロピルグアー、メチルカルボン酸ナトリウム基で変性されたヒドロキシプロピルグアー（Ｊａｇｕａｒ  ＸＣ９７−１、Ｒｈｏｄｉａ）、ヒドロキシプロピルトリメチルアンモニウムグアークロリド、キサンタンガムおよびその誘導体、
−  アルギン酸塩およびカラギーナン、
−  ムコ多糖（ヒアルロン酸等）；および
−  これらの混合物。
【０３８５】
組成物が任意の親水性増粘剤を含む場合、その含有量は、組成物の質量に対して０．０１質量％〜３質量％、好ましくは０．０５質量％〜２質量％、より有利には０．１質量％〜１質量％の範囲である。
【０３８６】
疎水性増粘剤として、特に疎水性鉱物系増粘剤、例えば変性クレイ、変性シリカまたはこれらの混合物を挙げることができる。
【０３８７】
疎水変性クレイ
クレイは、カルシウム陽イオン、マグネシウム陽イオン、アルミニウム陽イオン、ナトリウム陽イオン、カリウム陽イオンまたはリチウム陽イオンおよびこれらの混合物から選択することができる陽イオンを含むケイ酸塩である。
【０３８８】
この種の生成物の例として、スメクタイト系クレイに加えてバーミキュライト系、ステベンサイト系またはクロライト系クレイを挙げることができる。これらのクレイは天然由来のものであっても合成由来のものであってもよい。
【０３８９】
好ましくは、有機親和性クレイ、より具体的には変性クレイ、例えばモンモリロナイト、ベントナイト、ヘクトライト、アタパルジャイトまたはセピオライトおよびこれらの混合物が利用される。クレイは、好ましくはベントナイトまたはヘクトライトである。
【０３９０】
これらのクレイは、第四級アミン、第三級アミン、酢酸アミン、イミダゾリン、アミン石鹸、脂肪族硫酸塩、アルキルアリールスルホン酸塩またはアミンオキシドおよびこれらの混合物から選択される化合物で変性されている。
【０３９１】
したがって、第四級アミン、より具体的には芳香族基を含むかまたは含まない、Ｃ１０〜Ｃ２２脂肪酸アンモニウムハライド、例えばクロリドにより変性されたヘクトライト、例えばジステアリルジメチルアンモニウムハライド、好ましくはクロリドで変性されたヘクトライト（ＣＴＦＡ名：ジステアルジモニウムヘクトライト）、例えばＢｅｎｔｏｎｅ  ３８Ｖ、Ｂｅｎｔｏｎｅ  ３８Ｖ  ＣＧもしくはＢｅｎｔｏｎｅ  ＥＷ  ＣＥの名称でＥｌｅｍｅｎｔｉｓから販売されているもの、またはステアラルコニウムヘクトライト、例えば特にＢｅｎｔｏｎｅ  ２７  Ｖ製品等を挙げることができる。
【０３９２】
クオタニウム−１８ベントナイト、例えば特にＢｅｎｔｏｎｅ  ３４の名称でＥｌｅｍｅｎｔｉｓ社から、Ｃｌａｙｔｏｎｅ  ４０、Ｔｉｘｏｇｅｌ  ＶＰの名称でＵｎｉｔｅｄ  Ｃａｔａｌｙｓｔ社から、Ｓｏｕｔｈｅｒｎ  Ｃｌａｙ社から販売されているもの；ステアラルコニウムベントナイト、例えばＴｉｘｏｇｅｌ  ＬＧの名称でＵｎｉｔｅｄ  Ｃａｔａｌｙｓｔ社から、ならびにＣｌａｙｔｏｎｅ  ＡＦおよびＣｌａｙｔｏｎｅ  ＡＰＡの名称でＳｏｕｔｈｅｒｎ  Ｃｌａｙ社から販売されているもの；またはクオタニウム−１８／ベンザルコニウムベントナイト、例えばＣｌａｙｔｏｎｅ  ＨＴの名称でＳｏｕｔｈｅｒｎ  Ｃｌａｙ社から販売されているものも挙げることができる。
【０３９３】
好ましい実施形態によれば、増粘剤は、有機親和性変性クレイ、特に有機親和性変性ヘクトライト、特にステアリン酸ベンジルジメチルアンモニウムまたはジステアリルジメチルアンモニウムハライド、特にクロリドで変性されたものから選択される。
【０３９４】
変性シリカ
表面が疎水化処理されたフュームドシリカも挙げることができ、粒子のサイズは、有利には１μｍ未満である。なぜなら、これにより、シリカ表面を、シリカ表面上に存在するシラノール基の数を減らす化学反応によって化学変性することが可能になるためである。特に、シラノール基を疎水性基に置換することが可能であり、そうすることにより疎水性シリカが得られる。疎水性基は、次に示すものであり得る：
−  トリメチルシロキシル基（特にフュームドシリカをヘキサメチルジシラザンの存在下で処理することにより得られるもの）。こうして処理されたシリカは、ＣＴＦＡ（第６版、１９９５年）により、シリル化シリカとして知られる。これらは、例えば、Ａｅｒｏｓｉｌ  Ｒ８１２（登録商標）の商品記号でＤｅｇｕｓｓａ社から、およびＣａｂ−Ｏ−Ｓｉｌ  ＴＳ−５３０（登録商標）の商品記号でＣａｂｏｔ社から販売されている。
−  ジメチルシリルオキシ基またはポリジメチルシロキサン基（特にフュームドシリカをポリジメチルシロキサン、例えばヘキサメチルジシロキサンまたはジメチルジクロロシランの存在下で処理することによって得られるもの）。こうして処理されたシリカは、ＣＴＦＡ（第６版、１９９５年）により、ジメチルシリル化シリカとして知られる。これらは、例えば、Ａｅｒｏｓｉｌ  Ｒ９７２（登録商標）およびＡｅｒｏｓｉｌ  Ｒ９７４（登録商標）の商品記号でＤｅｇｕｓｓａ社から、ならびにＣａｂ−Ｏ−Ｓｉｌ  ＴＳ−６１０（登録商標）およびＣａｂ−Ｏ−Ｓｉｌ  ＴＳ−７２０（登録商標）の商品記号でＣａｂｏｔ社から販売されている。
【０３９５】
疎水性フュームドシリカの粒度は、特にナノメートルオーダーからマイクロメートルオーダーであり得、例えば約５〜２００ｎｍの範囲の粒度を有し得る。
【０３９６】
本発明による組成物は、少なくともシリカエアロゲル粒子も含むこともできる。
【０３９７】
シリカエアロゲルは、シリカゲルの液体成分を空気に置き換える（乾燥させる）ことにより得られる多孔質材料である。
【０３９８】
これらは、通常、液体媒体中においてゾルゲル法で合成された後、通常、超臨界流体（最も一般的に使用されるのは超臨界ＣＯ２である）で抽出することにより乾燥される。このタイプの乾燥により、材料の細孔の収縮を回避することが可能である。ゾルゲル法および様々な乾燥操作は、Ｂｒｉｎｋｅｒ  Ｃ．Ｊ．，ａｎｄ  Ｓｃｈｅｒｅｒ  Ｇ．Ｗ．，Ｓｏｌ−Ｇｅｌ  Ｓｃｉｅｎｃｅ，Ｎｅｗ  Ｙｏｒｋ，Ａｃａｄｅｍｉｃ  Ｐｒｅｓｓ，１９９０に詳述されている。
【０３９９】
本発明の実施に好適な疎水性シリカエアロゲル粒子は、単位質量当たりの比表面積（ＳＭ）が５００〜１５００ｍ２／ｇの範囲、好ましくは６００〜１２００ｍ２／ｇの範囲であり、さらにより良好には６００〜８００ｍ２／ｇの範囲であり、体積平均径として表したサイズ（Ｄ［０．５］）は、１〜１５００μｍの範囲、さらにより良好には１〜１０００μｍの範囲、好ましくは１〜１００μｍ、特に１〜３０μｍ、より好ましくは５〜２５μｍ、さらにより良好には５〜２０μｍ、なおもさらにより良好には５〜１５μｍの範囲である。
【０４００】
本発明の有利な実施形態によれば、本発明に使用される疎水性シリカエアロゲル粒子の単位質量当たりの比表面積（ＳＭ）は、６００〜８００ｍ２／ｇの範囲であり、体積平均径として表したサイズ（Ｄ［０．５］）は、５〜２０μｍの範囲、さらにより良好には５〜１５μｍの範囲である。
【０４０１】
単位質量当たりの比表面積は、Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，ｖｏｌ．６０，ｐａｇｅ  ３０９，Ｆｅｂｒｕａｒｙ  １９３８および対応する国際標準ＩＳＯ  ５７９４／１（附属書Ｄ）に記載されている、ＢＥＴ（ブルナウアー−エメット−テラー）法として知られる窒素吸着方法によって求めることができる。ＢＥＴ比表面積は対象の粒子全体の比表面積に対応する。
【０４０２】
シリカエアロゲル粒子のサイズは、Ｍａｌｖｅｒｎから市販されている粒度解析装置Ｍａｓｔｅｒ  Ｓｉｚｅｒの型式２０００を用いて静的光散乱により測定することができる。データは、Ｍｉｅ散乱理論に基づいて処理される。この理論は、等方性粒子に対応するものであり、非球状粒子の場合、「有効」粒子径を求めることが可能である。この理論は、特にＶａｎ  ｄｅ  Ｈｕｌｓｔによる刊行物Ｌｉｇｈｔ  Ｓｃａｔｔｅｒｉｎｇ  ｂｙ  Ｓｍａｌｌ  Ｐａｒｔｉｃｌｅｓ，Ｃｈａｐｔｅｒｓ  ９  ａｎｄ  １０，Ｗｉｌｅｙ，Ｎｅｗ  Ｙｏｒｋ，１９５７に記載されている。
【０４０３】
好ましい実施形態によれば、本発明に使用される疎水性シリカエアロゲル粒子の単位体積当たりの比表面積ＳＶは、５〜６０ｍ２／ｃｍ３の範囲、好ましくは１０〜５０ｍ２／ｃｍ３の範囲、より好ましくは１５〜４０ｍ２／ｃｍ３の範囲である。
【０４０４】
本発明により使用されるエアロゲルは、疎水性シリカエアロゲル、好ましくはシリルシリカ（ＩＮＣＩ名：シリル化シリカ）のエアロゲルである。
【０４０５】
シリル化により表面変性された疎水性シリカエアロゲル粒子の調製に関しては、米国特許第７４７０７２５号明細書を参照することができる。
【０４０６】
好ましくは、表面がトリメチルシリル基で変性された疎水性シリカエアロゲル粒子が利用されるであろう。
【０４０７】
本発明に使用することができる疎水性シリカエアロゲルとして、例えばＤｏｗ  Ｃｏｒｎｉｎｇ社からＶＭ−２２６０（ＩＮＣＩ名：シリル化シリカ）の名称で販売されているエアロゲルを挙げることができる。この粒子は、平均サイズが約１０００ミクロンであり、単位質量当たりの比表面積が６００〜８００ｍ２／ｇの範囲である。
【０４０８】
ＣａｂｏｔからＡｅｒｏｇｅｌ  ＴＬＤ  ２０１、Ａｅｒｏｇｅｌ  ＯＧＤ  ２０１、Ａｅｒｏｇｅｌ  ＴＬＤ  ２０３、Ｅｎｏｖａ（登録商標）Ａｅｒｏｇｅｌ  ＭＴ  １１００およびＥｎｏｖａ  Ａｅｒｏｇｅｌ  ＭＴ  １２００の商品記号で販売されているエアロゲルも挙げることができる。
【０４０９】
好ましくは、Ｄｏｗ  Ｃｏｒｎｉｎｇ社からＶＭ−２２７０（ＩＮＣＩ名：シリル化シリカ）の名称で販売されているエアロゲルを利用されるであろう。この粒子は、平均サイズが５〜１５ミクロンの範囲であり、単位質量当たりの比表面積が６００〜８００ｍ２／ｇの範囲である。
【０４１０】
好ましくは、鉱物系増粘剤は、有機親和性クレイ、特に変性ヘクトライト；疎水化処理されたフュームドシリカ；疎水性シリカエアロゲルまたはこれらの混合物から選択され、さらにより具体的には、少なくとも１種の有機親和性変性クレイまたは少なくとも１種の疎水変性シリカ、特に有機親和性変性クレイから選択される。
【０４１１】
より詳細には、組成物が鉱物系増粘剤を含む場合、その含有量は、活性物質として表して、組成物の質量に対して０．２質量％〜２．５質量％、好ましくは０．５質量％〜２質量％である。
【０４１２】
以下に示す実施例は、本発明の分野の非限定的な例として与えられる。
【実施例】
【０４１３】
１．組成
下表にまとめた成分からなる組成物を調製する。出発物質の量は質量で表す。
【０４１４】
【表１】
2019512321.tif 000029
【０４１５】
２．調製
最初に顔料をＡ相のドデカメチルペンタシロキサンの一部と混合する（Ｅｘａｋｔ３本ロールミルで）。
【０４１６】
これとは別に、マグネチックスターラーバーを用いて水性相Ｄを調製する。
【０４１７】
これとは別に、Ｂ相の成分を、Ｒａｙｎｅｒｉ撹拌装置を用いて混合する。
【０４１８】
次いで、Ａ相の成分、先に得られた顔料／ドデカメチルシクロペンタシロキサン混合物をＭｏｒｉｔｚ撹拌により常温で２０分間撹拌する。
【０４１９】
混合物Ａが滑らかかつ均質になり、Ｂ相が均質になったら、水性相ＤをＡ相の上から注ぎ、Ｍｏｒｉｔｚ撹拌装置を用いて常温でエマルジョンを調製する。
【０４２０】
混合が行われたら、均質な生成物が得られるまで撹拌を継続し、混合物全体を、図１に対応するディップ式撹拌具を備えた容器に包装する。
【０４２１】
得られた組成物は均質かつ安定である。遠心分離機で処理（９００ｇで１時間）した後も、遊離（例えば、連続または不連続な油の相が出現しない）または沈降は認められない。
【０４２２】
室温または４５℃のオーブン内で１週間後にいかなる相分離も認められない（より具体的には、遊離がなく（すなわち連続または不連続な油の相が出現しない）、沈降もなく、組成物に亀裂も出現しない）。
【０４２３】
組成物１の粘度は１．４Ｐａ．ｓであり、組成物２の粘度は１．３Ｐａ．ｓ（Ｒｈｅｏｍａｔ  １８０粘度計、スピンドル３、２５℃；１０分間、２００ｒｐｍ）である。
【０４２４】
本発明の器具を用いることにより、口唇に非常に薄い膜を塗布することが可能になり、これは、快適でありかつべたつかない。
【０４２５】
塗布された組成物は１時間後も滲まず、膜の持ちも十分である。膜は、良好な化粧もちも有する。
【０４２６】
従来の塗布具（例えば、植毛加工された可撓性塗布具（商品記号１４０３０、Ｇｅｋａ  ＧｍｂＨ）を備える容器）をリップグロスに使用した場合に得られる付着物は、本発明による塗布具を使用した場合よりも厚みがあり、べたつき、滲みにくさおよび色移りのしにくさで劣ることに留意されたい。
【０４２７】
膜厚測定手順：
この手順は、生体外測定用である。
・３ｃｍ／４ｃｍのＢｉｏｓｋｉｎ（登録商標）人工皮膚片を作製する。
・得られた皮膚片の質量を測定する。
・器具を用いて、均一な付着物が皮膚片の表面全体を覆うように組成物を塗布する。
・こうして作製した皮膚片を秤量する。
【０４２８】
膜厚：
厚み（ｃｍ）＝塗布した組成物の量（ｇ）：組成物の密度（ｇ／ｃｍ３）である。組成物の密度は１である。厚みは３回の別々の測定の平均値で与える。
【符号の説明】
【０４２９】
１  塗布用組立体
２  本体
３  貯留器
４  塗布具
５  塗布具部材
７  ハウジング
８  壁
９  貫通オリフィス
２１  上端
２２  開口部
２４  筒状首部
２５  スピンドル
４１  把持部
４２  支柱
４３  底壁
５０  塗布面
５１  頂点
５５  脚部
５６  頭部
６０  リング
６１  外周壁
６２  内周壁
６３  周壁
６３  上側周壁
６４  ネジ山
６５  ネジ山
【図１】
2019512321.tif 000042
【図２】
2019512321.tif 000043
【図３】
2019512321.tif 000044
【図４】
2019512321.tif 000045
【国際調査報告】
2019512321.tif 000046
2019512321.tif 000047
2019512321.tif 000048
2019512321.tif 000049